(57)【要約】例えば、拡張現実ディスプレイシステムを使用して、仮想オブジェクトを限定数の深度平面上に提示するための方法およびシステムが、開示される。深度平面のうちの最も遠いものは、光学無限遠の不整合公差内にある。ディスプレイシステムは、コンテンツがユーザが凝視している深度平面上に表示されるように、コンテンツがアクティブに表示される深度平面を切り替えてもよい。凝視追跡における誤差の影響は、部分的に重複する深度平面を使用して対処される。ユーザが凝視している凝視深度が、判定され、ディスプレイシステムは、仮想オブジェクトが提示される選択された深度平面の選択を調節するかどうかを判定する。判定は、凝視深度が隣接する深度平面の深度重複領域内にあるかどうかに基づいてもよい。ディスプレイシステムは、凝視深度が重複領域外にあるかどうかに応じて、アクティブ深度平面を切り替えてもよい。
2019512741.tif 000002
【特許請求の範囲】
【請求項１】
ディスプレイシステムであって、
頭部搭載型ディスプレイであって、
１つまたはそれを上回る導波管であって、各導波管は、屈折力を有し、コンテンツを関連付けられた深度平面上に提供するように構成されており、前記１つまたはそれを上回る導波管は、光を視認者に投影し、画像コンテンツを前記１つまたはそれを上回る導波管の前記関連付けられた深度平面上に表示するように構成される、１つまたはそれを上回る導波管
を備え、前記深度平面のそれぞれは、光学無限遠未満にある、頭部搭載型ディスプレイ
を備える、ディスプレイシステム。
【請求項２】
前記深度平面のうちの最も遠いものは、光学無限遠の約０．５０ジオプタ以内にある、請求項１に記載のディスプレイシステム。
【請求項３】
前記深度平面のうちの最も遠いものは、光学無限遠の約０．３３ジオプタ以内にある、請求項２に記載のディスプレイシステム。
【請求項４】
前記深度平面のうちの最も遠いものは、光学無限遠の約０．２５ジオプタ以内にある、請求項３に記載のディスプレイシステム。
【請求項５】
前記深度平面のうちの最も遠いものは、光学無限遠にある、請求項１に記載のディスプレイシステム。
【請求項６】
前記深度平面は、約０．７ジオプタ以下だけ分離される、請求項１に記載のディスプレイシステム。
【請求項７】
前記深度平面は、約０．５ジオプタ以下だけ分離される、請求項６に記載のディスプレイシステム。
【請求項８】
前記ディスプレイは、画像情報を２つのみの深度平面上に表示するように構成され、前記２つの深度平面はそれぞれ、光学無限遠未満にある、請求項１に記載のディスプレイシステム。
【請求項９】
前記ディスプレイは、画像情報を１つのみの深度平面上に表示するように構成され、前記１つの深度平面は、光学無限遠未満にある、請求項１に記載のディスプレイシステム。
【請求項１０】
ディスプレイシステムであって、
頭部搭載型ディスプレイであって、
１つまたはそれを上回る導波管であって、各導波管は、屈折力および関連付けられた深度平面を有し、前記１つまたはそれを上回る導波管は、光を視認者に投影し、画像コンテンツを前記関連付けられた深度平面上に表示するように構成される、１つまたはそれを上回る導波管
を備え、前記深度平面のうちの最も遠いものは、光学無限遠の約０．３３ジオプタ以内にある、頭部搭載型ディスプレイ
を備える、ディスプレイシステム。
【請求項１１】
前記深度平面のうちの次に最も遠いものは、前記深度平面のうちの最も遠いものの約０．６６ジオプタ以内にある、請求項１０に記載のディスプレイシステム。
【請求項１２】
深度平面の総数は、２つである、請求項１０に記載のディスプレイシステム。
【請求項１３】
深度平面の総数は、２つを上回り、直近深度平面間の分離は、約０．６６ジオプタ未満である、請求項１０に記載のディスプレイシステム。
【請求項１４】
深度平面の総数は、４つ未満である、請求項１０に記載のディスプレイシステム。
【請求項１５】
前記１つまたはそれを上回る導波管は、前記導波管のスタックを形成し、各導波管は、入射光を再指向し、前記導波管の内側の全内部反射によって伝搬させるように構成される、内部結合光学要素を備える、請求項１０に記載のディスプレイシステム。
【請求項１６】
各導波管の前記内部結合光学要素は、単一原色に対応する波長を有する光を選択的に再指向するように構成される、請求項１５に記載のディスプレイシステム。
【請求項１７】
上下平面図に見られるように、各導波管の前記内部結合光学要素は、他の導波管の内部結合光学要素から側方に離間される、請求項１５に記載のディスプレイシステム。
【請求項１８】
各導波管はさらに、各導波管内を伝搬する光を前記導波管から再指向するように構成される、外部結合光学要素を備える、請求項１５に記載のディスプレイシステム。
【請求項１９】
画像コンテンツを前記導波管の内部結合光学要素に指向するように構成される光プロジェクタシステムをさらに備え、前記光プロジェクタシステムは、
光エミッタと、
空間光変調器と
を備える、請求項１５に記載のディスプレイシステム。
【請求項２０】
各導波管は、単一深度平面のみを作成するための屈折力を有する、請求項１０に記載のディスプレイシステム。
【請求項２１】
ディスプレイシステムであって、
頭部搭載型ディスプレイであって、
導波管のスタックを形成する複数の導波管であって、各導波管は、屈折力を有し、コンテンツを関連付けられた深度平面上に提供するように構成され、前記導波管は、光を視認者に投影し、画像コンテンツを前記関連付けられた深度平面上に表示するように構成される、複数の導波管
を備え、前記深度平面のうちの最も遠いものは、光学無限遠の不整合公差内にあって、前記不整合公差は、約０．５ジオプタである、頭部搭載型ディスプレイ
を備える、ディスプレイシステム。
【請求項２２】
前記不整合公差は、約０．３３ジオプタである、請求項２１に記載のディスプレイシステム。
【請求項２３】
前記スタックの関連付けられた深度平面と最近傍の関連付けられた深度平面との間の分離は、前記不整合公差の約２倍またはそれ未満である、請求項２１に記載のディスプレイシステム。
【請求項２４】
深度平面の総数は、４つまたはそれ未満である、請求項２１に記載のディスプレイシステム。
【請求項２５】
前記深度平面の総数は、２つである、請求項２４に記載のディスプレイシステム。
【請求項２６】
画像コンテンツを頭部搭載型ディスプレイ上に表示するための方法であって、前記方法は、
前記画像コンテンツに関する遠近調節−輻輳・開散運動不整合が閾値を超えるかどうかを判定するステップと、
前記遠近調節−輻輳・開散運動不整合が前記閾値を超える場合、前記画像コンテンツを修正するステップと
を含む、方法。
【請求項２７】
遠近調節−輻輳・開散運動不整合閾値は、０．５ジオプタまたはそれ未満である、請求項２６に記載の方法。
【請求項２８】
遠近調節−輻輳・開散運動不整合閾値は、０．３３ジオプタまたはそれ未満である、請求項２７に記載の方法。
【請求項２９】
前記画像コンテンツを修正するステップは、前記画像コンテンツをフェーディングさせるステップを含む、請求項２６に記載の方法。
【請求項３０】
前記画像コンテンツをフェーディングさせるステップは、前記画像コンテンツの分解能を低減させるステップを含む、請求項２９に記載の方法。
【請求項３１】
前記画像コンテンツの分解能の低減は、遠近調節−輻輳・開散運動不整合の増加に伴って増加する、請求項３０に記載の方法。
【請求項３２】
前記画像コンテンツを修正するステップは、前記画像コンテンツを表示しないステップを含む、請求項２６に記載の方法。
【請求項３３】
ディスプレイシステムであって、
プロセッサと、
命令を記憶するコンピュータ記憶媒体であって、前記命令は、前記ディスプレイシステムによって実行されると、前記ディスプレイシステムに、
請求項２６−３２のいずれかに記載の方法
を含む動作を実施させる、コンピュータ記憶媒体
を備える、ディスプレイシステム。
【請求項３４】
前記ディスプレイシステムは、画像情報を１つのみの深度平面上に表示するように構成され、前記１つの深度平面は、光学無限遠未満にある、請求項３３に記載のディスプレイシステム。
【請求項３５】
前記ディスプレイシステムは、画像情報を２つのみの深度平面上に表示するように構成され、前記２つの深度平面はそれぞれ、光学無限遠未満にある、請求項３３に記載のディスプレイシステム。
【請求項３６】
画像コンテンツをユーザによって装着される頭部搭載型ディスプレイ上に表示するための方法であって、前記方法は、
前記ユーザにおける眼精疲労の存在を判定するステップと、
眼精疲労が存在すると判定される場合、前記画像コンテンツを修正するステップと
を含む、方法。
【請求項３７】
前記眼精疲労の存在を判定するステップは、前記ユーザの片眼または両眼を撮像するステップを含む、請求項３６に記載の方法。
【請求項３８】
前記眼精疲労の存在を判定するステップは、散瞳、収斂動揺、および瞳孔動揺のうちの１つまたはそれを上回るものを検出するステップを含む、請求項３６に記載の方法。
【請求項３９】
前記眼精疲労の存在を判定するステップは、ガルバニック皮膚応答を測定するステップを含む、請求項３６に記載の方法。
【請求項４０】
前記眼精疲労の存在を判定するステップは、０．２５ジオプタを上回る遠近調節−輻輳・開散運動不整合を有する画像コンテンツへの暴露の持続時間を検出するステップを含む、請求項３６に記載の方法。
【請求項４１】
前記遠近調節−輻輳・開散運動不整合は、０．３３ジオプタを上回る、請求項４０に記載の方法。
【請求項４２】
前記遠近調節−輻輳・開散運動不整合は、０．５０ジオプタを上回る、請求項４１に記載の方法。
【請求項４３】
画像コンテンツを修正するステップは、
前記画像コンテンツの特徴のサイズを増加させるステップと、
前記画像コンテンツの分解能を低減させるステップと、
前記画像コンテンツを前記画像コンテンツのために元々規定されたものより前記視認者から遠い深度平面上に表示するステップと
のうちの１つまたはそれを上回るものを含む、請求項３６に記載の方法。
【請求項４４】
画像コンテンツを修正するステップは、前記眼精疲労の存在が前記ユーザにおいてもはや検出されなくなるまで実施される、請求項４３に記載の方法。
【請求項４５】
プロセッサと、前記ディスプレイシステムによって実行されると、前記ディスプレイシステムに、請求項３６−４５のいずれかに記載の方法を実施させる命令を記憶する、コンピュータ記憶媒体とを備える、ディスプレイシステム。
【請求項４６】
前記ディスプレイシステムは、画像情報を１つのみの深度平面上に表示するように構成され、前記１つの深度平面は、光学無限遠未満にある、請求項４５に記載のディスプレイシステム。
【請求項４７】
前記ディスプレイシステムは、画像情報を２つのみの深度平面上に表示するように構成され、前記２つの深度平面はそれぞれ、光学無限遠未満にある、請求項４５に記載のディスプレイシステム。
【請求項４８】
ウェアラブル頭部搭載型ディスプレイシステムであって、
ユーザによって装着されるように構成されるフレームと、
前記フレームに取り付けられるディスプレイと、
前記ユーザの頭部の片側から前記頭部の他側まで延在するように構成される支持構造と
を備え、
前記支持構造は、前記フレームに機械的に結合される、ウェアラブル頭部搭載型ディスプレイシステム。
【請求項４９】
前記支持構造に取り付けられ、音を前記ユーザの耳の中に指向するように構成される、音変換器をさらに備える、請求項４８に記載のウェアラブル頭部搭載型ディスプレイシステム。
【請求項５０】
前記音変換器は、スピーカである、請求項４９に記載のウェアラブル頭部搭載型ディスプレイシステム。
【請求項５１】
前記支持構造は、前記頭部の片側から前記頭部の他側まで延在するように構成される、バンドである、請求項４８に記載のウェアラブル頭部搭載型ディスプレイシステム。
【請求項５２】
前記バンドは、前記ユーザの眼および耳と交差する平面に対して３５°〜５５°の角度で前記ユーザの頭部を横切る、請求項５１に記載のウェアラブル頭部搭載型ディスプレイシステム。
【請求項５３】
前記バンドは、前記ユーザの眼および耳と交差する平面に対して８０°〜１００°の角度で前記ユーザの頭部を横切る、請求項５１に記載のウェアラブル頭部搭載型ディスプレイシステム。
【請求項５４】
前記ユーザの眼および第１および第２の耳と交差する平面に対する前記バンドの角度は、調節可能である、請求項５１に記載のウェアラブル頭部搭載型ディスプレイシステム。
【請求項５５】
導波管であって、
前記入射光の性質に基づいて、入射光を前記導波管の中に選択的に内部結合するように構成される内部結合光学要素と、
前記導波管の中に内部結合される光を外部結合することによって、前記光を前記視認者の眼に投影するように構成される外部結合光学要素と
を備える、導波管
をさらに備える、請求項４８に記載のウェアラブル頭部搭載型ディスプレイシステム。
【請求項５６】
前記外部結合光学要素は、屈折力を有し、光を前記眼に投影し、画像コンテンツを関連付けられた深度平面上に表示するように構成され、前記関連付けられた深度平面は、光学無限遠未満にある、請求項５５に記載のウェアラブル頭部搭載型ディスプレイシステム。
【請求項５７】
前記導波管は、導波管のスタックの一部であり、前記導波管のスタックのうちの少なくともいくつかの導波管は、前記少なくともいくつかの導波管毎に、出射光の異なる発散を提供するように、異なる関連付けられた深度平面と、異なる屈折力を有する外部結合光学要素とを備える、請求項５６に記載のウェアラブル頭部搭載型ディスプレイシステム。
【請求項５８】
ディスプレイシステムであって、
仮想オブジェクトを複数の深度平面においてユーザに提示するように構成されるディスプレイデバイスと、
１つまたはそれを上回るプロセッサと、
命令を記憶するコンピュータ記憶媒体であって、前記命令は、前記ディスプレイシステムによって実行されると、前記ディスプレイシステムに、
凝視深度を判定するステップであって、前記凝視深度は、前記ユーザの眼が凝視している深度である、ステップと、
前記凝視深度が、
（１）選択された深度平面によってのみ包含される、または
（２）前記選択された深度平面および隣接する深度平面の両方によって包含される、
深度平面範囲内にあるかどうかに基づいて、仮想オブジェクトが前記ユーザの眼に提示されている選択された深度平面の選択を調節するかどうかを判定するステップと、
前記選択された深度平面の選択を調節するかどうかを判定するステップに基づいて、前記仮想オブジェクトの提示を選択された特定の深度平面に生じさせるステップと
を含む、動作を実施させる、コンピュータ記憶媒体と
を備える、ディスプレイシステム。
【請求項５９】
前記凝視深度は、前記選択された深度平面によってのみ包含される深度平面範囲内にあり、前記深度平面の選択を調節するかどうかの判定は、負である、請求項５８に記載のディスプレイシステム。
【請求項６０】
前記凝視深度は、前記選択された深度平面および隣接する深度平面の両方によって包含される深度平面範囲内にあり、前記深度平面の選択を調節するかどうかの判定は、負である、請求項５８に記載のディスプレイシステム。
【請求項６１】
前記凝視深度は、
（１）前記選択された深度平面によってのみ包含され、
（２）前記選択された深度平面および隣接する深度平面の両方によって包含される、
深度平面範囲の外の特定の深度平面範囲内にあり、前記深度平面の選択を調節するかどうかの判定は、正である、請求項５８に記載のディスプレイシステム。
【請求項６２】
前記仮想オブジェクトは、前記特定の深度平面範囲を包含する深度平面に提示される、請求項６１に記載のディスプレイシステム。
【請求項６３】
前記凝視深度は、前記隣接する深度平面によってのみ包含される深度平面範囲内にあり、前記深度平面の選択を調節するかどうかの判定は、正である、請求項５８に記載のディスプレイシステム。
【請求項６４】
前記仮想オブジェクトは、前記隣接する深度平面に提示される、請求項６３に記載のディスプレイシステム。
【請求項６５】
深度平面の選択を調節することの正の判定に応答して、前記ユーザによる瞬目または衝動性眼球運動の実施の検出に応答して、前記調節された深度平面における提示をトリガする、請求項５８に記載のディスプレイシステム。
【請求項６６】
前記動作はさらに、
前記ユーザが凝視している３次元場所を示すユーザの凝視点を判定するステップであって、前記３次元場所は、前記凝視深度を示す、ステップ
を含む、請求項５８に記載のディスプレイシステム。
【請求項６７】
ディスプレイシステムであって、
仮想オブジェクトを複数の深度平面においてユーザに提示するように構成される、ディスプレイデバイスと、
１つまたはそれを上回るプロセッサと、
命令を記憶するコンピュータ記憶媒体であって、前記命令は、前記ディスプレイシステムによって実行されると、前記ディスプレイシステムに、
凝視深度を判定するステップであって、前記凝視深度は、前記ユーザの眼が凝視している深度である、ステップと、
仮想オブジェクトが前記ユーザに提示されるべき前記複数の深度平面の特定の深度平面を判定するステップであって、前記判定は、前記凝視深度および前記深度平面のそれぞれによって包含される深度平面範囲に基づいており、隣接する深度平面は両方とも、深度重複領域を包含する、ステップと、
前記仮想オブジェクトの提示を前記特定の深度平面において生じさせるステップと
を含む動作を実施させる、コンピュータ記憶媒体と
を備える、ディスプレイシステム。
【請求項６８】
深度平面によって包含される深度平面範囲は、凝視されると、前記仮想オブジェクトの提示を前記深度平面において生じさせる、前記ユーザからの深度の範囲を示す、請求項６６に記載のディスプレイシステム。
【請求項６９】
前記特定の深度平面における提示は、前記仮想オブジェクトを、前記特定の深度平面の公称焦点深度と関連付けられた遠近調節キューと、前記仮想オブジェクトと関連付けられた場所情報に基づく輻輳・開散運動キューとともに提示するステップを含む、請求項６６に記載のディスプレイシステム。
【請求項７０】
前記特定の深度平面によって包含される深度平面範囲のサイズは、遠近調節−輻輳・開散運動不整合公差に基づいており、前記遠近調節−輻輳・開散運動不整合公差は、提示される仮想オブジェクトの輻輳・開散運動キューと関連付けられた知覚される深度と前記仮想オブジェクトの遠近調節キューと関連付けられた知覚される深度との間の最大差異を示す、請求項６９に記載のディスプレイシステム。
【請求項７１】
前記深度重複領域のサイズは、凝視深度を判定するステップと関連付けられた誤差に基づいている、請求項６６に記載のディスプレイシステム。
【請求項７２】
前記凝視深度は、前記深度が前記深度平面範囲内にあるように、前記特定の深度平面によってのみ包含される、請求項６６に記載のディスプレイシステム。
【請求項７３】
前記凝視深度は、前記特定の深度平面および隣接する深度平面によって包含される深度重複領域内にあり、前記特定の深度平面を判定するステップは、前記ユーザの以前の凝視深度に基づいている、請求項６６に記載のディスプレイシステム。
【請求項７４】
前記動作はさらに、前記以前の凝視深度に基づいて、前記深度重複領域内の１つまたはそれを上回る凝視深度の凝視に先立って、前記ユーザが前記特定の深度平面によってのみ包含される凝視深度を凝視したことを識別するステップを含む、請求項７３に記載のディスプレイシステム。
【請求項７５】
前記動作はさらに、
前記深度重複領域内にある前記ユーザの後続凝視深度を判定するステップと、
前記仮想オブジェクトの提示を前記特定の深度平面において生じさせるステップと
を含む、請求項７３に記載のディスプレイシステム。
【請求項７６】
前記動作はさらに、
前記隣接する深度平面によって包含され、前記深度重複領域外にある、前記ユーザの後続凝視深度を判定するステップと、
前記仮想オブジェクトの提示を前記隣接する深度平面において生じさせるステップと
を含む、請求項７３に記載のディスプレイシステム。
【請求項７７】
前記ディスプレイシステムは、前記ユーザが、（１）瞬目または（２）衝動性眼球運動を実施したことを判定し、それに応答して、提示を前記隣接する深度平面において生じさせるように構成される、請求項７６に記載のディスプレイシステム。
【請求項７８】
少なくとも部分的に、仮想オブジェクトを複数の深度平面においてユーザに提示するように構成されるディスプレイデバイスによって実装される方法であって、前記方法は、
凝視深度を判定するステップであって、前記凝視深度は、前記ユーザの眼が凝視している深度である、ステップと、
前記凝視深度が、
（１）前記選択された深度平面によってのみ包含される、または
（２）前記選択された深度平面および隣接する深度平面の両方によって包含される、
深度平面範囲内にあるかどうかに基づいて、仮想オブジェクトが前記ユーザの眼に提示されている選択された深度平面の選択を調節するかどうかを判定するステップと、
前記選択された深度平面の選択を調節するかどうかの判定に基づいて、前記仮想オブジェクトの提示を選択された特定の深度平面において生じさせるステップと
を含む、方法。
【請求項７９】
前記凝視深度は、
（１）前記選択された深度平面によってのみ包含され、
（２）前記選択された深度平面および隣接する深度平面の両方によって包含される、
深度平面範囲の外の特定の深度平面内にあり、前記深度平面の選択を調節するかどうかの判定は、正である、請求項７８に記載の方法。
【請求項８０】
深度平面の選択を調節することの正の判定に応答して、前記ユーザによる瞬目または衝動性眼球運動の実施の検出に応答して、前記調節された深度平面における提示をトリガする、請求項７８に記載の方法。
【請求項８１】
ディスプレイシステムであって、
仮想オブジェクトを複数の深度平面においてユーザに提示するように構成されるディスプレイデバイスと、
プロセッサと、
命令を記憶するコンピュータ記憶媒体であって、前記命令は、前記ディスプレイシステムによって実行されると、前記ディスプレイシステムに、
前記ユーザが凝視している３次元場所を示すユーザの凝視点を判定するステップと、
仮想オブジェクトが提示されるべき深度平面を切り替えるかどうかを判定するステップであって、前記判定は、少なくとも部分的に、前記判定された凝視点の深度に基づく、ステップと、
前記仮想オブジェクトが提示されるべき深度平面を切り替えるステップであって、前記深度平面を切り替えるステップは、ユーザ知覚限定イベントによってトリガされる、ステップと
を含む動作を実施させる、コンピュータ記憶媒体と
を備える、ディスプレイシステム。
【請求項８２】
前記動作はさらに、前記ユーザの眼を監視し、瞬目または衝動性眼球運動のうちの１つまたはそれを上回るものが実施されることを含む、前記ユーザ知覚限定イベントを検出するステップを含む、請求項８１に記載のディスプレイシステム。
【請求項８３】
前記ユーザの眼を監視するステップは、前記ユーザの瞳孔を監視するステップを含み、衝動性眼球運動を検出するステップは、前記瞳孔の回転速度が閾値速度を超えることに基づく、請求項８２に記載のディスプレイシステム。
【請求項８４】
前記衝動性眼球運動を検出するステップはさらに、前記ユーザの頭部と関連付けられた移動情報に基づく、請求項８３に記載のディスプレイシステム。
【請求項８５】
前記深度平面を切り替えるステップは、
前記ユーザによって実施されている瞬目を検出するステップと、
それに応答して、前記深度平面を切り替えるステップと
を含む、請求項８１に記載のディスプレイシステム。
【請求項８６】
前記深度平面を切り替えるステップは、
前記ユーザによって実施されている衝動性眼球運動を検出するステップと、
それに応答して、前記深度平面を切り替えるステップと
を含む、請求項８１に記載のディスプレイシステム。
【請求項８７】
前記深度平面を切り替えるステップは、
閾値時間量後、瞬目または衝動性眼球運動の実施を検出しないことに応答して、前記深度平面を切り替えるステップ
を含む、請求項８１に記載のディスプレイシステム。
【請求項８８】
深度平面を切り替えるかどうかを判定するステップは、
前記判定された凝視点の深度が前記切り替えられた深度平面によって包含されることを判定するステップ
を含む、請求項８１に記載のディスプレイシステム。
【請求項８９】
前記動作はさらに、
前記深度平面が切り替えられるべきであることを示す情報を記憶し、前記ユーザの眼を監視し、前記ユーザ知覚限定イベントを判定するステップ
を含む、請求項８１に記載のディスプレイシステム。
【請求項９０】
前記ディスプレイデバイスは、ディスプレイ面積を形成し、前記ディスプレイ面積を通して、周囲環境のビューを提供する、複数のスタックされた導波管を備え、前記複数の導波管の少なくともいくつかの導波管は、他の導波管と異なる波面発散を伴う光を出力するように構成され、各導波管は、深度平面と関連付けられ、
前記仮想オブジェクトを前記切り替えられた深度平面に提示するステップは、前記切り替えられた深度平面と関連付けられた導波管が、前記仮想オブジェクトを形成するための光を出力するステップを含む、
請求項８１に記載のディスプレイシステム。
【請求項９１】
少なくとも部分的に、仮想オブジェクトを複数の深度平面においてユーザに提示するように構成されるディスプレイデバイスによって実装される方法であって、前記方法は、
前記ユーザが凝視している３次元場所を示すユーザの凝視点を判定するステップと、
仮想オブジェクトが提示されるべき深度平面を切り替えるかどうかを判定するステップであって、前記判定は、少なくとも部分的に、前記判定された凝視点の深度に基づく、ステップと、
前記仮想オブジェクトが提示されるべき深度平面を切り替えるステップであって、前記深度平面を切り替えるステップは、ユーザ知覚限定イベントによってトリガされる、ステップと
を含む、方法。
【請求項９２】
前記ユーザの眼を監視し、瞬目または衝動性眼球運動のうちの１つまたはそれを上回るものが実施されることを含む前記ユーザ知覚限定イベントを検出するステップをさらに含む、請求項９１に記載の方法。
【請求項９３】
前記ユーザの眼を監視するステップは、前記ユーザの瞳孔を監視するステップを含み、衝動性眼球運動を検出するステップは、前記瞳孔の回転速度が閾値速度を超えることに基づく、請求項９２に記載の方法。
【請求項９４】
前記衝動性眼球運動を検出するステップはさらに、前記ユーザの頭部と関連付けられた移動情報に基づく、請求項９３に記載の方法。
【請求項９５】
前記深度平面を切り替えるステップは、
前記ユーザによって実施されている瞬目を検出するステップと、
それに応答して、前記深度平面を切り替えるステップと
を含む、請求項９１に記載の方法。
【請求項９６】
前記深度平面を切り替えるステップは、
前記ユーザによって実施されている衝動性眼球運動を検出するステップと、
それに応答して、前記深度平面を切り替えるステップと
を含む、請求項９１に記載の方法。
【請求項９７】
ディスプレイシステムであって、前記ディスプレイシステムは、ディスプレイデバイスと、プロセッサと、命令を記憶するコンピュータ記憶媒体とを備え、前記命令は、前記プロセッサによって実行されると、前記ディスプレイシステムに、
前記ディスプレイデバイスによって、仮想コンテンツを含むフレームを複数の深度平面においてユーザに提示するステップであって、前記ユーザに提示されるフレーム毎に、前記仮想コンテンツは、ユーザ凝視情報に基づいて選択された同一深度平面に提示される、ステップと、
選択された深度平面の選択が調節されるべきであることの識別に応答して、前記ユーザによって実施されている瞬目または衝動性眼球運動の検出に応じて、前記仮想コンテンツの１つまたはそれを上回るフレームが前記ディスプレイデバイスによって前記調節された深度平面に提示されるべきであることを示す情報を記憶するステップと
を含む動作を実施させる、ディスプレイシステム。
【請求項９８】
前記動作はさらに、
瞬目または衝動性眼球運動の実施を検出するステップと、
前記判定に応答して、前記仮想コンテンツを前記調節された深度平面に提示するステップと
を含む、請求項９７に記載のディスプレイシステム。
【請求項９９】
前記動作はさらに、
前記ユーザが閾値時間を上回る時間にわたって瞬目または衝動性眼球運動を実施しなかったことを判定するステップと、
前記判定に応答して、前記仮想コンテンツを前記調節された深度平面に提示するステップと
を含む、請求項９７に記載のディスプレイシステム。
【請求項１００】
前記動作はさらに、
前記ユーザの眼を監視し、瞬目または衝動性眼球運動を検出し、監視しながら、仮想コンテンツの１つまたはそれを上回るフレームを前記選択された深度平面に提示するステップ
を含む、請求項９７に記載のディスプレイシステム。
【請求項１０１】
瞬目または衝動性眼球運動の検出を待機しながら、前記ユーザが前記調節された深度平面と異なる特定の深度平面と関連付けられた深度を凝視していることを判定し、瞬目または衝動性眼球運動の検出に応じて、前記仮想コンテンツが前記特定の深度平面に提示されるべきことを示す情報を記憶する、請求項９７に記載のディスプレイデバイス。
【発明の詳細な説明】
【技術分野】
【０００１】
（優先権主張）
本願は、２０１６年３月２５日に出願された米国仮出願第６２／３１３，６９８号、２０１６年８月２２日に出願された米国特許出願第６２／３７８，１０９号の３５  Ｕ．Ｓ．Ｃ．  §  １１９（ｅ）の下での優先権の利益を主張するものである。これらの優先権ドキュメントの各々の開示は、参照により本明細書中に援用される。
【０００２】
（関連出願に対する相互参照）
本願は、２０１４年１１月２７日に出願された米国出願第１４／５５５，５８５号、２０１５年４月１８日に出願された米国出願第１４／６９０，４０１号、２０１４年３月１４日に出願された米国出願第１４／２１２，９６１号、２０１４年７月１４日に出願された米国出願第１４／３３１，２１８号の各々の全体を参照により援用する。
【０００３】
本開示は、拡張現実イメージングおよび可視化システムを含む、ディスプレイシステムに関する。
【背景技術】
【０００４】
現代のコンピューティングおよびディスプレイ技術は、いわゆる「仮想現実」または「拡張現実」体験のためのシステムの開発を促進しており、デジタル的に再現された画像またはその一部が、現実であるように見える、またはそのように知覚され得る様式でユーザに提示される。仮想現実または「ＶＲ」シナリオは、典型的には、他の実際の実世界の視覚的入力に対する透明性を伴わずに、デジタルまたは仮想画像情報の提示を伴い、拡張現実または「ＡＲ」シナリオは、典型的には、ユーザの周囲の実際の世界の可視化に対する拡張としてのデジタルまたは仮想画像情報の提示を伴う。複合現実または「ＭＲ」シナリオは、一種のＡＲシナリオであって、典型的には、自然世界の中に統合され、それに応答する、仮想オブジェクトを伴う。例えば、ＭＲシナリオは、実世界内のオブジェクトによってブロックされて見える、または別様にそれと相互作用するように知覚される、ＡＲ画像コンテンツを含んでもよい。
【０００５】
図１を参照すると、拡張現実場面１０が、描写されている。ＡＲ技術のユーザには、背景における人々、木々、建物を特徴とする実世界公園状設定２０と、コンクリートプラットフォーム３０とが見える。ユーザはまた、実世界プラットフォーム３０上に立っているロボット像４０と、マルハナバチの擬人化のように見える、飛んでいる漫画のようなアバタキャラクタ５０等の「仮想コンテンツ」を「見ている」と知覚する。これらの要素５０、４０は、実世界には存在しないという点で、「仮想」である。ヒトの視知覚系は、複雑であって、他の仮想または実世界画像要素間における仮想画像要素の快適で、自然のような感覚で、かつ豊かな提示を促進する、ＡＲ技術の生成は、困難である。
【０００６】
本明細書に開示されるシステムおよび方法は、ＡＲまたはＶＲ技術に関連する種々の課題に対処する。
【発明の概要】
【課題を解決するための手段】
【０００７】
いくつかの実施形態では、ディスプレイシステムは、過焦点距離を有する、頭部搭載型ディスプレイを備える。頭部搭載型ディスプレイは、それぞれ、屈折力および関連付けられた深度平面を有する、１つまたはそれを上回る導波管を備える。１つまたはそれを上回る導波管は、光を視認者に投影し、画像コンテンツを関連付けられた深度平面上に表示するように構成される。深度平面はそれぞれ、光学無限遠未満にある。
【０００８】
いくつかの他の実施形態では、ディスプレイシステムは、頭部搭載型ディスプレイを備える。頭部搭載型ディスプレイは、それぞれ、屈折力および関連付けられた深度平面を有する、１つまたはそれを上回る導波管を備える。１つまたはそれを上回る導波管は、光を視認者に投影し、画像コンテンツを関連付けられた深度平面上に表示するように構成される。深度平面のうちの最も遠いものは、光学無限遠の約０．３３ジオプタ以内にある。
【０００９】
さらに他の実施形態では、ディスプレイシステムは、頭部搭載型ディスプレイを備える。頭部搭載型ディスプレイは、導波管のスタックを形成する複数の導波管を備える。各導波管は、屈折力および関連付けられた深度平面を有し、導波管は、光を視認者に投影し、画像コンテンツを関連付けられた深度平面上に表示するように構成される。深度平面のうちの最も遠いものは、光学無限遠の不整合公差内にある。不整合公差は、約０．５ジオプタである。
【００１０】
いくつかの他の実施形態では、画像コンテンツを頭部搭載型ディスプレイ上に表示するための方法が、提供される。本方法は、画像コンテンツに関する遠近調節（ａｃｃｏｍｍｏｄａｔｉｏｎ）−輻輳・開散（ｖｅｒｇｅｎｃｅ）運動不整合が閾値を超えるかどうかを判定するステップと、遠近調節−輻輳・開散運動不整合が閾値を超える場合、画像コンテンツを修正するステップとを含む。
【００１１】
さらに他の実施形態では、画像コンテンツをユーザによって装着される頭部搭載型ディスプレイ上に表示するための方法が、提供される。本方法は、ユーザにおける眼精疲労の存在を判定するステップと、眼精疲労が存在すると判定される場合、画像コンテンツを修正するステップとを含む。
【００１２】
いくつかの実施形態では、ウェアラブル頭部搭載型ディスプレイシステムは、ユーザによって装着されるように構成される、フレームを備える。ディスプレイは、フレームに取り付けられる。ディスプレイシステムはまた、ユーザの頭部の片側から頭部の他側まで延在するように構成される、支持構造を備える。支持構造は、フレームに機械的に結合される。
【００１３】
いくつかの実施形態では、ディスプレイシステムは、ディスプレイデバイスと、１つまたはそれを上回るプロセッサと、コンピュータ記憶媒体とを備える。ディスプレイシステムは、凝視深度を判定するステップであって、凝視深度は、ユーザの眼が凝視している深度である、ステップを含む、動作を実施する。動作はまた、仮想オブジェクトがユーザの眼に提示されている、選択された深度平面の選択を調節するかどうかを判定するステップが、凝視深度が、（１）選択された深度平面によってのみ包含される、または（２）選択された深度平面および隣接する深度平面の両方によって包含される、深度平面範囲内にあるかどうかに基づいて判定されることも含む。仮想オブジェクトの提示は、選択された深度平面の選択を調節するかどうかを判定するステップにおいて行われる判定に基づいて、選択された特定の深度平面において生じる。
【００１４】
いくつかの実施形態では、ディスプレイシステムは、ディスプレイデバイスと、１つまたはそれを上回るプロセッサと、コンピュータ記憶媒体とを備える。ディスプレイシステムは、凝視深度を判定するステップであって、凝視深度は、ユーザの眼が凝視している深度である、ステップを含む、動作を実施する。仮想オブジェクがユーザに提示されるべき複数の深度平面の特定の深度平面が、判定され、判定は、凝視深度および深度平面のそれぞれによって包含される深度平面範囲に基づき、隣接する深度平面は両方とも、深度重複領域を包含する。仮想オブジェクトの提示は、特定の深度平面において生じる。
【００１５】
いくつかの実施形態では、本方法は、凝視深度を判定するステップであって、凝視深度は、ユーザの眼が凝視している深度である、ステップを含む。仮想オブジェクトがユーザの眼に提示されている選択された深度平面の選択を調節するかどうかは、凝視深度が、（１）選択された深度平面によってのみ包含される、または（２）選択された深度平面および隣接する深度平面の両方によって包含される、深度平面範囲内にあるかどうか基づいて判定される。仮想オブジェクトの提示は、選択された深度平面の選択を調節するかどうかの判定に基づいて、選択された特定の深度平面において生じる。
【００１６】
いくつかの実施形態では、ディスプレイシステムは、ディスプレイデバイスと、１つまたはそれを上回るプロセッサと、コンピュータ記憶媒体とを備える。ディスプレイシステムは、ユーザが凝視している３次元場所を示すユーザの凝視点を判定するステップを含む、動作を実施する。動作はまた、仮想オブジェクトが提示されるべき深度平面を切り替えるかどうかを判定するステップを含み、判定は、少なくとも部分的に、判定された凝視点の深度に基づく。仮想オブジェクトが提示されるべき深度平面は、切り替えられ、深度平面を切り替えるステップは、ユーザ知覚限定イベントによってトリガされる。
【００１７】
実施形態の付加的実施例が、以下に提供される。
【００１８】
実施例１：ディスプレイシステムであって、
頭部搭載型ディスプレイであって、
１つまたはそれを上回る導波管であって、各導波管は、、屈折力を有し、コンテンツを関連付けられた深度平面上に提供するように構成されており、前記１つまたはそれを上回る導波管は、光を視認者に投影し、画像コンテンツを１つまたはそれを上回る導波管の関連付けられた深度平面上に表示するように構成される、１つまたはそれを上回る導波管
を備え、深度平面のそれぞれは、光学無限遠未満にある、頭部搭載型ディスプレイ
を備える、ディスプレイシステム。
【００１９】
実施例２：深度平面のうちの最も遠いものは、光学無限遠の約０．５０ジオプタ以内にある、請求項１に記載のディスプレイシステム。
【００２０】
実施例３：深度平面のうちの最も遠いものは、光学無限遠の約０．３３ジオプタ以内にある、請求項２に記載のディスプレイシステム。
【００２１】
実施例４：深度平面のうちの最も遠いものは、光学無限遠の約０．２５ジオプタ以内にある、請求項３に記載のディスプレイシステム。
【００２２】
実施例５：深度平面は、約０．７ジオプタ以下だけ分離される、請求項１−４のいずれかに記載のディスプレイシステム。
【００２３】
実施例６：深度平面は、約０．５ジオプタ以下だけ分離される、請求項１−６のいずれかに記載のディスプレイシステム。
【００２４】
実施例７：ディスプレイは、画像情報を２つのみの深度平面上に表示するように構成され、２つの深度平面はそれぞれ、光学無限遠未満にある、請求項１−７のいずれかに記載のディスプレイシステム。
【００２５】
実施例８：ディスプレイは、画像情報を１つのみの深度平面上に表示するように構成され、１つの深度平面は、光学無限遠未満にある、請求項１に記載のディスプレイシステム。
【００２６】
実施例９：ディスプレイシステムであって、
頭部搭載型ディスプレイであって、
１つまたはそれを上回る導波管であって、各導波管は、屈折力および関連付けられた深度平面を有し、前記１つまたはそれを上回る導波管は、光を視認者に投影し、画像コンテンツを関連付けられた深度平面上に表示するように構成される、１つまたはそれを上回る導波管を備え、
深度平面のうちの最も遠いものは、光学無限遠の約０．３３ジオプタ以内にある、
頭部搭載型ディスプレイ
を備える、ディスプレイシステム。
【００２７】
実施例１０：深度平面のうちの次に最も遠いものは、深度平面のうちの最も遠いものの約０．６６ジオプタ以内にある、請求項１０に記載のディスプレイシステム。
【００２８】
実施例１１：深度平面の総数は、２つである、請求項１０−１１のいずれかに記載のディスプレイシステム。
【００２９】
実施例１２：深度平面の総数は、２つを上回り、直近深度平面間の分離は、約０．６６ジオプタ未満である、請求項１０−１２のいずれかに記載のディスプレイシステム。
【００３０】
実施例１３：深度平面の総数は、４つ未満である、請求項１０−１３のいずれかに記載のディスプレイシステム。
【００３１】
実施例１４：１つまたはそれを上回る導波管は、導波管のスタックを形成し、各導波管は、入射光を再指向し、導波管の内側の全内部反射によって伝搬させるように構成される、内部結合光学要素を備える、請求項１０−１３のいずれかに記載のディスプレイシステム。
【００３２】
実施例１５：各導波管の内部結合光学要素は、単一原色に対応する波長を有する光を選択的に再指向するように構成される、請求項１５に記載のディスプレイシステム。
【００３３】
実施例１６：上下平面図に見られるように、各導波管の内部結合光学要素は、他の導波管の内部結合光学要素から側方に離間される、請求項１５に記載のディスプレイシステム。
【００３４】
実施例１７：各導波管はさらに、各導波管内を伝搬する光を導波管から再指向するように構成される、外部結合光学要素を備える、請求項１５−１７のいずれかに記載のディスプレイシステム。
【００３５】
実施例１８：画像コンテンツを導波管の内部結合光学要素に指向するように構成される、光プロジェクタシステムをさらに備え、光プロジェクタシステムは、
光エミッタと、
空間光変調器と、
を備える、請求項１５−１８のいずれかに記載のディスプレイシステム。
【００３６】
実施例１９：各導波管は、単一深度平面のみを作成するための屈折力を有する、請求項１０−１９のいずれかに記載のディスプレイシステム。
【００３７】
実施例２０：ディスプレイシステムであって、
頭部搭載型ディスプレイであって、
導波管のスタックを形成する複数の導波管であって、各導波管は、屈折力を有し、コンテンツを関連付けられた深度平面上に提供するように構成され、導波管は、光を視認者に投影し、画像コンテンツを関連付けられた深度平面上に表示するように構成される、複数の導波管
を備え、深度平面のうちの最も遠いものは、光学無限遠の不整合公差内にあって、不整合公差は、約０．５ジオプタである、頭部搭載型ディスプレイ
を備える、ディスプレイシステム。
【００３８】
実施例２１：不整合公差は、約０．３３ジオプタである、請求項２１に記載のディスプレイシステム。
【００３９】
実施例２２：スタックの関連付けられた深度平面と最近傍の関連付けられた深度平面との間の分離は、不整合公差の約２倍またはそれ未満である、請求項２１−２２のいずれかに記載のディスプレイシステム。
【００４０】
実施例２３：深度平面の総数は、４つまたはそれ未満である、請求項２１−２３のいずれかに記載のディスプレイシステム。
【００４１】
実施例２４：深度平面の総数は、２つである、請求項２４に記載のディスプレイシステム。
【００４２】
実施例２５：画像コンテンツを頭部搭載型ディスプレイ上に表示するための方法であって、前記方法は、
画像コンテンツに関する遠近調節−輻輳・開散運動不整合が閾値を超えるかどうかを判定するステップと、
遠近調節−輻輳・開散運動不整合が閾値を超える場合、画像コンテンツを修正するステップと
を含む、方法。
【００４３】
実施例２６：遠近調節−輻輳・開散運動不整合閾値は、０．５ジオプタまたはそれ未満である、請求項２６に記載の方法。
【００４４】
実施例２７：遠近調節−輻輳・開散運動不整合閾値は、０．３３ジオプタまたはそれ未満である、請求項２７に記載の方法。
【００４５】
実施例２８：画像コンテンツを修正するステップは、画像コンテンツをフェーディングさせるステップを含む、請求項２６−２８のいずれかに記載の方法。
【００４６】
実施例２９：画像コンテンツをフェーディングさせるステップは、画像コンテンツの分解能を低減させるステップを含む、請求項２９に記載の方法。
【００４７】
実施例３０：画像コンテンツの分解能の低減は、遠近調節−輻輳・開散運動不整合の増加に伴って増加する、請求項３０に記載の方法。
【００４８】
実施例３１：画像コンテンツを修正するステップは、画像コンテンツを表示しないステップを含む、請求項２６−３１のいずれかに記載の方法。
【００４９】
実施例３２：ディスプレイシステムであって、
プロセッサと、
命令を記憶するコンピュータ記憶媒体であって、前記命令は、ディスプレイシステムによって実行されると、ディスプレイシステムに、
請求項２６−３２のいずれかに記載の方法を含む動作を実施させる、コンピュータ記憶媒体
を備える、ディスプレイシステム。
【００５０】
実施例３３：ディスプレイシステムは、画像情報を１つのみの深度平面上に表示するように構成され、１つの深度平面は、光学無限遠未満にある、請求項３３に記載のディスプレイシステム。
【００５１】
実施例３４：ディスプレイシステムは、画像情報を２つのみの深度平面上に表示するように構成され、２つの深度平面はそれぞれ、光学無限遠未満にある、請求項３３に記載のディスプレイシステム。
【００５２】
実施例３５：画像コンテンツをユーザによって装着される頭部搭載型ディスプレイ上に表示するための方法であって、前記方法は、
ユーザにおける眼精疲労の存在を判定するステップと、
眼精疲労が存在すると判定される場合、画像コンテンツを修正するステップと
を含む、方法。
【００５３】
実施例３６：眼精疲労の存在を判定するステップは、ユーザの片眼または両眼を撮像するステップを含む、請求項３６に記載の方法。
【００５４】
実施例３７：眼精疲労の存在を判定するステップは、散瞳、収斂動揺、および瞳孔動揺のうちの１つまたはそれを上回るものを検出するステップを含む、請求項３６−３７のいずれかに記載の方法。
【００５５】
実施例３８：眼精疲労の存在を判定するステップは、ガルバニック皮膚応答を測定するステップを含む、請求項３６−３８のいずれかに記載の方法。
【００５６】
実施例３９：眼精疲労の存在を判定するステップは、０．２５ジオプタを上回る遠近調節−輻輳・開散運動不整合を有する画像コンテンツへの暴露の持続時間を検出するステップを含む、請求項３６−３９のいずれかに記載の方法。
【００５７】
実施例４０：遠近調節−輻輳・開散運動不整合は、０．３３ジオプタを上回る、請求項４０に記載の方法。
【００５８】
実施例４１：遠近調節−輻輳・開散運動不整合は、０．５０ジオプタを上回る、請求項４１に記載の方法。
【００５９】
実施例４２：画像コンテンツを修正するステップは、
画像コンテンツの特徴のサイズを増加させるステップと、
画像コンテンツの分解能を低減させるステップと、
画像コンテンツを画像コンテンツのために元々規定されたものより視認者から遠い深度平面上に表示するステップと
のうちの１つまたはそれを上回るものを含む、請求項３６−４２のいずれかに記載の方法。
【００６０】
実施例４３：画像コンテンツを修正するステップは、眼精疲労の存在がユーザにおいてもはや検出されなくなるまで実施される、請求項３６−４３のいずれかに記載の方法。
【００６１】
実施例４４：画像コンテンツを修正するステップは、設定持続時間にわたって実施される、請求項３６−４４のいずれかに記載の方法。
【００６２】
実施例４５：ディスプレイシステムであって、プロセッサと、ディスプレイシステムによって実行されると、ディスプレイシステムに、請求項３６−０のいずれかに記載の方法を実施させる命令を記憶する、コンピュータ記憶媒体とを備える、ディスプレイシステム。
【００６３】
実施例４６：ディスプレイシステムは、画像情報を１つのみの深度平面上に表示するように構成され、１つの深度平面は、光学無限遠未満にある、請求項４５に記載のディスプレイシステム。
【００６４】
実施例４７：ディスプレイシステムは、画像情報を２つのみの深度平面上に表示するように構成され、２つの深度平面はそれぞれ、光学無限遠未満にある、請求項４５に記載のディスプレイシステム。
【００６５】
実施例４８：ウェアラブル頭部搭載型ディスプレイシステムであって、
ユーザによって装着されるように構成されるフレームと、
フレームに取り付けられるディスプレイと、
ユーザの頭部の片側から頭部の他側まで延在するように構成される支持構造と
を備え、支持構造は、フレームに機械的に結合される、ウェアラブル頭部搭載型ディスプレイシステム。
【００６６】
実施例４９：支持構造に取り付けられ、音をユーザの耳の中に指向するように構成される、音変換器をさらに備える、請求項４８に記載のウェアラブル頭部搭載型ディスプレイシステム。
【００６７】
実施例５０：音変換器は、スピーカである、請求項４９に記載のウェアラブル頭部搭載型ディスプレイシステム。
【００６８】
実施例５１：支持構造は、頭部の片側から頭部の他側まで延在するように構成される、バンドである、請求項４８−５０のいずれかに記載のウェアラブル頭部搭載型ディスプレイシステム。
【００６９】
実施例５２：バンドは、ユーザの眼および耳と交差する平面に対して３５°〜５５°の角度でユーザの頭部を横切る、請求項５１に記載のウェアラブル頭部搭載型ディスプレイシステム。
【００７０】
実施例５３：バンドは、ユーザの眼および耳と交差する平面に対して８０°〜１００°の角度でユーザの頭部を横切る、請求項５１に記載のウェアラブル頭部搭載型ディスプレイシステム。
【００７１】
実施例５４：ユーザの眼および第１および第２の耳と交差する平面に対するバンドの角度は、調節可能である、請求項５２−５３のいずれかに記載のウェアラブル頭部搭載型ディスプレイシステム。
【００７２】
実施例５５：
導波管であって、
入射光の性質に基づいて、入射光を導波管の中に選択的に内部結合するように構成される、内部結合光学要素と、
導波管の中に内部結合される光を外部結合することによって、光を視認者の眼に投影するように構成される、外部結合光学要素と
を備える、導波管
をさらに備える、請求項４８−５４のいずれかに記載のウェアラブル頭部搭載型ディスプレイシステム。
【００７３】
実施例５６：外部結合光学要素は、屈折力を有し、光を眼に投影し、画像コンテンツを関連付けられた深度平面上に表示するように構成され、関連付けられた深度平面は、光学無限遠未満にある、請求項５５に記載のウェアラブル頭部搭載型ディスプレイシステム。
【００７４】
実施例５７：導波管は、導波管のスタックの一部であり、導波管のスタックのうちの少なくともいくつかの導波管は、少なくともいくつかの導波管毎に、出射光の異なる発散を提供するように、異なる関連付けられた深度平面と、異なる屈折力を有する外部結合光学要素とを備える、請求項５６に記載のウェアラブル頭部搭載型ディスプレイシステム。
【００７５】
実施例５８：ディスプレイシステムであって、
仮想オブジェクトを複数の深度平面においてユーザに提示するように構成される、ディスプレイデバイスと、
１つまたはそれを上回るプロセッサと、
命令を記憶するコンピュータ記憶媒体であって、前記命令は、ディスプレイシステムによって実行されると、ディスプレイシステムに、
凝視深度を判定するステップであって、凝視深度は、ユーザの眼が凝視している深度である、ステップと、
凝視深度が、
（１）選択された深度平面によってのみ包含される、または
（２）選択された深度平面および隣接する深度平面の両方によって包含される、
深度平面範囲内にあるかどうかに基づいて、仮想オブジェクトがユーザの眼に提示されている選択された深度平面の選択を調節するかどうかを判定するステップと、
選択された深度平面の選択を調節するかどうかを判定するステップに基づいて、仮想オブジェクトの提示を選択された特定の深度平面に生じさせるステップと
を含む動作を実施させる、コンピュータ記憶媒体と
を備える、ディスプレイシステム。
【００７６】
実施例５９：凝視深度は、選択された深度平面によってのみ包含される深度平面範囲内にあり、深度平面の選択を調節するかどうかの判定は、負である、請求項５８に記載のディスプレイシステム。
【００７７】
実施例６０：凝視深度は、選択された深度平面および隣接する深度平面の両方によって包含される深度平面範囲内にあり、深度平面の選択を調節するかどうかの判定は、負である、請求項５８に記載のディスプレイシステム。
【００７８】
実施例６１：凝視深度は、
（１）選択された深度平面によってのみ包含され、
（２）選択された深度平面および隣接する深度平面の両方によって包含される、深度平面範囲の外の特定の深度平面内にあり、深度平面の選択を調節するかどうかの判定は、正である、請求項５８に記載のディスプレイシステム。
【００７９】
実施例６２：仮想オブジェクトは、特定の深度平面範囲を包含する深度平面に提示される、請求項６１に記載のディスプレイシステム。
【００８０】
実施例６３：凝視深度は、隣接する深度平面によってのみ包含される深度平面範囲内にあり、深度平面の選択を調節するかどうかの判定は、正である、請求項５８に記載のディスプレイシステム。
【００８１】
実施例６４：仮想オブジェクトは、隣接する深度平面に提示される、請求項６３に記載のディスプレイシステム。
【００８２】
実施例６５：深度平面の選択を調節することの正の判定に応答して、ユーザによる瞬目または衝動性眼球運動の実施の検出に応答して、調節された深度平面における提示をトリガする、請求項５８に記載のディスプレイシステム。
【００８３】
実施例６６：動作はさらに、
ユーザが凝視している３次元場所を示すユーザの凝視点を判定するステップであって、３次元場所は、凝視深度を示す、ステップを含む、請求項５８に記載のディスプレイシステム。
【００８４】
実施例６７：ディスプレイシステムであって、
仮想オブジェクトを複数の深度平面においてユーザに提示するように構成される、ディスプレイデバイスと、
１つまたはそれを上回るプロセッサと、
命令を記憶するコンピュータ記憶媒体であって、前記命令は、ディスプレイシステムによって実行されると、ディスプレイシステムに、
凝視深度を判定するステップであって、凝視深度は、ユーザの眼が凝視している深度である、ステップと、
仮想オブジェクトがユーザに提示されるべき複数の深度平面の特定の深度平面を判定するステップであって、判定は、凝視深度および深度平面のそれぞれによって包含される深度平面範囲に基づいており、隣接する深度平面は両方とも、深度重複領域を包含する、ステップと、
仮想オブジェクトの提示を特定の深度平面において生じさせるステップと
を含む動作を実施させる、コンピュータ記憶媒体と
を備える、ディスプレイシステム。
【００８５】
実施例６８：深度平面によって包含される深度平面範囲は、凝視されると、仮想オブジェクトの提示を深度平面において生じさせる、ユーザからの深度の範囲を示す、請求項６６に記載のディスプレイシステム。
【００８６】
実施例６９：特定の深度平面における提示は、仮想オブジェクトを、特定の深度平面の公称焦点深度と関連付けられた遠近調節キューと、仮想オブジェクトと関連付けられた場所情報に基づく輻輳・開散運動キューとともに提示するステップを含む、請求項６６に記載のディスプレイシステム。
【００８７】
実施例７０：特定の深度平面によって包含される深度平面範囲のサイズは、遠近調節−輻輳・開散運動不整合公差に基づいており、遠近調節−輻輳・開散運動不整合公差は、提示される仮想オブジェクトの輻輳・開散運動キューと関連付けられた知覚される深度と仮想オブジェクトの遠近調節キューと関連付けられた知覚される深度との間の最大差異を示す、請求項６９に記載のディスプレイシステム。
【００８８】
実施例７１：深度重複領域のサイズは、凝視深度を判定するステップと関連付けられた誤差に基づいている、請求項６６に記載のディスプレイシステム。
【００８９】
実施例７２：凝視深度は、深度が深度平面範囲内にあるように、特定の深度平面によってのみ包含される、請求項６６に記載のディスプレイシステム。
【００９０】
実施例７３：凝視深度は、特定の深度平面および隣接する深度平面によって包含される深度重複領域内にあり、特定の深度平面を判定するステップは、ユーザの以前の凝視深度に基づいている、請求項６６に記載のディスプレイシステム。
【００９１】
実施例７４：動作はさらに、
以前の凝視深度に基づいて、深度重複領域内の１つまたはそれを上回る凝視深度の凝視に先立って、ユーザが特定の深度平面によってのみ包含される凝視深度を凝視したことを識別するステップを含む、請求項７３に記載のディスプレイシステム。
【００９２】
実施例７５：動作はさらに、
深度重複領域内にあるユーザの後続凝視深度を判定するステップと、
仮想オブジェクトの提示を特定の深度平面において生じさせるステップと
を含む、請求項７３に記載のディスプレイシステム。
【００９３】
実施例７６：動作はさらに、
隣接する深度平面によって包含され、深度重複領域外にある、ユーザの後続凝視深度を判定するステップと、
仮想オブジェクトの提示を隣接する深度平面において生じさせるステップと
を含む、請求項７３に記載のディスプレイシステム。
【００９４】
実施例７７：ディスプレイシステムは、ユーザが、（１）瞬目または（２）衝動性眼球運動を実施したことを判定し、それに応答して、提示を隣接する深度平面において生じさせるように構成される、請求項７６に記載のディスプレイシステム。
【００９５】
実施例７８：少なくとも部分的に、仮想オブジェクトを複数の深度平面においてユーザに提示するように構成される、ディスプレイデバイスによって実装される方法であって、前記方法は、
凝視深度を判定するステップであって、凝視深度は、ユーザの眼が凝視している深度である、ステップと、
凝視深度が、
（１）選択された深度平面によってのみ包含される、または
（２）選択された深度平面および隣接する深度平面の両方によって包含される、
深度平面範囲内にあるかどうかに基づいて、仮想オブジェクトがユーザの眼に提示されている選択された深度平面の選択を調節するかどうかを判定するステップと、
選択された深度平面の選択を調節するかどうかの判定に基づいて、仮想オブジェクトの提示を選択された特定の深度平面において生じさせるステップと
を含む、方法。
【００９６】
実施例７９：凝視深度は、
（１）選択された深度平面によってのみ包含され、
（２）選択された深度平面および隣接する深度平面の両方によって包含される、
深度平面範囲の外の特定の深度平面内にあり、深度平面の選択を調節するかどうかの判定は、正である、請求項７８に記載の方法。
【００９７】
実施例８０：深度平面の選択を調節することの正の判定に応答して、ユーザによる瞬目または衝動性眼球運動の実施の検出に応答して、調節された深度平面における提示をトリガする、請求項７８に記載の方法。
【００９８】
実施例８１：ディスプレイシステムであって、
仮想オブジェクトを複数の深度平面においてユーザに提示するように構成される、ディスプレイデバイスと、
プロセッサと、
命令を記憶するコンピュータ記憶媒体であって、前記命令は、ディスプレイシステムによって実行されると、ディスプレイシステムに、
ユーザが凝視している３次元場所を示すユーザの凝視点を判定するステップと、
仮想オブジェクトが提示されるべき深度平面を切り替えるかどうかを判定するステップであって、判定は、少なくとも部分的に、判定された凝視点の深度に基づく、ステップと、
仮想オブジェクトが提示されるべき深度平面を切り替えるステップであって、深度平面を切り替えるステップは、ユーザ知覚限定イベントによってトリガされる、ステップと
を含む動作を実施させる、コンピュータ記憶媒体と、
を備える、ディスプレイシステム。
【００９９】
実施例８２：動作はさらに、
ユーザの眼を監視し、瞬目または衝動性眼球運動のうちの１つまたはそれを上回るものが実施されることを含む、ユーザ知覚限定イベントを検出するステップを含む、請求項８１に記載のディスプレイシステム。
【０１００】
実施例８３：ユーザの眼を監視するステップは、ユーザの瞳孔を監視するステップを含み、衝動性眼球運動を検出するステップは、瞳孔の回転速度が閾値速度を超えることに基づく、請求項８２に記載のディスプレイシステム。
【０１０１】
実施例８４：衝動性眼球運動を検出するステップはさらに、ユーザの頭部と関連付けられた移動情報に基づく、請求項８３に記載のディスプレイシステム。
【０１０２】
実施例８５：深度平面を切り替えるステップは、
ユーザによって実施されている瞬目を検出するステップと、
それに応答して、深度平面を切り替えるステップと
を含む、請求項８１に記載のディスプレイシステム。
【０１０３】
実施例８６：深度平面を切り替えるステップは、
ユーザによって実施されている衝動性眼球運動を検出するステップと、
それに応答して、深度平面を切り替えるステップと
を含む、請求項８１に記載のディスプレイシステム。
【０１０４】
実施例８７：深度平面を切り替えるステップは、
閾値時間量後、瞬目または衝動性眼球運動の実施を検出しないことに応答して、深度平面を切り替えるステップを含む、請求項８１に記載のディスプレイシステム。
【０１０５】
実施例８８：深度平面を切り替えるかどうかを判定するステップは、
判定された凝視点の深度が切り替えられた深度平面によって包含されることを判定するステップを含む、請求項８１に記載のディスプレイシステム。
【０１０６】
実施例８９：動作はさらに、
深度平面が切り替えられるべきであることを示す情報を記憶し、ユーザの眼を監視し、ユーザ知覚限定イベントを判定するステップを含む、請求項８１に記載のディスプレイシステム。
【０１０７】
実施例９０：
ディスプレイデバイスは、ディスプレイ面積を形成し、ディスプレイ面積を通して周囲環境のビューを提供する、複数のスタックされた導波管を備え、複数の導波管のうちの少なくともいくつかの導波管は、他の導波管と異なる波面発散を伴う光を出力するように構成され、各導波管は、深度平面と関連付けられ、
仮想オブジェクトを切り替えられた深度平面に提示するステップは、切り替えられた深度平面と関連付けられた導波管が、仮想オブジェクトを形成するための光を出力するステップを含む、
請求項８１に記載のディスプレイシステム。
【０１０８】
実施例９１：少なくとも部分的に、仮想オブジェクトを複数の深度平面においてユーザに提示するように構成される、ディスプレイデバイスによって実装される方法であって、前記方法は、
ユーザが凝視している３次元場所を示すユーザの凝視点を判定するステップと、
仮想オブジェクトが提示されるべき深度平面を切り替えるかどうかを判定するステップであって、判定は、少なくとも部分的に、判定された凝視点の深度に基づく、ステップと、
仮想オブジェクトが提示されるべき深度平面を切り替えるステップであって、深度平面を切り替えるステップは、ユーザ知覚限定イベントによってトリガされる、ステップと
を含む、方法。
【０１０９】
実施例９２：ユーザの眼を監視し、瞬目または衝動性眼球運動のうちの１つまたはそれを上回るものが実施されることを含むユーザ知覚限定イベントを検出するステップをさらに含む、請求項９１に記載の方法。
【０１１０】
実施例９３：ユーザの眼を監視するステップは、ユーザの瞳孔を監視するステップを含み、衝動性眼球運動を検出するステップは、瞳孔の回転速度が閾値速度を超えることに基づく、請求項９２に記載の方法。
【０１１１】
実施例９４：衝動性眼球運動を検出するステップはさらに、ユーザの頭部と関連付けられた移動情報に基づく、請求項９３に記載の方法。
【０１１２】
実施例９５：深度平面を切り替えるステップは、
ユーザによって実施されている瞬目を検出するステップと、
それに応答して、深度平面を切り替えるステップと
を含む、請求項９１に記載の方法。
【０１１３】
実施例９６：深度平面を切り替えるステップは、
ユーザによって実施されている衝動性眼球運動を検出するステップと
それに応答して、深度平面を切り替えるステップと、
を含む、請求項９１に記載の方法。
【０１１４】
実施例９７：ディスプレイシステムであって、前記ディスプレイシステムは、ディスプレイデバイスと、プロセッサと、命令を記憶するコンピュータ記憶媒体とを備え、前記命令は、プロセッサによって実行されると、ディスプレイシステムに、
ディスプレイデバイスによって、仮想コンテンツを含むフレームを複数の深度平面においてユーザに提示するステップであって、ユーザに提示されるフレーム毎に、仮想コンテンツは、ユーザ凝視情報に基づいて選択された同一深度平面に提示される、ステップと、
選択された深度平面の選択が調節されるべきであることの識別に応答して、ユーザによって実施されている瞬目または衝動性眼球運動の検出に応じて、仮想コンテンツの１つまたはそれを上回るフレームがディスプレイデバイスによって調節された深度平面に提示されるべきであることを示す情報を記憶するステップと
を含む動作を実施させる、ディスプレイシステム。
【０１１５】
実施例９８：動作はさらに、
瞬目または衝動性眼球運動の実施を検出するステップと、
判定に応答して、仮想コンテンツを調節された深度平面に提示するステップと
を含む、請求項９７に記載のディスプレイシステム。
【０１１６】
実施例９９：動作はさらに、
ユーザが閾値時間を上回る時間にわたって瞬目または衝動性眼球運動を実施しなかったことを判定するステップと、
判定に応答して、仮想コンテンツを調節された深度平面に提示するステップと
を含む、請求項９７に記載のディスプレイシステム。
【０１１７】
実施例１００：動作はさらに、
ユーザの眼を監視し、瞬目または衝動性眼球運動を検出し、監視しながら、仮想コンテンツの１つまたはそれを上回るフレームを選択された深度平面に提示するステップを含む、請求項９７に記載のディスプレイシステム。
【０１１８】
実施例１０１：瞬目または衝動性眼球運動の検出を待機しながら、ユーザが調節された深度平面と異なる特定の深度平面と関連付けられた深度を凝視していることを判定し、瞬目または衝動性眼球運動の検出に応じて、仮想コンテンツが特定の深度平面に提示されるべきことを示す情報を記憶する、請求項９７に記載のディスプレイデバイス。
【図面の簡単な説明】
【０１１９】
【図１】図１は、ＡＲデバイスを通した拡張現実（ＡＲ）のユーザのビューを図示する。
【０１２０】
【図２】図２は、ユーザのための３次元画像をシミュレートするための従来のディスプレイシステムを図示する。
【０１２１】
【図３】図３Ａ−３Ｃは、曲率半径と焦点半径との間の関係を図示する。
【０１２２】
【図４Ａ】図４Ａは、ヒト視覚系の遠近調節−輻輳・開散運動応答の表現を図示する。
【０１２３】
【図４Ｂ】図４Ｂは、一対のユーザの眼の異なる遠近調節状態および輻輳・開散運動状態の実施例を図示する。
【０１２４】
【図５】図５は、波面発散を修正することによって３次元画像をシミュレートするためのアプローチの側面を図示する。
【０１２５】
【図６】図６は、画像情報をユーザに出力するための導波管スタックの実施例を図示する。
【０１２６】
【図７】図７は、導波管によって出力された出射ビームの実施例を図示する。
【０１２７】
【図８】図８は、スタックされた導波管アセンブリの実施例を図示し、各深度平面は、複数の異なる原色を使用して形成される画像を含む。
【０１２８】
【図９Ａ】図９Ａは、それぞれ、内部結合光学要素を含む、スタックされた導波管のセットの実施例の断面側面図を図示する。
【０１２９】
【図９Ｂ】図９Ｂは、図９Ａの複数のスタックされた導波管の実施例の斜視図を図示する。
【０１３０】
【図９Ｃ】図９Ｃは、図９Ａおよび９Ｂの複数のスタックされた導波管の実施例の上下平面図を図示する。
【０１３１】
【図９Ｄ】図９Ｄは、ウェアラブルディスプレイシステムの実施例を図示する。
【０１３２】
【図１０】図１０Ａおよび１０Ｂは、それぞれ、整合された遠近調節−輻輳・開散運動距離および不整合の遠近調節−輻輳・開散運動距離の実施例を図示する。
【０１３３】
【図１１】図１１は、遠近調節−輻輳・開散運動不整合閾値を考慮した深度平面設置の実施例を図示する。
【０１３４】
【図１２】図１２は、遠近調節−輻輳・開散運動不整合閾値を考慮した深度平面設置の別の実施例を図示する。
【０１３５】
【図１３】図１３は、単一深度平面ディスプレイシステムに関する遠近調節−輻輳・開散運動不整合のプロットの実施例を図示する。
【０１３６】
【図１４】図１４は、２つの深度平面ディスプレイシステムおよび１つの深度平面ディスプレイシステムに関する遠近調節−輻輳・開散運動不整合のプロットの実施例を図示する。
【０１３７】
【図１５】図１５は、２つの深度平面ディスプレイシステムおよび１つの深度平面ディスプレイシステムに関する遠近調節−輻輳・開散運動不整合のプロットの別の実施例を図示する。
【０１３８】
【図１６】図１６は、ある凝視点を凝視しているユーザの実施例を図示する。
【０１３９】
【図１７】図１７は、隣接する深度平面間の深度重複を図示する。
【０１４０】
【図１８Ａ】図１８Ａ−１８Ｂは、ディスプレイシステムのユーザの視野の表現を図示する。
【図１８Ｂ】図１８Ａ−１８Ｂは、ディスプレイシステムのユーザの視野の表現を図示する。
【０１４１】
【図１９】図１９は、仮想コンテンツを提示するための例示的プロセスのフローチャートである。
【０１４２】
【図２０】図２０は、ユーザの知覚が限定される間のユーザへのコンテンツの提示を調節するための例示的プロセスのフローチャートである。
【０１４３】
【図２１Ａ】図２１Ａは、画像コンテンツが閾値を超える遠近調節−輻輳・開散運動不整合を提供するとき、視認者快適性を維持するための方法の実施例を図示する。
【０１４４】
【図２１Ｂ】図２１Ｂは、ユーザ眼精疲労を低減させるための方法の実施例を図示する。
【０１４５】
【図２２Ａ】図２２Ａは、支持構造を伴う、頭部搭載型ディスプレイの実施例を図示する。
【０１４６】
【図２２Ｂ】図２２Ｂは、支持構造および統合されたスピーカを伴う、頭部搭載型ディスプレイの実施例を図示する。
【０１４７】
図面は、例示的実施形態を図示するために提供され、本開示の範囲を限定することを意図するものではない。
【発明を実施するための形態】
【０１４８】
仮想および拡張ディスプレイシステムは、種々の画像コンテンツを提供し得、その充実度は、長時間にわたってシステムを装着するユーザの能力に伴って増加し得る。例えば、拡張ディスプレイシステムは、従来のディスプレイ（例えば、コンピュータモニタ、スマートフォンディスプレイ等）と、そうでなければ利用可能ではないコンテンツを提供することによって世界のユーザの知覚もまた拡張し得る単一デバイスとを置換する潜在性をもたらす。しかしながら、これらのディスプレイシステムは、嵩張り、かつ／または重くあり得、システム上に表示されるある画像コンテンツは、長期ユーザ快適性を損なわせ得る。例えば、本明細書に議論されるようないくつかのディスプレイシステムは、導波管のスタックを利用して、画像情報を多数の深度平面を横断してユーザに投影し、それによって、３次元視認体験を提供し得る。そのような導波管のスタックは、重くあり得、これは、そのようなスタックを組み込むディスプレイシステムの長期使用に望ましくない。
【０１４９】
有利には、いくつかの実施形態では、システムおよび方法が、提供され、これは、長期装着者快適性を促進し得る。いくつかの実施形態では、真実味があって、かつ快適な３次元視認体験は、画像情報を１つのみまたは２つのみの深度平面においてユーザに投影するように構成される、低減された導波管スタックを使用して提供される。いくつかの実施形態では、深度平面の数は、より多くてもよく、３つまたは４つの深度平面を含む。
【０１５０】
本明細書に説明されるように、ディスプレイシステムは、輻輳・開散運動キューおよび遠近調節キューの両方を利用して、表示されるコンテンツを奥行感とともに提示し得ることを理解されたい。輻輳・開散運動キューは、仮想オブジェクトの若干異なるビューをユーザの各眼に提示することによって生成されてもよい。遠近調節キューは、それらの若干異なるビューを形成する、光の波面発散から導出されてもよい。輻輳・開散運動キューは、眼を回転させ、例えば、眼が仮想オブジェクト上に収束する、特定の輻輳・開散運動状態をとらせる。遠近調節キューは、眼の水晶体に、仮想オブジェクトの集束された画像を眼の網膜上に提供する、特定の形状をとらせ得る。したがって、特定の輻輳・開散運動キューは、眼に特定の輻輳・開散運動状態をとらせ得、特定の遠近調節キューは、眼に特定の遠近調節状態をとらせ得る。空間内の実オブジェクトは、特定の輻輳・開散運動キューが、特定の輻輳・開散運動距離と相関され得、特定の遠近調節キューが、同様に、視認者から離れた特定の遠近調節距離と相関され得るように、視認者からの光学軸またはｚ−軸に沿ったその距離に基づいて変動する、輻輳・開散運動および遠近調節キューを提供することを理解されたい。従来、輻輳・開散運動および遠近調節キューは、視認者不快感を防止するために、相互に密接に整合するはずであると考えられていた。すなわち、仮想オブジェクトに関する輻輳・開散運動および遠近調節距離は、遠近調節−輻輳・開散運動不整合を回避するために、そうなるはずであると考えられていた。仮想オブジェクトを表示するときの遠近調節−輻輳・開散運動不整合は、仮想オブジェクトに関する輻輳・開散運動と遠近調節距離との間のジオプタの差異として定義され得る。
【０１５１】
しかしながら、ヒト視覚系は、あるレベルの遠近調節−輻輳・開散運動不整合に耐性があることが見出されている。その結果、不整合公差内では、遠近調節キューは、同一のままであり得る一方、輻輳・開散運動キューは、変動し、それによって、仮想オブジェクトの知覚される深度を変動させ得る。したがって、いくつかの実施形態では、輻輳・開散運動キューは、継続的に変動し得る一方、遠近調節キューは、離散ステップにおいて変動し、遠近調節と輻輳・開散運動との間の不整合は、不整合公差レベルを下回って維持される。遠近調節−輻輳・開散運動不整合公差の実施例は、０．５ジオプタまたはそれ未満、０．３３ジオプタまたはそれ未満、または０．２５ジオプタまたはそれ未満を含む。いくつかの実施形態では、最も遠い深度平面は、光学無限遠の遠近調節−輻輳・開散運動不整合公差内にあり得、次の最も遠い深度平面は、最も遠い深度平面の遠近調節−輻輳・開散運動不整合公差によって作り出される体積の遠近調節−輻輳・開散運動不整合公差内である等となり得る。
【０１５２】
特定の量の波面発散が、特定の深度平面と関連付けられることを理解されたい。すなわち、ディスプレイシステムによって出力された光の波面発散は、ｚ−軸に沿った特定の深度における実オブジェクトから生じる光の波面発散に対応する。その結果、波面発散および遠近調節キューを変化させることは、ディスプレイシステムが仮想オブジェクトを提示する深度平面を切り替えることを伴うと理解され得る。いくつかの実施形態では、深度平面は、遠近調節−輻輳・開散運動不整合を容認可能公差レベルを下回って維持するために切り替えられてもよい。各深度平面は、その深度平面から生じるように現れる光に関する対応する波面発散を有する、公称焦点深度を有し得る。しかしながら、遠近調節−輻輳・開散運動不整合公差に起因して、コンテンツは、輻輳・開散運動キューが、仮想オブジェクトが深度平面より視認者により近いまたはそこからより遠い知覚を提供するために利用される場合であっても、その深度平面「上」に表示され得る（すなわち、その深度平面に対応する波面発散を伴う）。特定の深度平面が利用され得る距離の外側境界は、遠近調節−輻輳・開散運動不整合によって判定され、これは、本明細書に開示されるように、ジオプタの単位で測定され得る。
【０１５３】
本明細書において可変焦点ディスプレイシステムと称される、いくつかのディスプレイシステムは、仮想コンテンツを離散深度平面に提示し得、全ての仮想コンテンツは、所与の時間に同一深度平面に提示される（例えば、１つのみの深度平面が、一度にアクティブである、または画像情報を出力する）。コンテンツを一度に１つの深度平面上に表示することは、ディスプレイシステム内の計算リソースを節約する利点を有し得る。仮想コンテンツを提示する深度平面を判定するために、可変焦点ディスプレイシステムは、例えば、ユーザの眼が凝視している標的までの距離を判定することによって、ユーザの眼が凝視している深度（本明細書では凝視深度とも称される）を判定し得る。いったん凝視深度が、判定されると、ディスプレイシステムは、コンテンツを凝視の深度に整合または対応する深度平面上に提示し得る。整合と見なされるものは、深度平面に整合する、および／またはその深度平面の遠近調節−輻輳・開散運動不整合公差内にある、凝視深度であり得る。本明細書で使用されるように、オブジェクトの深度は、光学軸またはｚ−軸に沿って測定されるようなユーザからのそのオブジェクトの距離である。
【０１５４】
凝視深度を判定する実施例として、ディスプレイシステムは、ユーザの眼の凝視点を判定してもよい。例えば、ディスプレイシステムは、ユーザの眼の配向を監視し、ユーザの眼と関連付けられた視線ベクトルを推定し、眼の個別の判定された視線が交差する、３次元場所を判定してもよい。ディスプレイシステムは、ユーザの眼が特定の３次元場所を凝視していることを判定してもよく、ディスプレイシステムは、仮想コンテンツをその３次元場所に対応する深度平面に提示してもよい。このように、ディスプレイシステムは、視認者に表示されるコンテンツがその深度平面に適切であることを確実にし得る。
【０１５５】
その結果、いくつかの実施形態では、ディスプレイシステムは、ユーザの眼を追跡し、コンテンツをユーザの眼が凝視している深度に対応する深度平面上に提供するように構成されてもよい。ユーザの眼の凝視点が変化するにつれて、ディスプレイシステムは、異なる深度平面に切り替わるように構成され得、これは、仮想オブジェクトの画像によって生じる網膜ぼけにおいて瞬間的ジャンプを生じさせ得る。典型的ユーザにとって、これは、眼が新しい深度平面によって提供される波面発散に遠近調節する間、フリッカとしてディスプレイ内に現れ、短い（例えば、１００〜３００ｍｓ）期間のぼけが続くであろう。
【０１５６】
画像コンテンツを提供する深度平面が、ユーザの眼の凝視深度に結び付けら得る場合、凝視深度を判定する際の誤差は、深度平面間の切替の際に誤差を生じさせ得る。可能性として考えられる誤差源は、例えば、ユーザの眼（例えば、配向）の監視、視線追跡、監視ハードウェアの電気、計算、および／または光学限界等と関連付けられた誤差を含む。これらの誤差源に起因して、凝視点の場所の連続判定は、その場所に関して異なる値を提供し得る。凝視深度が、２つの深度平面間の近傍にある場合、凝視点の判定された場所における任意の動揺は、深度平面間の切替の際の動揺を生じさせ得る。望ましくないことに、ディスプレイシステムは、次いで、第１の深度平面および第２の深度平面上における仮想コンテンツの提示間で交互し、各交互は、ユーザによってフリッカとして知覚される。理論によって制約されるわけではないが、本フリッカは、不快感をユーザに生じさせ、かつ視認体験におけるユーザの没入感を減少させ得る。
【０１５７】
いくつかの実施形態では、深度平面間の望ましくない切替が生じる範囲を限定するための技法が、提供される。以下に説明されるであろうように、深度重複が、第１の深度平面によって網羅または包含される深度平面範囲の一部が、第２の深度平面によって網羅または包含される深度平面範囲の一部と重複し得るように利用されてもよい。深度平面によって包含される深度範囲は、例えば、図１６−１８に関して以下に説明されるように、凝視されると、ディスプレイシステムに、仮想コンテンツを提示するためのその深度平面を選択させる、ユーザからの距離を表す。このように、ユーザの凝視点が深度において変動するが、深度重複内に位置する場合、ディスプレイシステムは、仮想コンテンツが提示される深度平面を変化させなくてもよい。したがって、ディスプレイシステムは、異なる深度平面間の不必要な切替が防止され得る。
【０１５８】
いくつかの実施形態では、深度平面は、特定の値だけ深度平面からｚ−軸上で前後に延在する深度を包含する、関連付けられた深度平面範囲を有してもよい。例えば、各深度平面範囲は、深度平面と関連付けられた公称焦点深度からより遠い特定の距離から公称焦点深度からより近い特定の距離まで延在してもよい。実施例として、特定の距離は、０．２、０．３３、または０．５ジオプタであってもよい。０．３３ジオプタの実施例に関して、１ジオプタの公称焦点深度と関連付けられた例示的深度平面のために、ディスプレイシステムは、ユーザがある３次元場所を凝視している場合、０．６６〜１．３３ジオプタのユーザの眼からの深度（例えば、ユーザの眼の射出瞳）を伴って、仮想コンテンツをその例示的深度平面に提示してもよい。いくつかの実施形態では、公称焦点深度からより遠い特定の距離は、遠近調節−輻輳・開散運動不整合公差レベル（例えば、最大不整合）を表してもよい。
【０１５９】
上記に説明されるように、隣接する深度平面範囲の部分は、両方がｚ−軸に沿ってある深度のセットを包含するように重複してもよい。いくつかの実施形態では、深度重複の範囲は、凝視点を判定することと関連付けられた誤差に基づいてもよい。各深度平面が固定深度平面範囲（例えば、遠近調節−輻輳・開散運動不整合公差に基づく）を包含する、実施形態に関して、深度重複は、重複領域を伴わない深度平面レイアウトと比較して、１つまたはそれを上回る深度平面と関連付けられた公称焦点深度の偏移を生じさせてもよい。例えば、特定の深度平面の遠位境界は、より遠い隣接する深度平面の近位境界を越えて延在するように調節されてもよい。特定の深度平面の遠位境界は、ユーザからの深度においてより遠くであるように調節されるため、固定深度平面範囲を維持するために、特定の深度平面の近位境界も同様に、深度においてさらに遠くであるように調節されてもよい。特定の深度平面の深度平面範囲によって包含される全ての深度が、特定の深度平面の公称焦点深度から遠近調節−輻輳・開散運動不整合公差未満に延在することを確実にするために、公称焦点深度も、したがって、同様に調節される。深度平面の公称焦点深度の調節は、図１８Ａ−１８Ｂに関して以下により詳細に説明される。
【０１６０】
深度平面と関連付けられた公称焦点深度の前述の調節は、いくつかの例示的ディスプレイシステムでは、仮想コンテンツがディスプレイシステムによってユーザに提示され得る、全体的深度平面範囲を低減させ得る。例えば、隣接する深度平面が、その深度平面範囲の一部に重複する、またはそれを共有するため、全ての深度平面によって包含される深度の総範囲は、深度平面間に重複が存在しない場合未満であり得る。しかしながら、深度重複は、眼の凝視点の判定の際の誤差に起因して高速切替によって生じるフリッカの発生を低減させ得るため、ユーザの視認体験は、それにもかかわらず、ディスプレイシステムから利用可能な深度の使用可能範囲がより少ない場合でも、改良され得る。
【０１６１】
加えて、ユーザが任意の深度平面によって包含される深度の範囲の外の特定の深度を凝視している場合、ディスプレイシステムは、随意に、仮想オブジェクトを特定の深度に対応する輻輳・開散運動キューとともに提示してもよい。提示と関連付けられた遠近調節キュー（例えば、公称焦点深度）は、特定の深度に最も近い深度平面に基づくであろうため、遠近調節−輻輳・開散運動不整合は、前述の不整合公差レベルを超えるであろう。上記に説明されるように、遠近調節−輻輳・開散運動不整合公差を超えると、不快感をユーザに生じさせ得るため、ディスプレイシステムは、不整合が閾値を超える（例えば、１０秒、３０秒、３分、および／またはユーザ選択可能時間量）間に仮想コンテンツが提示され得る時間量を限定してもよい。
【０１６２】
いくつかの実施形態では、ユーザの視認快適性は、切替の知覚可能性をマスクまたは別様に減少させるイベントの間、深度平面切替を実施することによって、改良され得る。例えば、ディスプレイシステムは、仮想コンテンツが現在選択されている深度平面と異なる特定の深度平面に提示されべきであることを判定してもよい（例えば、ユーザが新しい凝視点を凝視していることに起因して）。例えば、可変焦点ディスプレイシステムに関する深度平面切替は、前述のように、知覚可能フリッカを生じさせる。その結果、いくつかの実施形態では、ディスプレイシステムは、視覚系が、例えば、一時的に非活発であるイベントが生じるまで、深度平面切替を遅延させ、そのようなイベントの間に切替を実施することによって、切替をマスクしてもよい。そのようなイベントは、（１）瞬目または（２）衝動性眼球運動の実施を含んでもよい。そのようなイベントの検出に応じて、深度平面切替は、実施されてもよい。実施例として、ディスプレイシステムは、ユーザの３次元凝視点の監視に基づいて、異なる深度平面が仮想コンテンツを提示するために選択されるべきであることを判定してもよい。ディスプレイシステムは、次いで、仮想コンテンツの提示を異なる深度平面に切り替える前に、（１）ユーザが瞬目する、または（２）ユーザが衝動性眼球運動を実施するまで待機してもよい。好ましくは、切替は、瞬目または衝動性眼球運動の間に生じ、その結果、ユーザは、眼が、切替の瞬間、閉鎖または移動し得るため、切替に気付き得ない。
【０１６３】
本明細書に説明される技法を利用して、仮想コンテンツの知覚される提示品質は、改良され得る。例えば、異なる深度平面間のコンテンツを切り替えることによって生じる、フリッカ等の知覚可能視覚的アーチファクトは、特に、ディスプレイシステムが可変焦点モードで動作しているとき、低減され得る。
【０１６４】
本明細書に開示される種々の実施形態はまた、快適な視認体験をユーザに提供するための付加的システムおよび方法を提供する。例えば、本明細書に議論されるように、遠近調節−輻輳・開散運動不整合は、ユーザが耐えることが可能であると見出し得る、範囲を超え得る。いくつかの実施形態では、遠近調節−輻輳・開散運動における大きな不整合によって生じるユーザ不快感を低減させるために、ディスプレイシステムは、画像コンテンツをアクティブに監視し、コンテンツが大遠近調節−輻輳・開散運動不整合を生じさせるであろうかどうかを判定するように構成されてもよい。そのような大きな不整合の検出に応じて、画像コンテンツは、表示される前に、不整合を低減または排除するように修正されてもよい。例えば、ディスプレイシステムは、大きな不整合をもたらす画像コンテンツをフェーディングまたは表示しないように構成されてもよい。
【０１６５】
いくつかの他の実施形態では、システムは、ユーザ眼精疲労をアクティブに監視するように構成されてもよい。眼精疲労の検出に応じて、システムは、眼精疲労を低減させるように、画像コンテンツを修正するように構成されてもよい。
【０１６６】
いくつかの実施形態では、ディスプレイシステムの重量および／または平衡に関する物理的不快感は、支持構造を使用して対処されてもよく、これは、ユーザの頭部にわたって、および／またはその背後に向かって延在してもよい。支持構造は、例えば、ディスプレイを引き上げる（例えば、デバイスの鼻パッドにかかる圧力を低減させる）力を提供し、および／またはユーザの頭部の正面および背面の両方上のディスプレイの重量に対抗する、バンドであってもよい。
【０１６７】
ディスプレイシステムは、拡張現実ディスプレイシステムまたは仮想現実ディスプレイシステムの一部であってもよいことを理解されたい。一実施例として、ディスプレイシステムは、透過性であってもよく、ユーザが、画像、ビデオ、相互作用等の形態で仮想コンテンツをユーザに提供しながら、実世界を視認することを可能にしてもよい。別の実施例として、ディスプレイシステムは、ユーザの実世界のビューをブロックしてもよく、仮想現実画像、ビデオ、相互作用等が、ユーザに提示されてもよい。
【０１６８】
ここで、図を参照するが、同様の参照番号は、全体を通して同様の部分を指す。
例示的ディスプレイシステム
【０１６９】
図２は、ユーザのための３次元画像をシミュレートするための従来のディスプレイシステムを図示する。ユーザの眼は、離間されており、空間内の実オブジェクトを見ているとき、各眼は、オブジェクトの若干異なるビューを有し、オブジェクトの画像を各眼の網膜上の異なる場所に形成し得ることを理解されたい。これは、両眼視差と称され得、ヒト視覚系によって、深度の知覚を提供するために利用され得る。従来のディスプレイシステムは、仮想オブジェクトが所望の深度における実オブジェクトであるように各眼によって見えるであろう仮想オブジェクトのビューに対応する、眼２１０、２２０毎に１つの同一仮想オブジェクトの若干異なるビューを伴う２つの明確に異なる画像１９０、２００を提示することによって、両眼視差をシミュレートする。これらの画像は、ユーザの視覚系が深度の知覚を導出するために解釈し得る、両眼キューを提供する。
【０１７０】
図２を継続して参照すると、画像１９０、２００は、ｚ−軸上で距離２３０だけ眼２１０、２２０から離間される。ｚ−軸は、その眼が視認者の真ん前の光学無限遠におけるオブジェクトを凝視している状態の視認者の光学軸と平行である。画像１９０、２００は、平坦であって、眼２１０、２２０から固定距離にある。それぞれ、眼２１０、２２０に提示される画像内の仮想オブジェクトの若干異なるビューに基づいて、眼は、必然的に、オブジェクトの画像が眼のそれぞれの網膜上の対応する点に来て、単一両眼視を維持するように回転し得る。本回転は、眼２１０、２２０のそれぞれの視線を仮想オブジェクトが存在するように知覚される空間内の点上に収束させ得る。その結果、３次元画像の提供は、従来、ユーザの眼２１０、２２０の輻輳・開散運動を操作し得、ヒト視覚系が深度の知覚を提供するように解釈する、両眼キューを提供することを伴う。
【０１７１】
しかしながら、深度の現実的かつ快適な知覚の生成は、困難である。眼からの異なる距離におけるオブジェクトからの光は、異なる発散量を伴う波面を有することを理解されたい。図３Ａ−３Ｃは、距離と光線の発散との間の関係を図示する。オブジェクトと眼２１０との間の距離は、減少距離Ｒ１、Ｒ２、およびＲ３の順序で表される。図３Ａ−３Ｃに示されるように、光線は、オブジェクトまでの距離が減少するにつれてより発散する。逆に言えば、距離が増加するにつれて、光線は、よりコリメートされる。換言すると、点（オブジェクトまたはオブジェクトの一部）によって生成されるライトフィールドは、点がユーザの眼から離れている距離の関数である、球状波面曲率を有すると言え得る。曲率は、オブジェクトと眼２１０との間の減少距離に伴って増加する。単眼２１０のみが、例証を明確にするために、図３Ａ−３Ｃおよび本明細書の種々の他の図に図示されるが、眼２１０に関する議論は、視認者の両眼２１０および２２０に適用され得る。
【０１７２】
図３Ａ−３Ｃを継続して参照すると、視認者の眼が凝視しているオブジェクトからの光は、異なる波面発散度を有し得る。異なる波面発散量に起因して、光は、眼の水晶体によって異なるように集束され得、これは、ひいては、水晶体に、異なる形状をとり、集束された画像を眼の網膜上に形成することを要求し得る。集束された画像が、網膜上に形成されない場合、結果として生じる網膜ぼけは、集束された画像が網膜上に形成されるまで、眼の水晶体の形状に変化を生じさせる、遠近調節のためのキューとして作用する。例えば、遠近調節のためのキューは、眼の水晶体を囲繞する毛様筋の弛緩または収縮をトリガし、それによって、レンズを保持する提靱帯に印加される力を変調し、したがって、網膜ぼけが排除または最小限にされるまで、眼の水晶体の形状を変化させ、それによって、凝視されているオブジェクトの集束された画像を眼の網膜／中心窩上に形成し得る。眼の水晶体が形状を変化させるプロセスは、遠近調節と称され得、凝視されているオブジェクトの集束された画像を眼の網膜／中心窩上に形成するために要求される眼の水晶体の形状は、遠近調節状態と称され得る。
【０１７３】
ここで図４Ａを参照すると、ヒト視覚系の遠近調節−輻輳・開散運動応答の表現が、図示される。オブジェクトを凝視するための眼の移動は、眼にオブジェクトからの光を受信させ、光は、画像を眼の網膜のそれぞれ上に形成する。網膜上に形成される画像内の網膜ぼけの存在は、遠近調節のためのキューを提供し得、網膜上の画像の相対的場所は、輻輳・開散運動のためのキューを提供し得る。遠近調節するためのキューは、遠近調節を生じさせ、眼の水晶体がオブジェクトの集束された画像を眼の網膜／中心窩上に形成する特定の遠近調節状態をとる結果をもたらす。一方、輻輳・開散運動のためのキューは、各眼の各網膜上に形成される画像が単一両眼視を維持する対応する網膜点にあるように、輻輳・開散運動による移動（眼の回転）を生じさせる。これらの位置では、眼は、特定の輻輳・開散運動状態をとっていると言え得る。図４Ａを継続して参照すると、遠近調節は、眼が特定の遠近調節状態を達成するプロセスであると理解され得、輻輳・開散運動は、眼が特定の輻輳・開散運動状態を達成するプロセスであると理解され得る。図４Ａに示されるように、眼の遠近調節および輻輳・開散運動状態は、ユーザが別のオブジェクトを凝視する場合、変化し得る。例えば、遠近調節された状態は、ユーザがｚ−軸上の異なる深度における新しいオブジェクトを凝視する場合、変化し得る。
【０１７４】
理論によって限定されるわけではないが、オブジェクトの視認者は、輻輳・開散運動および遠近調節の組み合わせに起因して、オブジェクトを「３次元」であると知覚し得ると考えられる。前述のように、２つの眼の相互に対する輻輳・開散運動による移動（例えば、瞳孔が相互に向かって、またはそこから移動し、眼の視線を収束させ、オブジェクトを凝視するような眼の回転）は、眼の水晶体の遠近調節と密接に関連付けられる。通常条件下では、眼の水晶体の形状を変化させ、１つのオブジェクトから異なる距離における別のオブジェクトに焦点を変化させることは、自動的に、「遠近調節−輻輳・開散運動反射」として知られる関係下、同一距離まで輻輳・開散運動における整合する変化を生じさせるであろう。同様に、輻輳・開散運動における変化は、通常条件下、水晶体形状における整合する変化をトリガするであろう。
【０１７５】
ここで図４Ｂを参照すると、眼の異なる遠近調節および輻輳・開散運動状態の実施例が、図示される。対の眼２２２ａは、光学無限遠におけるオブジェクトを凝視する一方、対の眼２２２ｂは、光学無限遠未満におけるオブジェクト２２１を凝視する。着目すべきこととして、各対の眼の輻輳・開散運動状態は、異なり、対の眼２２２ａは、まっすぐ指向される一方、対の眼２２２は、オブジェクト２２１上に収束する。各対の眼２２２ａおよび２２２ｂを形成する眼の遠近調節状態もまた、水晶体２１０ａ、２２０ａの異なる形状によって表されるように異なる。
【０１７６】
望ましくないことに、従来の「３−Ｄ」ディスプレイシステムの多くのユーザは、これらのディスプレイにおける遠近調節と輻輳・開散運動状態との間の不整合に起因して、そのような従来のシステムを不快であると見出す、または奥行感を全く知覚しない場合がある。前述のように、多くの立体視または「３−Ｄ」ディスプレイシステムは、若干異なる画像を各眼に提供することによって、場面を表示する。そのようなシステムは、それらが、とりわけ、単に、場面の異なる提示を提供し、眼の輻輳・開散運動状態に変化を生じさせるが、それらの眼の遠近調節状態に対応する変化を伴わないため、多くの視認者にとって不快である。むしろ、画像は、眼が全ての画像情報を単一遠近調節状態において視認するように、ディスプレイによって眼から固定距離に示される。そのような配列は、遠近調節状態における整合する変化を伴わずに輻輳・開散運動状態に変化を生じさせることによって、「遠近調節−輻輳・開散運動反射」に逆らう。本不整合は、視認者不快感を生じさせると考えられる。遠近調節と輻輳・開散運動との間のより良好な整合を提供する、ディスプレイシステムは、３次元画像のより現実的かつ快適なシミュレーションを形成し得る。
【０１７７】
理論によって限定されるわけではないが、ヒトの眼は、典型的には、有限数の深度平面を解釈し、深度知覚を提供することができると考えられる。その結果、知覚された深度の高度に真実味のあるシミュレーションが、眼にこれらの限定数の深度平面のそれぞれに対応する画像の異なる提示を提供することによって達成され得る。いくつかの実施形態では、異なる提示は、輻輳・開散運動のためのキューおよび遠近調節するための整合するキューの両方を提供し、それによって、生理学的に正しい遠近調節−輻輳・開散運動整合を提供してもよい。
【０１７８】
図４Ｂを継続して参照すると、眼２１０、２２０からの空間内の異なる距離に対応する、２つの深度平面２４０が、図示される。所与の深度平面２４０に関して、輻輳・開散運動キューが、眼２１０、２２０毎に適切に異なる視点の画像を表示することによって提供されてもよい。加えて、所与の深度平面２４０に関して、各眼２１０、２２０に提供される画像を形成する光は、その深度平面２４０の距離におけるある点によって生成されたライトフィールドに対応する波面発散を有してもよい。
【０１７９】
図示される実施形態では、点２２１を含有する、深度平面２４０のｚ−軸に沿った距離は、１ｍである。本明細書で使用されるように、ｚ−軸に沿った距離または深度は、ユーザの眼の射出瞳に位置するゼロ点を用いて測定されてもよい。したがって１ｍの深度に位置する深度平面２４０は、それらの眼の光学軸上のユーザの眼の射出瞳から１ｍ離れた距離に対応する。近似値として、ｚ−軸に沿った深度または距離は、ユーザの眼の正面のディスプレイ（例えば、導波管の表面）から測定され、デバイスとユーザの眼の射出瞳との間の距離に関する値が加えられてもよい。その値は、瞳距離と呼ばれ、ユーザの眼の射出瞳と眼の正面のユーザによって装着されるディスプレイとの間の距離に対応し得る。実際は、瞳距離に関する値は、概して、全ての視認者に関して使用される、正規化された値であってもよい。例えば、瞳距離は、２０ｍｍであると仮定され得、１ｍの深度における深度平面は、ディスプレイの正面の９８０ｍｍの距離にあり得る。
【０１８０】
図５は、波面発散を修正することによって、３次元画像をシミュレートするためのアプローチの側面を図示する。ディスプレイシステムは、画像情報でエンコードされた光７７０を受信し、その光をユーザの眼２１０に出力するように構成される、導波管２７０を含む。導波管２７０は、所望の深度平面２４０上のある点によって生成されたライトフィールドの波面発散に対応する定義された波面発散量を伴って光６５０を出力してもよい。いくつかの実施形態では、同一量の波面発散が、その深度平面上に提示される全てのオブジェクトのために提供される。加えて、ユーザの他方の眼は、類似導波管からの画像情報を提供され得るように図示されるであろう。
【０１８１】
いくつかの実施形態では、単一導波管が、単一または限定数の深度平面に対応する設定された波面発散量を伴う光を出力するように構成されてもよく、および／または導波管は、限定された範囲の波長の光を出力するように構成されてもよい。その結果、いくつかの実施形態では、複数またはスタックの導波管が、異なる深度平面のための異なる波面発散量を提供し、および／または異なる範囲の波長の光を出力するために利用されてもよい。
【０１８２】
図６は、画像情報をユーザに出力するための導波管スタックの実施例を図示する。ディスプレイシステム２５０は、複数の導波管２７０、２８０、２９０、３００、３１０を使用して３次元知覚を眼／脳に提供するために利用され得る、導波管のスタックまたはスタックされた導波管アセンブリ２６０を含む。ディスプレイシステム２５０は、いくつかの実施形態では、ライトフィールドディスプレイと見なされてもよいことを理解されたい。加えて、導波管アセンブリ２６０はまた、接眼レンズとも称され得る。
【０１８３】
いくつかの実施形態では、ディスプレイシステム２５０は、輻輳・開散運動するための実質的に連続的なキューおよび遠近調節するための複数の離散キューを提供するように構成されてもよい。輻輳・開散運動のためのキューは、異なる画像をユーザの眼のそれぞれに表示することによって提供されてもよく、遠近調節のためのキューは、離散量の波面発散を伴う画像を形成する光を出力することによって提供されてもよい。いくつかの実施形態では、波面発散の各離散レベルは、特定の深度平面に対応し、導波管２７０、２８０、２９０、３００、３１０のうちの特定の１つによって提供されてもよい。
【０１８４】
図６を継続して参照すると、導波管アセンブリ２６０はまた、複数の特徴３２０、３３０、３４０、３５０を導波管間に含んでもよい。いくつかの実施形態では、特徴３２０、３３０、３４０、３５０は、１つまたはそれを上回るレンズであってもよい。導波管２７０、２８０、２９０、３００、３１０および／または複数のレンズ３２０、３３０、３４０、３５０は、種々のレベルの波面曲率または光線発散を用いて画像情報を眼に送信するように構成されてもよい。各導波管レベルは、特定の深度平面と関連付けられてもよく、その深度平面に対応する画像情報を出力するように構成されてもよい。画像投入デバイス３６０、３７０、３８０、３９０、４００は、導波管のための光源として機能してもよく、画像情報を導波管２７０、２８０、２９０、３００、３１０の中に投入するために利用されてもよく、それぞれ、本明細書に説明されるように、眼２１０に向かって出力のために各個別の導波管を横断して入射光を分散させるように構成されてもよい。光は、画像投入デバイス３６０、３７０、３８０、３９０、４００の出力表面４１０、４２０、４３０、４４０、４５０から出射し、導波管２７０、２８０、２９０、３００、３１０の対応する入力表面４６０、４７０、４８０、４９０、５００の中に投入される。いくつかの実施形態では、入力表面４６０、４７０、４８０、４９０、５００はそれぞれ、対応する導波管の縁であってもよい、または対応する導波管の主要表面の一部（すなわち、世界５１０または視認者の眼２１０に直接面する導波管表面のうちの１つ）であってもよい。いくつかの実施形態では、光の単一ビーム（例えば、コリメートされたビーム）が、各導波管の中に投入され、クローン化されたコリメートビームの全体場を出力してもよく、これは、特定の導波管と関連付けられた深度平面に対応する特定の角度（および発散量）において眼２１０に向かって指向される。いくつかの実施形態では、画像投入デバイス３６０、３７０、３８０、３９０、４００のうちの単一の１つは、複数（例えば、３つ）の導波管２７０、２８０、２９０、３００、３１０と関連付けられ、その中に光を投入してもよい。
【０１８５】
いくつかの実施形態では、画像投入デバイス３６０、３７０、３８０、３９０、４００はそれぞれ、それぞれ対応する導波管２７０、２８０、２９０、３００、３１０の中への投入のために画像情報を生成する、離散ディスプレイである。いくつかの他の実施形態では、画像投入デバイス３６０、３７０、３８０、３９０、４００は、例えば、画像情報を１つまたはそれを上回る光学導管（光ファイバケーブル等）を介して画像投入デバイス３６０、３７０、３８０、３９０、４００のそれぞれに送り得る、単一の多重化されたディスプレイの出力端である。画像投入デバイス３６０、３７０、３８０、３９０、４００によって提供される画像情報は、異なる波長または色（例えば、本明細書に議論されるように、異なる原色）の光を含んでもよいことを理解されたい。
【０１８６】
いくつかの実施形態では、導波管２７０、２８０、２９０、３００、３１０の中に投入される光は、光プロジェクタシステム５２０によって提供され、これは、光モジュール５３０を備え、これは、発光ダイオード（ＬＥＤ）等の光エミッタを含んでもよい。光モジュール５３０からの光は、ビームスプリッタ５５０を介して、光変調器５４０、例えば、空間光変調器によって指向および修正されてもよい。光変調器５４０は、導波管２７０、２８０、２９０、３００、３１０の中に投入される光の知覚される強度を変化させ、光を画像情報でエンコードするように構成されてもよい。空間光変調器の実施例は、液晶ディスプレイ（ＬＣＤ）を含み、シリコン上液晶（ＬＣＯＳ）ディスプレイを含む。画像投入デバイス３６０、３７０、３８０、３９０、４００は、図式的に図示され、いくつかの実施形態では、これらの画像投入デバイスは、光を導波管２７０、２８０、２９０、３００、３１０の関連付けられたものの中に出力するように構成される、共通投影システム内の異なる光経路および場所を表し得ることを理解されたい。いくつかの実施形態では、導波管アセンブリ２６０の導波管は、導波管の中に投入された光をユーザの眼に中継しながら、理想的レンズとして機能し得る。本概念では、オブジェクトは、空間光変調器５４０であってもよく、画像は、深度平面上の画像であってもよい。
【０１８７】
いくつかの実施形態では、ディスプレイシステム２５０は、光を種々のパターン（例えば、ラスタ走査、螺旋走査、リサジューパターン等）で１つまたはそれを上回る導波管２７０、２８０、２９０、３００、３１０の中に、最終的には、視認者の眼２１０に投影するように構成される、１つまたはそれを上回る走査ファイバを備える、走査ファイバディスプレイであってもよい。いくつかの実施形態では、図示される画像投入デバイス３６０、３７０、３８０、３９０、４００は、光を１つまたは複数の導波管２７０、２８０、２９０、３００、３１０の中に投入するように構成される、単一走査ファイバまたは走査ファイバの束を図式的に表し得る。いくつかの他の実施形態では、図示される画像投入デバイス３６０、３７０、３８０、３９０、４００は、複数の走査ファイバまたは走査ファイバの複数の束を図式的に表し得、それぞれ、光を導波管２７０、２８０、２９０、３００、３１０のうちの関連付けられた１つの中に投入するように構成される。１つまたはそれを上回る光ファイバは、光を光モジュール５３０から１つまたはそれを上回る導波管２７０、２８０、２９０、３００、３１０に伝送するように構成されてもよいことを理解されたい。１つまたはそれを上回る介在光学構造が、走査ファイバまたは複数のファイバと、１つまたはそれを上回る導波管２７０、２８０、２９０、３００、３１０との間に提供され、例えば、走査ファイバから出射する光を１つまたはそれを上回る導波管２７０、２８０、２９０、３００、３１０の中に再指向してもよいことを理解されたい。
【０１８８】
コントローラ５６０は、画像投入デバイス３６０、３７０、３８０、３９０、４００、光源５３０、および光モジュール５４０の動作を含む、スタックされた導波管アセンブリ２６０のうちの１つまたはそれを上回るものの動作を制御する。いくつかの実施形態では、コントローラ５６０は、ローカルデータ処理モジュール１４０の一部である。コントローラ５６０は、例えば、本明細書に開示される種々のスキームのいずれかに従って、導波管２７０、２８０、２９０、３００、３１０への画像情報のタイミングおよびプロビジョニングを調整する、プログラミング（例えば、非一過性媒体内の命令）を含む。いくつかの実施形態では、コントローラは、単一一体型デバイスまたは有線または無線通信チャネルによって接続される分散型システムであってもよい。コントローラ５６０は、いくつかの実施形態では、処理モジュール１４０または１５０（図９Ｄ）の一部であってもよい。
【０１８９】
図６を継続して参照すると、導波管２７０、２８０、２９０、３００、３１０は、全内部反射（ＴＩＲ）によって各個別の導波管内で光を伝搬するように構成されてもよい。導波管２７０、２８０、２９０、３００、３１０はそれぞれ、主要な上部および底部表面およびそれらの主要上部表面と底部表面との間に延在する縁を伴う、平面状であるかまたは別の形状（例えば、湾曲）を有してもよい。図示される構成では、導波管２７０、２８０、２９０、３００、３１０はそれぞれ、各個別の導波管内で伝搬する光を導波管から再指向し、画像情報を眼２１０に出力することによって、光を導波管から抽出するように構成される、外部結合光学要素５７０、５８０、５９０、６００、６１０を含んでもよい。抽出された光はまた、外部結合光と称され得、外部結合光学要素はまた、光抽出光学要素と称され得る。抽出された光のビームは、導波管によって、導波管内を伝搬する光が光抽出光学要素に衝打する場所において出力され得る。外部結合光学要素５７０、５８０、５９０、６００、６１０は、例えば、本明細書にさらに議論されるような回折光学特徴を含む、格子であってもよい。説明の容易性および図面の明確性のために、導波管２７０、２８０、２９０、３００、３１０の底部主要表面に配置されて図示されるが、いくつかの実施形態では、外部結合光学要素５７０、５８０、５９０、６００、６１０は、本明細書にさらに議論されるように、上部および／または底部主要表面に配置されてもよい、および／または導波管２７０、２８０、２９０、３００、３１０の体積内に直接配置されてもよい。いくつかの実施形態では、外部結合光学要素５７０、５８０、５９０、６００、６１０は、透明基板に取り付けられ、導波管２７０、２８０、２９０、３００、３１０を形成する、材料の層内に形成されてもよい。いくつかの他の実施形態では、導波管２７０、２８０、２９０、３００、３１０は、材料のモノリシック部品であってもよく、外部結合光学要素５７０、５８０、５９０、６００、６１０は、材料のその部品の表面上および／またはその内部に形成されてもよい。
【０１９０】
図６を継続して参照すると、本明細書に議論されるように、各導波管２７０、２８０、２９０、３００、３１０は、光を出力し、特定の深度平面に対応する画像を形成するように構成される。例えば、眼の最近傍の導波管２７０は、眼２１０にコリメートされた光（そのような導波管２７０の中に投入された）を送達するように構成されてもよい。コリメートされた光は、光学無限遠焦点面を表し得る。次の上方の導波管２８０は、眼２１０に到達し得る前に、第１のレンズ３５０（例えば、負のレンズ）を通して通過する、コリメートされた光を送出するように構成されてもよい。そのような第１のレンズ３５０は、眼／脳が、その次の上方の導波管２８０から生じる光を光学無限遠から眼２１０に向かって内向きにより近い第１の焦点面から生じるように解釈するように、若干の凸面波面曲率を生成するように構成されてもよい。同様に、第３の上方の導波管２９０は、眼２１０に到達する前に、その出力光を第１のレンズ３５０および第２の３４０レンズの両方を通して通過させる。第１のレンズ３５０および第２の３４０レンズの組み合わせられた屈折力は、眼／脳が、第３の導波管２９０から生じる光が次の上方の導波管２８０からの光であったよりも光学無限遠から人物に向かって内向きにさらに近い第２の焦点面から生じるように解釈するように、別の漸増量の波面曲率を生成するように構成されてもよい。
【０１９１】
他の導波管層３００、３１０およびレンズ３３０、３２０も同様に構成され、スタック内の最高導波管３１０は、人物に最も近い焦点面を表す集約焦点力のために、その出力をそれと眼との間のレンズの全てを通して送出する。スタックされた導波管アセンブリ２６０の他側の世界５１０から生じる光を視認／解釈するとき、レンズ３２０、３３０、３４０、３５０のスタックを補償するために、補償レンズ層６２０が、スタックの上部に配置され、下方のレンズスタック３２０、３３０、３４０、３５０の集約力を補償してもよい。そのような構成は、利用可能な導波管／レンズ対と同じ数の知覚される焦点面を提供する。導波管の外部結合光学要素およびレンズの集束側面は両方とも、静的であってもよい（すなわち、動的または電気活性ではない）。いくつかの代替実施形態では、一方または両方とも、電気活性特徴を使用して動的であってもよい。
【０１９２】
いくつかの実施形態では、導波管２７０、２８０、２９０、３００、３１０のうちの２つまたはそれを上回るものは、同一の関連付けられた深度平面を有してもよい。例えば、複数の導波管２７０、２８０、２９０、３００、３１０が、同一深度平面に設定される画像を出力するように構成されてもよい、または導波管２７０、２８０、２９０、３００、３１０の複数のサブセットが、深度平面毎に１つのセットを伴う、同一の複数の深度平面に設定される画像を出力するように構成されてもよい。これは、それらの深度平面において拡張された視野を提供するようにタイリングされた画像を形成する利点を提供し得る。
【０１９３】
図６を継続して参照すると、外部結合光学要素５７０、５８０、５９０、６００、６１０は、導波管と関連付けられた特定の深度平面のために、光をその個別の導波管から再指向し、かつ本光を適切な量の発散またはコリメーションを伴って出力するように構成されてもよい。その結果、異なる関連付けられた深度平面を有する導波管は、外部結合光学要素５７０、５８０、５９０、６００、６１０の異なる構成を有してもよく、これは、関連付けられた深度平面に応じて、異なる量の発散を伴う光を出力する。いくつかの実施形態では、光抽出光学要素５７０、５８０、５９０、６００、６１０は、体積または表面特徴であってもよく、これは、具体的角度において光を出力するように構成されてもよい。例えば、光抽出光学要素５７０、５８０、５９０、６００、６１０は、体積ホログラム、表面ホログラム、および／または回折格子であってもよい。いくつかの実施形態では、特徴３２０、３３０、３４０、３５０は、レンズではなくてもよい。むしろ、それらは、単に、スペーサ（例えば、クラッディング層および／または空隙を形成するための構造）であってもよい。
【０１９４】
いくつかの実施形態では、外部結合光学要素５７０、５８０、５９０、６００、６１０は、回折パターンまたは「回折光学要素」（また、本明細書では、「ＤＯＥ」とも称される）を形成する、回折特徴である。好ましくは、ＤＯＥは、ビームの光の一部のみがＤＯＥの各交差点を用いて眼２１０に向かって偏向される一方、残りがＴＩＲを介して導波管を通して移動し続けるように、十分に低い回折効率を有する。画像情報を搬送する光は、したがって、様々な場所において導波管から出射するいくつかの関連出射ビームに分割され、その結果、導波管内でバウンスする本特定のコリメートされたビームに関して、眼２１０に向かって非常に均一なパターンの出射放出となる。
【０１９５】
いくつかの実施形態では、１つまたはそれを上回るＤＯＥは、能動的に回折する「オン」状態と有意に回折しない「オフ」状態との間で切替可能であってもよい。例えば、切替可能なＤＯＥは、ポリマー分散液晶の層を備えてもよく、その中で微小液滴は、ホスト媒体中に回折パターンを備え、微小液滴の屈折率は、ホスト材料の屈折率に実質的に整合するように切り替えられてもよい（その場合、パターンは、入射光を著しく回折させない）、または微小液滴は、ホスト媒体のものに整合しない屈折率に切り替えられてもよい（その場合、パターンは、入射光を能動的に回折させる）。
【０１９６】
いくつかの実施形態では、カメラアセンブリ６３０（例えば、可視光および赤外線光カメラを含む、デジタルカメラ）が、眼２１０および／または眼２１０の周囲の組織の画像を捕捉し、例えば、ユーザ入力を検出する、および／またはユーザの生理学的状態を監視するために提供されてもよい。本明細書で使用されるように、カメラは、任意の画像捕捉デバイスであってもよい。いくつかの実施形態では、カメラアセンブリ６３０は、画像捕捉デバイスと、光（例えば、赤外線光）を眼に投影する光源であって、該光が、次いで、眼によって反射され、画像捕捉デバイスによって検出され得る、光源とを含んでもよい。いくつかの実施形態では、カメラアセンブリ６３０は、フレーム８０（図９Ｄ）に取り付けられてもよく、カメラアセンブリ６３０からの画像情報を処理し得る、処理モジュール１４０および／または１５０と電気通信してもよい。いくつかの実施形態では、１つのカメラアセンブリ６３０が、眼毎に利用され、各眼を別個に監視してもよい。
【０１９７】
ここで図７を参照すると、導波管によって出力された出射ビームの実施例が、示される。１つの導波管が図示されるが、導波管アセンブリ２６０（図６）内の他の導波管も同様に機能し得、導波管アセンブリ２６０は、複数の導波管を含むことを理解されたい。光６４０が、導波管２７０の入力表面４６０において導波管２７０の中に投入され、ＴＩＲによって導波管２７０内を伝搬する。光６４０がＤＯＥ５７０上に衝突する点では、光の一部は、導波管から出射ビーム６５０として出射する。出射ビーム６５０は、略平行として図示されるが、本明細書に議論されるように、また、導波管２７０と関連付けられた深度平面に応じて、ある角度（例えば、発散出射ビームを形成する）において眼２１０に伝搬するように再指向されてもよい。略平行出射ビームは、眼２１０からの遠距離（例えば、光学無限遠）における深度平面に設定されるように現れる画像を形成するように光を外部結合する、外部結合光学要素を伴う導波管を示し得ることを理解されたい。他の導波管または他の外部結合光学要素のセットは、より発散する、出射ビームパターンを出力してもよく、これは、眼２１０がより近い距離に遠近調節し、網膜に合焦させることを要求し、光学無限遠より眼２１０に近い距離からの光として脳によって解釈されるであろう。
【０１９８】
いくつかの実施形態では、フルカラー画像が、原色、例えば、３つまたはそれを上回る原色のそれぞれにおける画像をオーバーレイすることによって、各深度平面において形成されてもよい。図８は、スタックされた導波管アセンブリの実施例を図示し、各深度平面は、複数の異なる原色を使用して形成される画像を含む。図示される実施形態は、深度平面２４０ａ−２４０ｆを示すが、より多いまたはより少ない深度もまた、検討される。各深度平面は、第１の色Ｇの第１の画像、第２の色Ｒの第２の画像、および第３の色Ｂの第３の画像を含む、それと関連付けられた３つまたはそれを上回る原色画像を有してもよい。異なる深度平面は、文字Ｇ、Ｒ、およびＢに続くジオプタ（ｄｐｔ）に関する異なる数字によって図に示される。単なる実施例として、これらの文字のそれぞれに続く数字は、ジオプタ（１／ｍ）、すなわち、視認者からの深度平面の逆距離を示し、図中の各ボックスは、個々の原色画像を表す。いくつかの実施形態では、異なる波長の光の眼の集束における差異を考慮するために、異なる原色に関する深度平面の正確な場所は、変動してもよい。例えば、所与の深度平面に関する異なる原色画像は、ユーザからの異なる距離に対応する深度平面上に設置されてもよい。そのような配列は、視力およびユーザ快適性を増加させ得、および／または色収差を減少させ得る。
【０１９９】
いくつかの実施形態では、各原色の光は、単一の専用導波管によって出力されてもよく、その結果、各深度平面は、それと関連付けられた複数の導波管を有してもよい。そのような実施形態では、文字Ｇ、Ｒ、またはＢを含む、図中の各ボックスは、個々の導波管を表すものと理解され得、３つの導波管は、深度平面毎に提供されてもよく、３つの原色画像が、深度平面毎に提供される。各深度平面と関連付けられた導波管は、本図面では、説明を容易にするために相互に隣接して示されるが、物理的デバイスでは、導波管は全て、レベル毎に１つの導波管を伴うスタックで配列されてもよいことを理解されたい。いくつかの他の実施形態では、複数の原色が、例えば、単一導波管のみが深度平面毎に提供され得るように、同一導波管によって出力されてもよい。
【０２００】
図８を継続して参照すると、いくつかの実施形態では、Ｇは、緑色であって、Ｒは、赤色であって、Ｂは、青色である。いくつかの他の実施形態では、マゼンタ色およびシアン色を含む、光の他の波長と関連付けられた他の色も、赤色、緑色、または青色のうちの１つまたはそれを上回るものに加えて使用されてもよい、またはそれらに取って代わってもよい。
【０２０１】
本開示全体を通した所与の光の色の言及は、その所与の色として視認者によって知覚される、光の波長の範囲内の１つまたはそれを上回る波長の光を包含するものと理解されると理解されたい。例えば、赤色光は、約６２０〜７８０ｎｍの範囲内である１つまたはそれを上回る波長の光を含んでもよく、緑色光は、約４９２〜５７７ｎｍの範囲内である１つまたはそれを上回る波長の光を含んでもよく、青色光は、約４３５〜４９３ｎｍの範囲内である１つまたはそれを上回る波長の光を含んでもよい。
【０２０２】
いくつかの実施形態では、光源５３０（図６）は、視認者の視覚的知覚範囲の外の１つまたはそれを上回る波長、例えば、赤外線および／または紫外線波長の光を放出するように構成されてもよい。加えて、ディスプレイ２５０の導波管の内部結合、外部結合、および他の光再指向構造は、例えば、撮像および／またはユーザ刺激用途のために、本光をディスプレイからユーザの眼２１０に向かって指向および放出するように構成されてもよい。
【０２０３】
ここで図９Ａを参照すると、いくつかの実施形態では、導波管に衝突する光は、その光を導波管の中に内部結合するために再指向される必要があり得る。内部結合光学要素が、光をその対応する導波管の中に再指向および内部結合するために使用されてもよい。図９Ａは、それぞれ、内部結合光学要素を含む、複数またはセット６６０のスタックされた導波管の実施例の断面側面図を図示する。導波管はそれぞれ、１つまたはそれを上回る異なる波長または１つまたはそれを上回る異なる波長範囲の光を出力するように構成されてもよい。スタック６６０は、スタック２６０（図６）に対応してもよく、スタック６６０の図示される導波管は、複数の導波管２７０、２８０、２９０、３００、３１０の一部に対応してもよいが、画像投入デバイス３６０、３７０、３８０、３９０、４００のうちの１つまたはそれを上回るものからの光が、光が内部結合のために再指向されることを要求する位置から導波管の中に投入されることを理解されたい。
【０２０４】
スタックされた導波管の図示されるセット６６０は、導波管６７０、６８０、および６９０を含む。各導波管は、関連付けられた内部結合光学要素（導波管上の光入力面積とも称され得る）を含み、例えば、内部結合光学要素７００は、導波管６７０の主要表面（例えば、上側主要表面）上に配置され、内部結合光学要素７１０は、導波管６８０の主要表面（例えば、上側主要表面）上に配置され、内部結合光学要素７２０は、導波管６９０の主要表面（例えば、上側主要表面）上に配置される。いくつかの実施形態では、内部結合光学要素７００、７１０、７２０のうちの１つまたはそれを上回るものは、個別の導波管６７０、６８０、６９０の底部主要表面上に配置されてもよい（特に、１つまたはそれを上回る内部結合光学要素は、反射性偏向光学要素である）。図示されるように、内部結合光学要素７００、７１０、７２０は、その個別の導波管６７０、６８０、６９０の上側主要表面（または次の下側導波管の上部）上に配置されてもよく、特に、それらの内部結合光学要素は、透過性偏向光学要素である。いくつかの実施形態では、内部結合光学要素７００、７１０、７２０は、個別の導波管６７０、６８０、６９０の本体内に配置されてもよい。いくつかの実施形態では、本明細書に議論されるように、内部結合光学要素７００、７１０、７２０は、他の光の波長を透過しながら、１つまたはそれを上回る光の波長を選択的に再指向するような波長選択的である。その個別の導波管６７０、６８０、６９０の片側または角に図示されるが、内部結合光学要素７００、７１０、７２０は、いくつかの実施形態では、その個別の導波管６７０、６８０、６９０の他の面積内に配置されてもよいことを理解されたい。
【０２０５】
図示されるように、内部結合光学要素７００、７１０、７２０は、相互から側方にオフセットされてもよい。いくつかの実施形態では、各内部結合光学要素は、その光が別の内部結合光学要素を通して通過せずに、光を受信するようにオフセットされてもよい。例えば、各内部結合光学要素７００、７１０、７２０は、図６に示されるように、光を異なる画像投入デバイス３６０、３７０、３８０、３９０、および４００から受信するように構成されてもよく、光を内部結合光学要素７００、７１０、７２０の他のものから実質的に受信しないように、他の内部結合光学要素７００、７１０、７２０から分離されてもよい（例えば、側方に離間される）。
【０２０６】
各導波管はまた、関連付けられた光分散要素を含み、例えば、光分散要素７３０は、導波管６７０の主要表面（例えば、上部主要表面）上に配置され、光分散要素７４０は、導波管６８０の主要表面（例えば、上部主要表面）上に配置され、光分散要素７５０は、導波管６９０の主要表面（例えば、上部主要表面）上に配置される。いくつかの他の実施形態では、光分散要素７３０、７４０、７５０は、それぞれ、関連付けられた導波管６７０、６８０、６９０の底部主要表面上に配置されてもよい。いくつかの他の実施形態では、光分散要素７３０、７４０、７５０は、それぞれ、関連付けられた導波管６７０、６８０、６９０の上部および底部両方の主要表面上に配置されてもよい、または光分散要素７３０、７４０、７５０は、それぞれ、異なる関連付けられた導波管６７０、６８０、６９０内の上部および底部主要表面の異なるもの上に配置されてもよい。
【０２０７】
導波管６７０、６８０、６９０は、例えば、材料のガス、液体、および／または固体層によって離間および分離されてもよい。例えば、図示されるように、層７６０ａは、導波管６７０および６８０を分離してもよく、層７６０ｂは、導波管６８０および６９０を分離してもよい。いくつかの実施形態では、層７６０ａおよび７６０ｂは、低屈折率材料（すなわち、導波管６７０、６８０、６９０の直近のものを形成する材料より低い屈折率を有する材料）から形成される。好ましくは、層７６０ａ、７６０ｂを形成する材料の屈折率は、導波管６７０、６８０、６９０を形成する材料の屈折率の０．０５以上または０．１０以下である。有利には、より低い屈折率層７６０ａ、７６０ｂは、導波管６７０、６８０、６９０を通して光の全内部反射（ＴＩＲ）（例えば、各導波管の上部および底部主要表面間のＴＩＲ）を促進する、クラッディング層として機能してもよい。いくつかの実施形態では、層７６０ａ、７６０ｂは、空気から形成される。図示されないが、導波管の図示されるセット６６０の上部および底部は、直近クラッディング層を含んでもよいことを理解されたい。
【０２０８】
好ましくは、製造および他の考慮点を容易にするために、導波管６７０、６８０、６９０を形成する材料は、類似または同一であって、層７６０ａ、７６０ｂを形成する材料は、類似または同一である。いくつかの実施形態では、導波管６７０、６８０、６９０を形成する材料は、１つまたはそれを上回る導波管間で異なってもよい、および／または層７６０ａ、７６０ｂを形成する材料は、依然として、前述の種々の屈折率関係を保持しながら、異なってもよい。
【０２０９】
図９Ａを継続して参照すると、光線７７０、７８０、７９０が、導波管のセット６６０に入射する。光線７７０、７８０、７９０は、１つまたはそれを上回る画像投入デバイス３６０、３７０、３８０、３９０、４００（図６）によって導波管６７０、６８０、６９０の中に投入されてもよいことを理解されたい。
【０２１０】
いくつかの実施形態では、光線７７０、７８０、７９０は、異なる色に対応し得る、異なる性質、例えば、異なる波長または異なる波長範囲を有する。内部結合光学要素７００、７１０、７２０はそれぞれ、光が、ＴＩＲによって、導波管６７０、６８０、６９０のうちの個別の１つを通して伝搬するように、入射光を偏向させる。いくつかの実施形態では、内部結合光学要素７００、７１０、７２０はそれぞれ、他の波長を下層導波管および関連付けられた内部結合光学要素に透過させながら、１つまたはそれを上回る特定の光の波長を選択的に偏向させる。
【０２１１】
例えば、内部結合光学要素７００は、それぞれ、異なる第２および第３の波長または波長範囲を有する、光線７８０および７９０を透過させながら、第１の波長または波長範囲を有する、光線７７０を偏向させるように構成されてもよい。透過された光線７８０は、第２の波長または波長範囲の光を偏向させるように構成される、内部結合光学要素７１０に衝突し、それによって偏向される。光線７９０は、第３の波長または波長範囲の光を選択的に偏向させるように構成される、内部結合光学要素７２０によって偏向される。
【０２１２】
図９Ａを継続して参照すると、偏向された光線７７０、７８０、７９０は、対応する導波管６７０、６８０、６９０を通して伝搬するように偏向される。すなわち、各導波管の内部結合光学要素７００、７１０、７２０は、光をその対応する導波管６７０、６８０、６９０の中に偏向させ、光を対応する導波管の中に内部結合する。光線７７０、７８０、７９０は、光をＴＩＲによって個別の導波管６７０、６８０、６９０を通して伝搬させる角度で偏向される。光線７７０、７８０、７９０は、導波管の対応する光分散要素７３０、７４０、７５０に衝突するまで、ＴＩＲによって個別の導波管６７０、６８０、６９０を通して伝搬する。
【０２１３】
ここで図９Ｂを参照すると、図９Ａの複数のスタックされた導波管の実施例の斜視図が、図示される。前述のように、内部結合された光線７７０、７８０、７９０は、それぞれ、内部結合光学要素７００、７１０、７２０によって偏向され、次いで、それぞれ、導波管６７０、６８０、６９０内でＴＩＲによって伝搬する。光線７７０、７８０、７９０は、次いで、それぞれ、光分散要素７３０、７４０、７５０に衝突する。光分散要素７３０、７４０、７５０は、それぞれ、外部結合光学要素８００、８１０、８２０に向かって伝搬するように、光線７７０、７８０、７９０を偏向させる。
【０２１４】
いくつかの実施形態では、光分散要素７３０、７４０、７５０は、直交瞳エクスパンダ（ＯＰＥ）である。いくつかの実施形態では、ＯＰＥは、光を外部結合光学要素８００、８１０、８２０に偏向または分散し、いくつかの実施形態では、また、外部結合光学要素に伝搬するにつれて、本光のビームまたはスポットサイズを増加させ得る。いくつかの実施形態では、光分散要素７３０、７４０、７５０は、省略されてもよく、内部結合光学要素７００、７１０、７２０は、光を直接的に外部結合光学要素８００、８１０、８２０に偏向させるように構成されてもよい。例えば、図９Ａを参照すると、光分散要素７３０、７４０、７５０は、それぞれ、外部結合光学要素８００、８１０、８２０と置換されてもよい。いくつかの実施形態では、外部結合光学要素８００、８１０、８２０は、光を視認者の眼２１０（図７）に指向させる、射出瞳（ＥＰ）または射出瞳エクスパンダ（ＥＰＥ）である。ＯＰＥは、少なくとも１つの軸においてアイボックスの寸法を増加させるように構成されてもよく、ＥＰＥは、ＯＰＥの軸と交差する、例えば、直交する軸においてアイボックスを増加させてもよいことを理解されたい。例えば、各ＯＰＥは、光の残りの部分が導波管を辿って伝搬し続けることを可能にしながら、ＯＰＥに衝打する光の一部を同一導波管のＥＰＥに再指向するように構成されてもよい。ＯＰＥへの衝突に応じて、再び、残りの光の別の部分は、ＥＰＥに再指向され、その部分の残りの部分は、導波管等を辿ってさらに伝搬し続ける。同様に、ＥＰＥへの衝打に応じて、衝突光の一部は、導波管からユーザに向かって指向され、その光の残りの部分は、ＥＰに再び衝打するまで、導波管を通して伝搬し続け、その時点で、衝突する光の別の部分は、導波管から指向される等となる。その結果、内部結合された光の単一ビームは、その光の一部がＯＰＥまたはＥＰＥによって再指向される度に、「複製」され、それによって、図６に示されるように、クローン化された光のビーム野を形成し得る。いくつかの実施形態では、ＯＰＥおよび／またはＥＰＥは、光のビームのサイズを修正するように構成されてもよい。
【０２１５】
故に、図９Ａおよび９Ｂを参照すると、いくつかの実施形態では、導波管のセット６６０は、原色毎に、導波管６７０、６８０、６９０と、内部結合光学要素７００、７１０、７２０と、光分散要素（例えば、ＯＰＥ）７３０、７４０、７５０と、外部結合光学要素（例えば、ＥＰ）８００、８１０、８２０とを含む。導波管６７０、６８０、６９０は、各１つの間に空隙／クラッディング層を伴ってスタックされてもよい。内部結合光学要素７００、７１０、７２０は、（異なる波長の光を受信する異なる内部結合光学要素を用いて）入射光をその導波管の中に再指向または偏向させる。光は、次いで、個別の導波６７０、６８０、６９０内にＴＩＲをもたらすであろう角度で伝搬する。示される実施例では、光線７７０（例えば、青色光）は、前述の様式において、第１の内部結合光学要素７００によって偏光され、次いで、導波管を辿ってバウンスし続け、光分散要素（例えば、ＯＰＥ）７３０、次いで、外部結合光学要素（例えば、ＥＰ）８００と相互作用する。光線７８０および７９０（例えば、それぞれ、緑色および赤色光）は、導波管６７０を通して通過し、光線７８０は、内部結合光学要素７１０上に入射し、それによって偏向される。光線７８０は、次いで、ＴＩＲを介して、導波管６８０を辿ってバウンスし、その光分散要素（例えば、ＯＰＥ）７４０、次いで、外部結合光学要素（例えば、ＥＰ）８１０に進むであろう。最後に、光線７９０（例えば、赤色光）は、導波管６９０を通して通過し、導波管６９０の光内部結合光学要素７２０に衝突する。光内部結合光学要素７２０は、光線が、ＴＩＲによって光分散要素（例えば、ＯＰＥ）７５０に、次いで、ＴＩＲによって外部結合光学要素（例えば、ＥＰ）８２０に伝搬するように、光線７９０を偏向させる。外部結合光学要素８２０は、次いで、最後に、光線７９０を視認者に外部結合し、視認者はまた、他の導波管６７０、６８０からの外部結合した光も受信する。
【０２１６】
図９Ｃは、図９Ａおよび９Ｂの複数のスタックされた導波管の実施例の上下平面図を図示する。図示されるように、導波管６７０、６８０、６９０は、各導波管の関連付けられた光分散要素７３０、７４０、７５０および関連付けられた外部結合光学要素８００、８１０、８２０とともに、垂直に整合されてもよい。しかしながら、本明細書に議論されるように、内部結合光学要素７００、７１０、７２０は、垂直に整合されない。むしろ、内部結合光学要素は、好ましくは、非重複する（例えば、上下図に見られるように、側方に離間される）。本明細書でさらに議論されるように、本非重複空間配列は、１対１ベースで異なるリソースから異なる導波管の中への光の投入を促進し、それによって、具体的光源が具体的導波管にユニークに結合されることを可能にする。いくつかの実施形態では、非重複の空間的に分離される内部結合光学要素を含む、配列は、偏移瞳システムと称され得、これらの配列内の内部結合光学要素は、サブ瞳に対応し得る。
【０２１７】
図９Ｄは、本明細書に開示される種々の導波管および関連システムが統合され得る、ウェアラブルディスプレイシステム６０の実施例を図示する。いくつかの実施形態では、ディスプレイシステム６０は、図６のシステム２５０であって、図６は、そのシステム６０のいくつかの部分をより詳細に図式的に示す。例えば、図６の導波管アセンブリ２６０は、ディスプレイ７０の一部であってもよい。
【０２１８】
図９Ｄを継続して参照すると、ディスプレイシステム６０は、ディスプレイ７０と、そのディスプレイ７０の機能をサポートするための種々の機械的および電子的モジュールおよびシステムとを含む。ディスプレイ７０は、フレーム８０に結合されてもよく、これは、ディスプレイシステムユーザまたは視認者９０によって装着可能であって、ディスプレイ７０をユーザ９０の眼の正面に位置付けるように構成される。ディスプレイ７０は、いくつかの実施形態では、アイウェアと見なされ得る。いくつかの実施形態では、スピーカ１００が、フレーム８０に結合され、ユーザ９０の外耳道に隣接して位置付けられるように構成される（いくつかの実施形態では、示されない別のスピーカも、随意に、ユーザの他方の外耳道に隣接して位置付けられ、ステレオ／成形可能音制御を提供してもよい）。ディスプレイシステムはまた、１つまたはそれを上回るマイクロホン１１０または他のデバイスを含み、音を検出してもよい。いくつかの実施形態では、マイクロホンは、ユーザが入力またはコマンドをシステム６０に提供することを可能にするように構成され（例えば、音声メニューコマンドの選択、自然言語質問等）、および／または他の人物（例えば、類似ディスプレイシステムの他のユーザ）とのオーディオ通信を可能にしてもよい。マイクロホンはさらに、周辺センサとして構成され、オーディオデータ（例えば、ユーザおよび／または環境からの音）を収集してもよい。いくつかの実施形態では、ディスプレイシステムはまた、周辺センサ１２０ａを含んでもよく、これは、フレーム８０と別個であって、ユーザ９０の身体（例えば、ユーザ９０の頭部、胴体、四肢等）上に取り付けられてもよい。周辺センサ１２０ａは、いくつかの実施形態では、ユーザ９０の生理学的状態を特徴付けるデータを入手するように構成されてもよい。例えば、センサ１２０ａは、電極であってもよい。
【０２１９】
図９Ｄを継続して参照すると、ディスプレイ７０は、有線導線または無線コネクティビティ等の通信リンク１３０によって、ローカルプロセッサまたはデータ処理モジュール１４０に動作可能に結合され、これは、フレーム８０を固定して取り付けられる、ユーザによって装着されるヘルメットまたは帽子を固定して取り付けられる、ヘッドホン内に埋設される、または別様にユーザ９０に除去可能に取り付けられる（例えば、リュック式構成、ベルト結合式構成において）等、種々の構成で搭載されてもよい。同様に、センサ１２０ａは、通信リンク１２０ｂ、例えば、有線導線または無線コネクティビティによって、ローカルデータ処理モジュール１４０に動作可能に結合されてもよい。ローカルプロセッサおよびデータモジュール１４０は、ハードウェアプロセッサおよび不揮発性メモリ（例えば、フラッシュメモリまたはハードディスクドライブ）等のデジタルメモリを備えてもよく、両方とも、データの処理、キャッシュ、および記憶を補助するために利用されてもよい。随意に、ローカルプロセッサおよびデータモジュール１４０は、１つまたはそれを上回る中央処理ユニット（ＣＰＵ）、グラフィック処理ユニット（ＧＰＵ）、専用処理ハードウェア等を含んでもよい。データは、ａ）センサ（画像捕捉デバイス（カメラ等）、マイクロホン、慣性測定ユニット、加速度計、コンパス、ＧＰＳユニット、無線デバイス、ジャイロスコープ、および／または本明細書に開示される他のセンサ等（例えば、フレーム８０に動作可能に結合される、または別様にユーザ９０に取り付けられ得る））から捕捉された、および／またはｂ）可能性として処理または読出後にディスプレイ７０への通過のための遠隔処理モジュール１５０および／または遠隔データリポジトリ１６０（仮想コンテンツに関連するデータを含む）を使用して取得および／または処理されたデータを含んでもよい。ローカル処理およびデータモジュール１４０は、これらの遠隔モジュール１５０、１６０が相互に動作可能に結合され、ローカル処理およびデータモジュール１４０に対するリソースとして利用可能であるように、有線または無線通信リンクを介して等、通信リンク１７０、１８０によって、遠隔処理モジュール１５０および遠隔データリポジトリ１６０に動作可能に結合されてもよい。いくつかの実施形態では、ローカル処理およびデータモジュール１４０は、画像捕捉デバイス、マイクロホン、慣性測定ユニット、加速度計、コンパス、ＧＰＳユニット、無線デバイス、および／またはジャイロスコープのうちの１つまたはそれを上回るものを含んでもよい。いくつかの他の実施形態では、これらのセンサのうちの１つまたはそれを上回るものは、フレーム８０に取り付けられてもよい、または有線または無線通信経路によってローカル処理およびデータモジュール１４０と通信する、独立構造であってもよい。
【０２２０】
図９Ｄを継続して参照すると、いくつかの実施形態では、遠隔処理モジュール１５０は、データおよび／または画像情報を分析および処理するように構成される、１つまたはそれを上回るプロセッサを備えてもよく、例えば、１つまたはそれを上回る中央処理ユニット（ＣＰＵ）、グラフィック処理ユニット（ＧＰＵ）、専用処理ハードウェア等を含む。いくつかの実施形態では、遠隔データリポジトリ１６０は、インターネットまたは「クラウド」リソース構成における他のネットワーキング構成を通して利用可能であり得る、デジタルデータ記憶設備を備えてもよい。いくつかの実施形態では、遠隔データリポジトリ１６０は、１つまたはそれを上回る遠隔サーバを含んでもよく、これは、情報、例えば、拡張現実コンテンツをローカル処理およびデータモジュール１４０および／または遠隔処理モジュール１５０に生成するための情報を提供する。いくつかの実施形態では、全てのデータが、記憶され、全ての計算は、ローカル処理およびデータモジュール内で行われ、遠隔モジュールからの完全に自律的な使用を可能にする。随意に、ＣＰＵ、ＧＰＵ等を含む、外部システム（例えば、１つまたはそれを上回るプロセッサ、１つまたはそれを上回るコンピュータのシステム）が、処理（例えば、画像情報を生成する、データを処理する）の少なくとも一部を実施し、例えば、無線または有線接続を介して、情報をモジュール１４０、１５０、１６０に提供し、情報をそこから受信してもよい。
深度平面構成
【０２２１】
ここで図１０Ａおよび１０Ｂを参照すると、整合された遠近調節−輻輳・開散運動距離および不整合の遠近調節−輻輳・開散運動距離の実施例が、それぞれ、図示される。図１０Ａに図示されるように、ディスプレイシステムは、仮想オブジェクトの画像を各眼２１０、２２０に提供してもよい。画像は、眼２１０、２２０に、眼が深度平面２４０上の点１５に収束する、輻輳・開散運動状態をとらせ得る。加えて、画像は、その深度平面２４０における実オブジェクトに対応する波面曲率を有する光によって形成されてもよい。その結果、眼２１０、２２０は、画像がそれらの眼の網膜上に合焦する、遠近調節状態をとる。したがって、ユーザは、仮想オブジェクトを深度平面２４０上の点１５にあるように知覚し得る。
【０２２２】
眼２１０、２２０の遠近調節および輻輳・開散運動状態のそれぞれは、ｚ−軸上の特定の距離と関連付けられることを理解されたい。例えば、眼２１０、２２０からの特定の距離におけるオブジェクトは、それらの眼に、オブジェクトの距離に基づいて、特定の遠近調節状態をとらせる。特定の遠近調節状態と関連付けられた距離は、遠近調節距離Ａｄと称され得る。同様に、眼、特に、輻輳・開散運動状態または相互に対する位置と関連付けられた特定の輻輳・開散運動距離Ｖｄも、存在する。遠近調節距離および輻輳・開散運動距離が整合する場合、遠近調節と輻輳・開散運動との間の関係は、生理学的に正しいと言え得る。これは、視認者のために最も快適なシナリオと見なされる。
【０２２３】
しかしながら、立体視ディスプレイでは、遠近調節距離および輻輳・開散運動距離が、常には整合しない場合がある。例えば、図１０Ｂに図示されるように、眼２１０、２２０に表示される画像は、深度平面２４０に対応する波面発散を伴って表示され得、眼２１０、２２０は、その深度平面上の点１５ａ、１５ｂが合焦する、特定の遠近調節状態をとり得る。しかしながら、眼２１０、２２０に表示される画像は、眼２１０、２２０を深度平面２４０上に位置しない点１５に収束させる、輻輳・開散運動するためのキューを提供し得る。その結果、いくつかの実施形態では、遠近調節距離は、眼２１０、２２０の射出瞳から深度平面２４０までの距離に対応する一方、輻輳・開散運動距離は、眼２１０、２２０の射出瞳から点１５までのより大きい距離に対応する。遠近調節距離は、輻輳・開散運動距離と異なる。その結果、遠近調節−輻輳・開散運動不整合が、存在する。そのような不整合は、望ましくないと見なされ、不快感をユーザに生じさせ得る。不整合は、距離（例えば、Ｖｄ−Ａｄ）に対応し、ジオプタを使用して特徴付けられ得ることを理解されたい。
【０２２４】
いくつかの実施形態では、眼２１０、２２０の射出瞳以外の参照点が、同一参照点が遠近調節距離および輻輳・開散運動距離のために利用される限り、距離を判定するために利用されてもよいことを理解されたい。例えば、距離は、角膜から深度平面まで、網膜から深度平面まで、接眼レンズ（例えば、ディスプレイデバイスの導波管）から深度平面まで等で測定され得る。
【０２２５】
遠近調節−輻輳・開散運動不整合の潜在性、そのような不整合が概して望ましくないという知覚、およびディスプレイシステムがほぼ無限数の可能性として考えられる輻輳・開散運動キューを提供する能力に起因して、多数の可能性として考えられる輻輳・開散運動キューに可能な限り密接に整合するために、多数の可能性として考えられる遠近調節キューを提供するため、仮想コンテンツを多数の深度平面上に提供可能なディスプレイシステムを提供することが望ましいと考えられている。しかしながら、本明細書に記載されるように、多数の深度平面は、多数の関連付けられた導波管を要求し得る。これは、望ましくないことに、大型かつ重いデバイスをもたらし得、これは、不快であり得、また、製造が困難であり、それに加え、可能性として、光が視認者に到達するために伝搬しなければならないスタック内の多数の光学的活性特徴に起因して、光学収差を生じさせ得る（ディスプレイによって投影された画像コンテンツおよび外界から受信された光の両方に）。
【０２２６】
有利には、真実味のある３次元体験は、仮想コンテンツを比較的に小数の深度平面上に提供するディスプレイシステムを使用して、達成され得ることが見出されている。例えば、いくつかの実施形態では、ディスプレイシステムによって提供される深度平面の総数は、２つであってもよい。他の実施形態では、ディスプレイシステムによって提供される深度平面の総数は、１つであってもよい。加えて、２つを上回る深度平面を有する、ディスプレイシステムも、検討される。例えば、深度平面の総数は、いくつかの実施形態では、４つまたはそれ未満または３つまたはそれ未満であってもよい。本明細書に議論されるように、深度平面の総数は、ディスプレイシステムが仮想オブジェクトを表示することが予期されるユーザまでの距離に基づいて、特定の用途に合わせて調整されてもよい。例えば、深度平面の数は、仮想オブジェクトのユーザまでの距離の減少に伴って増加してもよい。
【０２２７】
理論によって限定されるわけではないが、ユーザは、依然として、不整合自体が有意な不快感を生じさせずに、生理学的に正しいと見なされるような０．２５ジオプタ、０．３３ジオプタ、および最大約０．５ジオプタの遠近調節−輻輳・開散運動不整合を知覚し得ると考えられる。その結果、特定の範囲内の不整合に関する視認者の公差に照らして、限定数の深度平面を用いて、生理学的に正しい遠近調節−輻輳・開散運動不整合を提供することが可能である。表示されているコンテンツに応じて、深度平面の数は、１つまたは２つであってもよい。いくつかの他の実施形態では、２つを上回る深度平面もまた、本明細書に議論されるように、実装されてもよい。
【０２２８】
いくつかの実施形態では、ｚ−軸上への深度平面の設置は、光学無限遠を参照して選択される。図１１は、容認可能遠近調節−輻輳・開散運動不整合を考慮した深度平面設置の実施例を図示する。ｚ−軸上の最も遠い深度平面は、光学無限遠の生理学的に容認可能遠近調節−輻輳・開散運動不整合内にある距離にあるように選択されてもよい。不整合は、好ましくは、約０．５ジオプタまたはそれ未満、より好ましくは、約０．３３ジオプタまたはそれ未満、または約０．２５ジオプタまたはそれ未満である。いくつかの実施形態では、約０．５５ジオプタの不整合が、検討される。本深度平面は、ディスプレイによって提供される最も遠い深度平面であると見なされ得、光学無限遠未満にあることを理解されたい。
【０２２９】
付加的深度平面もまた、視認者６０のより近くに提供されてもよい。好ましくは、本付加的深度平面は、容認可能遠近調節−輻輳・開散運動不整合の２倍またはそれ未満だけより遠い深度平面から離間される。例えば、２つの深度平面間の間隔は、好ましくは、約１．０ジオプタまたはそれ未満、より好ましくは、約０．６６ジオプタまたはそれ未満（例えば、０．６６７ジオプタまたはそれ未満）、または約０．５ジオプタまたはそれ未満である。
【０２３０】
図１１を継続して参照すると、図示される実施例では、２つの深度平面構成が、示される。比較的に近い深度平面３０００（近接度は、視認者６０に対して判定される）が、１．０ジオプタに提供され、最も遠い深度平面３００２が、０．３ジオプタ（約０．３３ジオプタを含む）に提供される。深度平面３０００および３００２は、１．０ジオプタ未満だけ分離される。図示されるように、深度平面３０００は、±０．３ジオプタの容認可能不整合範囲を仮定し、３０００ａおよび３０００ｂによって定義された容認可能遠近調節−輻輳・開散運動不整合域を有する。有利には、理論によって限定されるわけではないが、容認可能不整合範囲内のユーザから離れた距離における、仮想オブジェクトを描写する画像コンテンツは、不快であってユーザによって検出可能な遠近調節−輻輳・開散運動不整合を生じさせずに、深度平面３０００上に表示され得ると考えられる。
【０２３１】
下限３０００ａは、依然として、間隙をそれと視認者６０との間に残すことを理解されたい。不整合が、０．３ジオプタであるように選択されたため、依然として、０．５ジオプタ以内にある、空間３００８が存在する。その結果、いくつかのコンテンツは、依然として、本距離に表示され得る。好ましくは、これは、容認可能不整合の外側範囲にあるため、コンテンツの持続時間および／または空間周波数は、本明細書に議論されるように、限定され得る。
【０２３２】
図１２は、容認可能遠近調節−輻輳・開散運動不整合を考慮した深度平面設置の別の実施例を図示する。本実施例では、最も遠い深度平面３００２を光学無限遠の容認可能不整合内に設置するのではなく、最も遠い深度平面３００２は、光学無限遠との容認可能遠近調節−輻輳・開散運動不整合を上回るｚ−軸に沿った深度に設置されてもよい。そのような構成では、輻輳・開散運動キューに基づいてコンテンツを光学無限遠に設置することは、０．６ジオプタにおける深度平面３００２に対応する波面発散を伴う光を出力する導波管によって提供される遠近調節キューとの不快な不整合を提供し得る。それにもかかわらず、そのような構成は、コンテンツが図１１の構成よりユーザ６０の近くに表示されることを可能にする。例えば、図１２の配列が、適切な遠近調節−輻輳・開散運動整合を維持しながら、コンテンツを提供し得る、最近傍の深度は、６３ｃｍである。一方、図１１の配列に関する最近傍の深度は、７６ｃｍである。
【０２３３】
図１３は、単一深度平面ディスプレイシステムに関する遠近調節−輻輳・開散運動不整合のプロットの実施例を図示する。点線は、視認者からの異なる（仮想）距離における遠近調節−輻輳・開散運動不整合を示す。水平軸は、視認者からの距離に対応し、垂直軸は、遠近調節−輻輳・開散運動不整合に対応し、これは、ＡＶＭとも称される。単一深度平面は、２ｍに位置付けられ、これは、ゼロの不整合と対応する。有利には、２ｍを上回る距離（例えば、ｚ＝２ｍ〜ｚ＝光学無限遠）では、遠近調節−輻輳・開散運動不整合は、常時、０．５ジオプタを下回ったままである。より近い距離では、不整合は、増加し、１ｍ未満の視認者からの距離では、不整合は、生理学的に正しいと考えられるものを超え得る。１ｍ未満の距離では、視認者不快感は、単にその距離における画像コンテンツを視認することからも予期され得る。
【０２３４】
図１４は、２つの深度平面ディスプレイシステムおよび１つの深度平面ディスプレイシステムに関する遠近調節−輻輳・開散運動不整合のプロットの実施例を図示する。実線は、２つの深度平面システムを示し、点線は、単一深度平面システムを示す。視認者からの大距離における遠近調節−輻輳・開散運動不整合は、２つの深度平面システムに関してはより少なく、２つの深度平面システムは、依然として、容認可能不整合値を維持しながら、コンテンツが視認者により近い距離に表示されることを可能にすることを理解されたい。いくつかの実施形態では、最も遠い深度平面は、光学無限遠の容認可能不整合値以内であってもよい。本明細書に議論されるように、容認可能不整合は、約０．５ジオプタまたはそれ未満、約０．３３ジオプタまたはそれ未満、または約０．２５ジオプタまたはそれ未満であってもよい。図示されるように、容認可能不整合は、０．３３ジオプタであってもよい。いくつかの実施形態では、最も遠い深度平面は、０．３３ジオプタ（ユーザから３ｍに対応する）に設定されてもよく、より近い第２の深度平面は、容認可能不整合の２倍と等しい値、例えば、０．３３ジオプタ×２、すなわち、０．６６ジオプタだけ最も遠い深度平面から内向きに設定されてもよい。その結果、より近い、第２の深度平面は、いくつかの実施形態では、１ジオプタに設定されてもよい。
【０２３５】
図１４を継続して参照すると、右から左への実線のプロットに沿って進むと（ユーザの眼からの距離の減少に伴って）、遠近調節−輻輳・開散運動不整合は、０．３３ジオプタの不整合値が観察されるまで上昇する。その結果、０．３３ジオプタにおける最も遠い深度平面の図示される設置を前提として、１．２ｍの距離から無限遠までの仮想オブジェクトのための画像コンテンツは、本範囲内の全ての画像コンテンツが容認可能不整合内にあるため、著しい不快感を伴わずに、同一深度平面（ユーザの眼から０．３３ジオプタまたは３ｍに設定される）上に表示され得る。１．２ｍより近い距離における仮想オブジェクトに関して、図示されるように、第２の深度平面が、提供されてもよい。前述のように、第２の深度平面は、１ジオプタにあってもよい。
【０２３６】
０．３３ジオプタの容認可能不整合によって表される距離は、深度平面がユーザのより近くに設置されるほど、より小さくなることを理解されたい。いくつかの他の実施形態では、仮想オブジェクトを１ジオプタ深度平面から０．３３ジオプタの分離によって提供される最小距離より近くに表示することが望ましくあり得る。図示されるように、０．７５ｍまたはそれ未満の距離では、容認可能不整合値は、０．３３ジオプタを上回って増加する。その結果、１つまたはそれを上回る付加的深度平面が、画像コンテンツをより近い距離に表示するために提供されてもよい。例えば、第３の深度平面が、画像コンテンツを０．７５ｍより近い距離に表示するように形成されてもよい。深度平面はそれぞれ、容認可能不整合の２倍またはそれ未満だけ最近傍深度平面から分離されることを理解されたい。
【０２３７】
図１５は、２つの深度平面ディスプレイシステムおよび１つの深度平面ディスプレイシステムに関する遠近調節−輻輳・開散運動不整合のプロットの別の実施例を図示する。本実施例では、２つの平面システムの最も遠い深度平面は、単一深度平面システムと同一距離（２ｍまたは０．５ジオプタ）に位置付けられる。着目すべきこととして、単一深度平面より遠い距離における不整合は、等価である。本実施例では、２つの平面システムの主な利点は、容認可能不整合値を維持しながら、コンテンツを単一平面システムより視認者に近い距離に提供する能力である。
【０２３８】
図１１−１５に見られるように、いくつかのタイプの画像コンテンツに関して、単一深度平面を伴うディスプレイシステムは、比較的に大距離にわたって真実味のある３−Ｄ体験を可能にしながら、生理学的に正しい遠近調節−輻輳・開散運動整合を達成するために十分であり得る。好ましくは、最も遠い深度平面は、１深度平面ディスプレイシステムまたは多深度平面ディスプレイシステムであるかにかかわらず、光学無限遠未満かつ以光学無限遠の容認可能不整合範囲内にある。いくつかの他の実施形態では、最も遠い深度平面は、光学無限遠の容認可能不整合内に設定されてもよい。いくつかの実施形態では、単一深度平面システムは、そのシステムによって表示されるべき画像コンテンツのタイプに応じて設定される深度平面の位置を有してもよいことを理解されたい。例えば、深度平面は、特に、画像コンテンツが視認者に比較的に近いことが予期される用途では、図示されるものより視認者に近くなるように設定されてもよい。したがって、図１１−１５を参照すると、ディスプレイシステムは、遠近調節キューを離散ステップにおいて提供するように構成されてもよい一方、ほぼ無限数の異なる輻輳・開散運動キューが、提供されてもよい。
深度平面切替
【０２３９】
本明細書に説明されるように、種々の実施形態による、ディスプレイシステム（例えば、図９Ｄのディスプレイシステム６０等の拡張現実ディスプレイシステム）は、重複深度平面を利用してもよい。可変焦点モードでは、ディスプレイシステムは、ユーザが凝視している深度を判定してもよく、凝視深度に基づいて、仮想コンテンツを提示するための深度平面を選択してもよい。例えば、ディスプレイシステムは、ユーザが凝視している３次元凝視点を判定し、凝視点の判定された深度を利用して、深度平面を選択してもよい。凝視深度を判定することと関連付けられた誤差は、凝視深度の場所に関する不確実性を導入し得る。これらの誤差を前提として、凝視点の連続測定は、異なる結果を提供し得る。これらの異なる結果が、２つの深度平面間の境界においてに生じる場合、変化する結果は、ディスプレイシステムに、凝視点の連続測定が深度平面間で行ったり来たり移動する凝視点を有する結果を提供するため、２つの深度平面間で行ったり来たり急速に切り替わらせ得る。その結果、仮想コンテンツをユーザに提示する間、フリッカまたは他の視覚的アーチファクトが、ディスプレイシステムが仮想コンテンツを提示するために深度平面間で行ったり来たり切り替わるにつれて導入され得る。
【０２４０】
深度重複が、前述の視覚的アーチファクトを軽減させるために利用されてもよい。本明細書に説明されるように、隣接する深度平面は、ｚ−軸に沿って部分的に重複する、関連付けられた深度平面範囲を有してもよい（例えば、隣接する深度平面は、ｚ−軸に沿って特定の範囲の深度において重複してもよい）。そのような重複の例示的表現は、図１７に図示され、以下にさらに説明される。いくつかの実施形態では、深度重複のサイズは、凝視点を判定する（例えば、ユーザが凝視している深度を判定する）ことと関連付けられた推定される不確実性に基づいてもよい。深度重複を利用することによって、ディスプレイシステムは、ユーザが（１）特定の深度平面と関連付けられた深度平面範囲内のみ、および／または（２）特定の深度平面と関連付けられた深度重複内を凝視していることの識別に基づいて、仮想コンテンツを提示する特定の深度平面を選択してもよい。ユーザが、凝視点が異なる深度平面とのみ関連付けられた深度平面範囲内にあるように、その凝視点を変化させる場合、ディスプレイシステムは、異なる深度平面に切り替えてもよい。例えば、ディスプレイシステムは、ユーザの判定された凝視点が特定の深度平面によって包含される深度（例えば、特定の深度平面によってのみ包含される深度、または特定の深度平面および隣接する深度平面によって包含される深度重複内に含まれる深度）のうちの任意の１つにある間、仮想コンテンツを特定の深度平面上に提示し続けてもよい。ユーザが、次いで、特定の深度平面によって包含されない深度を凝視する場合、ディスプレイシステムは、異なる深度平面に切り替えてもよい。
【０２４１】
いくつかの実施形態では、凝視点は、（１）ｘ−軸（例えば、側方軸）、（２）ｙ−軸（例えば、垂直軸）、および（３）ｚ−軸（例えば、点の深度、例えば、ユーザの眼の射出瞳から凝視点までの深度）に沿った空間内に位置してもよい。いくつかの実施形態では、ディスプレイシステムは、カメラ（例えば、図６のセンサ６３０）等のセンサを利用し、ユーザの眼（例えば、各眼の瞳孔および／または角膜等）を監視し、各眼の視線方向を判定してもよい。各眼の視線方向は、中心窩から眼の水晶体の中心を通して延在するベクトルと平行であると理解され得る。ディスプレイシステムは、眼と関連付けられたベクトルが交差する場所を外挿するように構成されてもよく、本交差点は、眼の凝視点であると理解され得る。換言すると、凝視点は、ユーザの両眼が輻輳・開散運動している３次元空間内の場所であってもよい。いくつかの実施形態では、ディスプレイシステムは、例えば、高速移動（例えば、衝動性眼球運動、微小眼球運動）のユーザの眼のわずかな移動をフィルタ処理してもよく、眼が３次元空間内の場所を凝視していることの判定に応じて、凝視点を更新してもよい。例えば、ディスプレイシステムは、閾値持続時間未満において点を凝視している、眼の移動を無視し、および／または不随意眼移動（例えば、瞬目）を無視するように構成されてもよい。
【０２４２】
図１６は、凝視点１６０４を凝視しているユーザの実施例を図示する。例えば、ユーザは、２つの深度平面２４０ｂ、２４０ａを含み得る、ディスプレイシステム（例えば、上記に説明されるような可変焦点ディスプレイシステム）を利用してもよい。各深度平面２４０ｂ、２４０ａは、特定の深度範囲（例えば、それぞれ、深度平面領域１８０９、深度平面領域１８０８）を包含することができる。図示されるように、深度平面領域１８０９は、深度平面１８０８と明確に異なり、直接、それに隣接する。このように、凝視点１６０４が、例えば、深度平面領域１８０９内にある場合、ディスプレイシステムは、仮想コンテンツを提示する深度平面２４０ｂを選択することができる。仮想コンテンツは、次いで、仮想コンテンツが、深度平面２４０ｂと関連付けられた遠近調節のためのキューとともに出力されるであろうように、深度平面２４０ｂに提示されることができる。実施例として、ディスプレイシステムは、遠近調節するための個別のキュー（例えば、波面発散）とともに、光を出力するように構成される２つの導波管を含んでもよく、各導波管は、深度平面に対応する。
【０２４３】
図１６の実施例は、２つの深度平面が含まれることを示すが、任意の数の深度平面（およびその関連付けられた深度平面範囲）が、本明細書に説明される技法を利用して、ディスプレイシステム内に含まれてもよいことを理解されたい。図示されるように、ディスプレイシステムは、ユーザの眼２１０、２２０が特定の凝視点１６０４を凝視している（例えば、輻輳・開散運動している）ことを判定した。いくつかのシナリオでは、判定された凝視点１６０４は、深度平面領域１８０９と深度平面領域１８０８との間の境界に近接する深度に位置する。
【０２４４】
凝視点１６０４と関連付けられた推定された判定誤差１６０５が、図示される。上記に説明されるように、誤差は、ディスプレイシステムが凝視点を判定するときに導入され得る。例えば、ディスプレイシステムは、ユーザの眼２１０、２２０のそれぞれの視線を精密に判定不能であり得る。例えば、眼の幾何学形状に基づいて判定された眼の光学軸は、眼の中心窩にある眼の視軸と異なり得る。ディスプレイシステムは、ユーザの眼２１０、２２０、したがって、光学軸を監視するため、凝視点のディスプレイシステムの判定は、視軸の分析によって与えられるであろう、正しい場所から逸脱し得る。ディスプレイシステムは、ユーザに関する訓練情報へのアクセスを有し得、例えば、ディスプレイシステムの初期の使用の間、ユーザは、視軸がより良好に判定され得るようにシステムを較正し得るが、誤差は、依然として、存在し得る。別の実施例として、ユーザの眼は、ユニークな医療問題を有し得る、または凝視点の推定が実際の凝視点からずれ得るようにユニークに集束し得る。加えて、眼を撮像または追跡するために利用されるセンサもまた、判定された凝視点に誤差をもたらす、誤差または分解能の限界を有し得る。その結果、ディスプレイシステムによって判定された凝視点は、ある範囲の不確実性を有し得る。判定誤差１６０５は、したがって、正確な３次元凝視点に対して不確実性を表す。例えば、判定誤差１６０５は、０．１ジオプタ、０．２ジオプタ、０．３ジオプタ、０．５８ジオプタ等の凝視点１６０４の深度に対して不確実性を示し得る。ユーザが凝視している実際の深度は、判定された凝視点１６０４の正面または背後のいずれかにあり得るため、ユーザが凝視し得る実際の３次元場所は、判定誤差１６０５の２倍の深度の範囲内に含まれる。
【０２４５】
判定誤差１６０５は、深度平面領域１８０９および深度平面領域１８０８の中に延在するため、ディスプレイシステムは、凝視点１６０４を深度平面２４０Ｂ、２４０Ａのいずれかによって包含される深度にあるものと判定してもよい。例えば、ディスプレイシステムは、１つまたはそれを上回る連続フレームのために、仮想コンテンツを深度平面２４０Ａに提示し、提示を深度平面２４０Ｂにあるように切り替える等となり得る。異なる深度平面における画像の提示間の本切替は、急速に生じ得、望ましくない視覚的アーチファクトをユーザに導入し得る。実施例として、フリッカが、ユーザに明白となり得る。別の実施例として、異なる深度平面に切り替えるとき、遠近調節キューが、ユーザがその焦点を調節することを要求されるであろうように調節されるであろう（例えば、出力されている光の波面発散は、深度平面毎に異なるであろう）。
【０２４６】
凝視点を判定する際の誤差に起因した深度平面間の望ましくない切替の発生を最小限にするために、深度平面領域１８０８の一部および深度平面領域１８０９の一部を包含する、深度重複が、利用されてもよい。説明されるであろうように、ディスプレイシステムは、判定された凝視点が、（１）特定の深度平面の深度平面範囲内のみにある、または（２）深度平面領域１８０８と深度平面領域１８０９との間の深度重複内にある場合、コンテンツを特定の深度平面に提示し続けてもよい。一方、ユーザの凝視点が、異なる深度平面によってのみ包含される深度に位置する場合、ディスプレイシステムは、次いで、その深度平面に切り替え、仮想コンテンツを異なる深度平面に提示してもよい。
【０２４７】
図１７は、深度平面２４０Ａ、２４０Ｂの隣接する深度平面領域１８０８、１８０９間の深度重複１８１２を図示する。上記に説明されるように、３次元凝視点を判定することは、不確実性がユーザが凝視している精密な３次元場所に対して存在するような誤差源を含み得る。例えば、図１６に図示される判定誤差１６０５は、ユーザが凝視している深度に対して不確実性を生じさせ得る。いくつかの実施形態では、深度重複１８１２が、したがって、本判定誤差１６０５を表すために、ディスプレイシステムによって利用されてもよい。いくつかの他の実施形態では、深度重複１８１２は、恣意的に設定されたサイズを有してもよい。
【０２４８】
図示されるように、深度重複１８１２は、深度平面領域１８０８および深度平面領域１８０９の両方内にある。具体的には、図１７の実施例では、深度平面領域１８０８は、遠位端がユーザの眼２１０、２２０からより遠くに偏移されるように、調節されている。このように、以前は深度平面領域１８０９内のみにあった深度平面範囲は、ここではまた、調節された深度平面２４０Ｂ１によっても包含される。図１７の実施例では、深度重複１８１２は、図１６に図示される判定誤差１６０５のサイズの２倍であり得る、深度範囲を包含する。いくつかの実施形態では、ディスプレイシステムが、深度の特定の範囲内のユーザの凝視点（例えば、０．１ジオプタ、０．２ジオプタ等）を確実に判定することができる場合、深度重複は、深度の特定の範囲だけ隣接する深度平面の中に延在してもよい。
【０２４９】
仮想コンテンツを提示するとき、ディスプレイシステムは、調節された深度平面２４０Ｂ１または深度平面２４０Ａのいずれかに提示してもよい。仮想コンテンツを提示する特定の深度平面を選択するために、深度重複は、深度平面のいずれかの延在と見なされ得る。例えば、ディスプレイシステムは、ユーザが、深度重複１８１２内に含まれる凝視点を含む、深度平面領域１８０８内の凝視点を凝視している場合、深度平面２４０Ａにおける仮想コンテンツの提示を維持してもよい。しかしながら、ユーザが、深度平面領域１８０９内のみの凝視点を凝視している、すなわち、凝視点が深度重複１８１２内に含まれない場合、システムは、調節された深度平面２４０Ｂ１を選択し、仮想コンテンツを提示する。同様に、調節された深度平面２４０Ｂ１における仮想コンテンツの提示は、ユーザが、深度重複１８１２内の凝視点を含む、深度平面領域１８０９内の凝視点を凝視している場合、維持されてもよい。しかしながら、凝視点が深度平面範囲１８０９または深度重複１８１２の外に移動するとすぐに、深度平面２４０Ａが、仮想コンテンツを提示するように提示される。
【０２５０】
図１８Ａ−１８Ｂは、ディスプレイシステムのユーザの視野１８００の表現を図示し、１つまたはそれを上回る深度平面範囲重複の利用をさらに図示する。視野１８００は、第１の深度平面２４０Ａおよび第２の深度平面２４０Ｂの表現を含む。図示されるように、深度平面範囲は、各深度平面と関連付けられた実世界空間の体積（例えば、体積１８０８、１８０９）を定義し得る。例えば、深度平面２  ２４０Ｂの深度平面範囲は、近位の深度２４０Ｂから遠位の深度２４０Ｂまで延在する。近位の範囲２４０Ｂから遠位の２４０Ｂ内の深度に提示されるべき仮想オブジェクトは、深度平面２（また、参照番号２４０Ｂとして識別される）に対応する波面発散を伴って提示され得る。実施例として、仮想オブジェクトに関する画像情報を含有する光は、深度平面２と関連付けられた導波管を介して出力されてもよい。加えて、近位の範囲２４０Ｂから遠位の２４０Ｂ内の深度に提示されるべき任意の仮想オブジェクトの波面発散は、同一であって、したがって、深度平面２と関連付けられてもよい。深度平面のサイズおよび形状は、図１８Ａに図示されるものと異なってもよいことを理解されたい。例えば、深度平面を定義する体積は、いくつかの実施形態では、湾曲または他の恣意的形状を有してもよい。
【０２５１】
上記に説明されるように、ディスプレイシステムはユーザの眼が凝視している、凝視点を判定してもよい。凝視点が、近位の範囲２４０Ｂから遠位の２４０Ｂ内にある場合、ディスプレイシステムは、深度平面２  ２４０Ｂと関連付けられた波面発散を伴って仮想コンテンツを提示してもよい。ユーザが、次いで、深度平面１  ２４０Ａによって包含される深度平面範囲内にある場所を凝視する場合、ディスプレイシステムは、深度平面１  ２４０Ａと関連付けられた波面発散を伴ってコンテンツを提示してもよい。上記に説明されるように、ディスプレイシステムは、ユーザに提示されている任意のフレームに関して、単一深度平面が利用されるように、可変焦点ディスプレイシステムであってもよい。例えば、１つの導波管が、利用され、フレーム毎に、全ての仮想コンテンツを出力してもよい。
【０２５２】
図示されるように、深度平面１２４０Ａおよび深度平面２２４０Ｂはそれぞれ、ユーザの眼から特定の公称焦点深度に位置するように示される。例えば、深度平面２  ２４０Ｂは、深度平面２  ２４０Ｂが仮想コンテンツを提示するように選択される場合、仮想コンテンツが公称深度と関連付けられた遠近調節のためのキューを提供するであろうように、ユーザから知覚される公称深度に設定されるように示される。このように、遠近調節のみを考慮した仮想コンテンツの知覚される深度が、公称深度となるであろう。いくつかの実施形態では、各深度平面範囲は、同一サイズ（例えば、ジオプタ単位）であって、例えば、同一範囲の深度を包含してもよい。実施例として、深度平面２  ２４０Ｂは、１ジオプタの公称深度に設定され、０．６６ジオプタ〜１．３３ジオプタの深度平面範囲を包含してもよい。同様に、実施例として、深度平面１  ２４０Ａは、０．３３ジオプタの公称深度に設定され、０ジオプタ〜０．６６ジオプタの深度平面範囲を包含してもよい。このように、ディスプレイシステムは、０ジオプタ〜１．３３ジオプタの全体的深度平面範囲を包含してもよい。図１８Ａの実施例は、２つの深度平面を図示するが、付加的深度平面が、許容可能遠近調節−輻輳・開散運動不整合を超えずに、全体的深度平面範囲をさらに分割し、および／またはユーザが仮想コンテンツを凝視し得る距離（例えば、ユーザまでの近接度）を増加させるように利用されてもよい（例えば、全体的深度平面範囲の近位深度は、１．６６ジオプタ、２ジオプタ等に設定され得る）。
【０２５３】
各深度平面によって包含される深度平面範囲は、随意に、深度平面における仮想コンテンツの提示と関連付けられた遠近調節キューが、視認者不快感を生じさせるほど輻輳・開散運動キューと過度に不整合しないであろうように、遠近調節−輻輳・開散運動不整合公差に基づいてもよい。０ジオプタ〜０．６６ジオプタである深度平面１  ２４０Ａによって包含される深度平面範囲の実施例に関して、深度平面１  ２４０Ａに提示される仮想コンテンツの遠近調節キューは、０．３３ジオプタに対応してもよい。本実施例では、閾値輻輳・開散運動−遠近調節不整合は、０．３３ジオプタであってもよく、他の実施例では、不整合は、０．２ジオプタ、０．５ジオプタ、または視認者不快感を回避するための任意の他の好適な値であってもよい。上記に説明されるように、遠近調節−輻輳・開散運動不整合公差は、輻輳・開散運動キューおよび遠近調節キューと関連付けられた仮想コンテンツの知覚される深度における最大差異を示す。輻輳・開散運動キューと遠近調節キューとの間の差異が増加するにつれて、例えば、各深度平面の深度平面範囲が、あまりにも離れて延在される場合、ユーザは、負の生理学的応答を被り得る。したがって、遠近調節−輻輳・開散運動不整合公差が、各深度平面によって包含される深度平面範囲を定義するために利用されてもよい。
【０２５４】
図１８Ａの実施例では、深度平面１  ２４０Ａの近位範囲は、深度平面２  ２４０Ｂの遠位範囲に対応する。図１６に関して上記に説明されるように、本境界の近傍に位置する凝視点は、精密な場所における不確実性に起因して、深度平面１  ２４０Ａまたは深度平面２  ２４０Ｂのいずれかによって包含されると判定されてもよい。
【０２５５】
図１８Ｂは、視野１８００の表現を図示し、深度重複１８１２が含まれる。図示されるように、深度平面２  ２４０Ｂの遠位境界は、調節された深度平面２  ２４０Ｂ１が以前に深度平面１  ２４０Ａによってのみ網羅されていた深度の範囲を包含するように、深度がさらに延在されている。調節された深度平面２  ２４０Ｂ１が図１８Ａにおけるものと同一範囲の深度を網羅することを確実にするために、深度平面２  ２４０Ｂ１の近位境界も同様に、深度がさらに延在されている。例えば、上記に説明されるように、深度平面によって包含される深度の範囲は、遠近調節−輻輳・開散運動不整合公差に基づいてもよい。いくつかの実施形態では、遠近調節−輻輳・開散運動不整合公差は、包含される深度に依存してもよい。例えば、遠近調節−輻輳・開散運動不整合公差は、深度がより近い深度平面範囲よりもユーザからの深度がより遠い深度平面範囲に関して大きくなり得る。例えば、深度平面１  ２４０Ａは、深度平面２  ２４０Ｂ１よりサイズが大きい深度平面範囲を包含するように構成されてもよい。同様に、深度平面の公称焦点深度は、深度平面によって包含される深度の遠位境界と近位境界の中央ではない場所に設定されてもよい。例えば、深度平面の遠位境界から公称焦点深度まで包含される深度の範囲は、深度平面の公称焦点深度から近位境界まで包含される深度の範囲より大きい、またはその逆であり得る。
【０２５６】
深度平面２の近位境界２４０Ｂ１および遠位境界２４０Ｂ１は、深度がさらに偏移されているため、深度平面２  ２４０Ｂ１の公称焦点深度も同様に、調節されている。例えば、深度平面２  ２４０Ｂ１の公称焦点深度は、近位境界２４０Ｂ１と遠位境界２４０Ｂ１との間の中央に設置されてもよい。このように、深度平面２  ２４０Ｂ１が、仮想コンテンツを提示するために選択されると、深度平面２  ２４０Ｂ１と関連付けられた導波管から出力されている光は、調節された公称焦点深度に対応する波面発散を伴って光を提示するであろう。さらに、深度平面２  ２４０Ｂ１の深度における偏移に起因して、レンダリング可能体積１８１４の低減が、生じ得る。例えば、以前に深度平面２  ２４０Ｂ１によって包含されていた深度の範囲は、ここでは、包含されない場合がある。
【０２５７】
深度重複１８１２を判定する実施例が、続く。以下の実施例では、例示的遠近調節−輻輳・開散運動不整合公差は、０．３３ジオプタであって、例示的ディスプレイシステムは、２つの深度平面を含み、第１の深度平面は、０．３３ジオプタの公称焦点深度に設定され、第２の深度平面は、１ジオプタの公称焦点深度に設定される。
【０２５８】
第２の深度平面の公称焦点深度を判定するために、凝視点判定誤差のインジケーションが、取得されてもよい。公称焦点深度が、次いで、凝視点判定誤差に基づいて判定されてもよい。
【０２５９】
例えば、いくつかの実施形態では、公称焦点深度は、以下と等価であり得る。
【０２６０】
３＊（遠近調節−輻輳・開散運動不整合公差）−２＊（凝視点判定誤差）
【０２６１】
０．１ジオプタの例示的凝視点判定誤差に関して、前述の実施例における深度平面２の公称焦点深度は、０．７９ジオプタとなるであろう。遠近調節輻輳・開散運動不整合は、０．３３ジオプタであるため、深度平面２の深度平面範囲は、０．４６〜１．１２ジオプタとなるであろう。
【０２６２】
したがって、深度重複は、０．４６ジオプタ〜０．６６ジオプタとなるであろう。例えば、深度平面２の遠位端は、０．４６ジオプタであると判定され、深度平面１の近位端は、０．６６ジオプタとなるであろう。
【０２６３】
別の実施例として、０．２５ジオプタの凝視点判定誤差では、深度平面２の公称焦点深度は、０．４９となり、深度平面２の深度平面範囲は、０．１１〜０．８２ジオプタとなるであろう。
【０２６４】
例えば、１ジオプタ〜０．４９ジオプタの公称焦点深度に対する調節は、ディスプレイシステム内に含まれるハードウェアの修正であってもよい。例えば、深度平面２を表す導波管の調節が、導波管を介して出力されている光の波面発散が０．４９ジオプタの知覚される深度に対応するように実施されてもよい。随意に、導波管は、ディスプレイシステムによって実行される命令を介して調節可能であってもよい。実施例として、いくつかの実施形態では、図６に関して上記に説明される外部結合光学要素５７０、５８０、５９０、６００、６１０は、印加される電場を介して調節可能な回折格子であってもよい。このように、改良が凝視点判定誤差に対して行われるにつれて、結果として生じる深度重複は、対応して、低減され得る。図１９に関して以下に説明されるであろうように、深度重複を含む、各深度平面によって包含される深度平面範囲は、ディスプレイシステムによってアクセス可能な情報として維持されてもよい。ユーザへの提示のためのコンテンツをレンダリングするとき、ディスプレイシステムは、本維持される情報を利用して、仮想コンテンツを提示する深度平面を選択してもよい。
【０２６５】
図１９は、仮想コンテンツを提示するための例示的プロセス１９００のフローチャートである。便宜上、プロセス１９００は、ディスプレイシステム（例えば、処理ハードウェアおよびソフトウェアを含み得、随意に、情報を１つまたはそれを上回るコンピュータまたは他の処理の外部システムに提供し、例えば、処理を外部システムにオフロードし、情報を外部システムから受信し得る、ウェアラブルディスプレイシステム６０（図９Ｄ））によって行われるように説明され得る。
【０２６６】
ブロック１９０２では、ディスプレイシステムは、ユーザの眼が凝視している凝視深度を判定する。例えば、ディスプレイシステムは、レンダリングされ、ユーザに提示されるているフレーム毎に、ユーザの眼の３次元凝視点を判定してもよい、またはディスプレイシステムは、レンダリングされているフレーム毎に、閾値数の凝視点を判定してもよい。実施例として、ユーザに提示されているフレームの表示レートは、特定のレート（例えば、３０Ｈｚ、６０Ｈｚ、１２０Ｈｚ等）であってもよく、ディスプレイシステムは、より高いレート（例えば、６０Ｈｚ、１２０Ｈｚ、２４０Ｈｚ等）で３次元凝視点を判定してもよい。このように、ディスプレイシステムは、判定された３次元凝視点を利用して、ユーザが凝視している正確な場所を判定してもよい。例えば、衝動性眼球運動、ユーザが他の物を一時的に見る等の一時的眼移動等は、除去されてもよい。上記に説明されるように、ディスプレイシステムは、ユーザの眼と関連付けられた情報（例えば、眼の配向）を監視するためのセンサを含んでもよい。センサの非包括的リストは、赤外線センサ、紫外線センサ、および可視波長光センサを含む。センサは、随意に、赤外線、紫外線、可視光、および／または偏光をユーザの眼上に出力し、ユーザの眼からの出力された光の反射を判定してもよい。実施例として、赤外線光が、赤外線光エミッタによって出力されてもよく、赤外線光センサが、眼を撮像するために使用されてもよい。光エミッタを含み得る、センサは、図６のイメージングデバイス６３０に対応してもよいことを理解されたい。
【０２６７】
ディスプレイシステムは、センサを利用して、各眼と関連付けられた視線（例えば、眼の水晶体を通して中心窩から延在するようなユーザの眼から延在するベクトル）と、各眼の視線の交差点とを判定することによって、ユーザの凝視を追跡してもよい。例えば、ディスプレイシステムは、赤外線光をユーザの眼上に出力してもよく、眼からの反射（例えば、角膜反射）が、監視されてもよい。眼の瞳孔中心間のベクトル（例えば、ディスプレイシステムは、例えば、赤外線撮像を通して、瞳孔の重心を判定してもよい）および眼からの反射が、眼の視線を判定するために使用されてもよい。視線の交差点は、したがって、３次元凝視点として割り当てられてもよい。随意に、ディスプレイシステムは、凝視点を判定するとき、ディスプレイシステムと関連付けられた配向情報（例えば、３次元空間内のディスプレイシステムの配向を説明する情報）を利用してもよい。
【０２６８】
別の実施例として、ディスプレイシステムは、眼毎に閾値数の光、例えば、ＬＥＤ（例えば、４つのＬＥＤ）とともに、１つまたはそれを上回るイメージングデバイス（例えば、カメラ）を利用してもよい。閾値数のＬＥＤは、各眼を照らす光を放出してもよく、１つまたはそれを上回るイメージングデバイスが、各眼の１つまたはそれを上回る画像を捕捉してもよい。各眼の瞳孔の中心（例えば、重心）が、眼の画像から識別されるように、各ＬＥＤからの光の場所に基づいて判定されてもよい（例えば、ＬＥＤＳからの４つの閃光が、各画像内の各眼の瞳孔上で可視であり得る）。各眼の光学軸が、次いで、瞳孔の中心に基づいて判定されてもよい。上記に説明されるように、ディスプレイシステムの使用に先立って、ディスプレイシステムは、個々のユーザのために較正されてもよく、随意に、ディスプレイシステムは、１人またはそれを上回るユーザに関する較正（例えば、訓練）情報を維持してもよい。例えば、ユーザは、ディスプレイシステムと関連付けられたユーザアカウントを有してもよく、随意に、ディスプレイシステムは、ネットワーク（例えば、インターネット）を介してディスプレイシステムと通信する外部システムによって記憶される較正情報にアクセスしてもよい。較正の実施例として、ユーザは、その眼の光学軸とその眼の視軸との間の差異の判定が行われ得るように、空間内のオブジェクトの実際の場所と眼視線を相関させるように要求されてもよい。例えば、標的オブジェクトは、閾値数の実世界位置（例えば、５つの位置、９つの位置、１２の位置）に移動されてもよく、多項式マップが、視線ベクトルを判定するときに利用されるための係数を規定するように判定されてもよい。多項式マップを利用することによって、ユーザの視軸は、より正確に判定され得る。随意に、視線ベクトルを判定する代わりに、ユーザの眼の瞳孔間のユーザの瞳孔間距離が、利用されてもよい（例えば、２つの眼の瞳孔の中心間の距離）。実施例としてユーザにより近い（例えば、近位の）オブジェクトは、より小さい瞳孔間距離を有し得、これらの瞳孔間距離は、ｚ−軸に沿った異なる深度に相関し得る。
【０２６９】
いくつかの実施形態では、ディスプレイシステムは、ユーザが視認しているオブジェクトを追跡するために判定された凝視点を監視するように構成されてもよい。例えば、ディスプレイシステムは、第１の仮想オブジェクトが提示される３次元場所に対応する判定された３次元凝視点に基づいて、ユーザが第１の仮想オブジェクトを視認していることを判定してもよい。加えて、ディスプレイシステムは、ユーザが仮想オブジェクトに対応しない場所を凝視していることを判定してもよく、実世界オブジェクトが凝視点に位置する可能性が高いことを判定してもよい。
【０２７０】
図１９を継続して参照すると、ブロック１９０４では、ディスプレイシステムは、ユーザへの提示のための仮想オブジェクトと関連付けられた場所情報を得る。ユーザへの提示のための仮想オブジェクトのレンダリングに先立って（例えば、上記に説明されるように、導波管の出力を介して）、ディスプレイシステムは、仮想オブジェクトと関連付けられた３次元場所情報を得てもよい。例えば、上記に説明されるように、仮想オブジェクトは、コンテンツが実世界内に位置するように現れるように、ユーザに提示されてもよい（例えば、コンテンツは、ユーザの視野内の異なる深度平面に位置してもよい）。ディスプレイシステムは、周囲環境内の任意の仮想コンテンツの意図される場所を含む、本周囲環境の３次元マップを含んでもよい、またはそこへのアクセスを有してもよいことを理解されたい。本マップを参照すると、ディスプレイシステムは、ユーザの視野内の仮想コンテンツの３次元場所（例えば、図１８Ａ−１８Ｂに図示されるように、ディスプレイ錐台内の場所）を規定する情報にアクセスし、それを提供してもよい。
【０２７１】
上記に説明されるように、仮想オブジェクトに関する場所情報は、３次元場所を含んでもよい。３次元場所に基づいて、仮想オブジェクトは、ユーザが仮想オブジェクトを凝視する場合、特定の深度平面が選択され、全ての仮想コンテンツを提示し得るように、特定の知覚される深度と関連付けられてもよい。例えば、凝視される仮想オブジェクトと関連付けられた遠近調節キューは、輻輳・開散運動キューから判定されるような特定の知覚される深度に対応するであろう。
【０２７２】
ブロック１９０６では、仮想オブジェクトを提示する深度平面が、選択される。図１７−１８に関して上記に説明されるように、表示錐台は、隣接する深度平面範囲の両方が包含し得る、１つまたはそれを上回る深度重複を含んでもよい。深度平面を選択するために、ディスプレイシステムは、判定された凝視深度（例えば、ブロック１９０２に関して上記に説明される）が、深度平面にのみよって包含される深度平面範囲内にあるか、または深度重複によって包含される深度平面範囲内にあるかを識別してもよい。換言すると、ディスプレイシステムが、仮想オブジェクトを特定の深度平面に提示する場合、ディスプレイシステムは、凝視深度が、特定の深度平面によって包含される（例えば、特定の深度平面によってのみ包含される深度平面範囲内にある、または特定の深度平面および隣接する深度平面によって包含される深度重複内に含まれる深度平面範囲内にある）場合、仮想オブジェクトの提示をその特定の深度平面に維持してもよい。
【０２７３】
ある深度平面によってのみ包含される深度平面範囲内にある凝視深度に関して、ディスプレイシステムは、その深度平面を選択し、仮想オブジェクトを提示してもよい。例えば、第１の深度平面および第２の深度平面によって包含される深度の範囲を含む、深度重複によって包含される深度平面範囲内にある凝視深度に関して、ディスプレイシステムは、いくつかの実施形態では、判定された凝視深度のみがある、直近の深度平面を識別してもよい。例えば、現在の凝視深度に先立って、１つまたはそれを上回る凝視深度が、深度重複内にあると判定された場合、ディスプレイシステムは、第１の深度平面または第２の深度平面のいずれか内のみにある直近の凝視深度を識別してもよい。識別された凝視深度のみがある、深度平面は、次いで、仮想オブジェクトを提示してもよい。上記に説明されるように、深度重複は、第１の深度平面および第２の深度平面によって包含される深度平面範囲の延在を表し得る。したがって、実施例として、凝視深度が第２の深度平面内にある場合、かつ凝視深度が、次いで、深度重複内にある場合、ディスプレイシステムは、仮想コンテンツをユーザに提示するための第２の深度平面の選択を留保してもよい。
【０２７４】
随意に、凝視深度が特定の深度重複内にあって、直近の以前の凝視深度が特定の深度重複を包含しない深度平面範囲内にある場合、ディスプレイシステムは、その凝視深度に最も近い公称焦点深度を有する深度平面を選択してもよい。例えば、ユーザは、ユーザから遠位に位置付けられる仮想オブジェクトを凝視し得、次いで、ユーザの近位に位置付けられる仮想オブジェクトを急速に凝視し得る。本実施例では、第１の深度平面は、ユーザが遠位オブジェクトを凝視している間に選択され得、ユーザが近位オブジェクトを凝視すると、ユーザの凝視は、第２の深度平面と第３の深度平面との間の特定の深度重複内にあり得る。凝視深度が、特定の深度重複内にあるため、ディスプレイシステムは、いずれの深度平面の公称焦点深度が判定された凝視深度により近いかどうかに基づいて、第２の深度平面または第３の深度平面のいずれかを選択してもよい。随意に、ディスプレイシステムは、深度平面の中からランダムに選択してもよい。
【０２７５】
いくつかの実施形態では、信頼度レベルが、随意に、凝視深度に関して判定されてもよい。例えば、ディスプレイシステムは、判定された凝視深度がユーザの実際の凝視を正確に表す、信頼度を判定してもよい。例えば、不良照明条件は、ユーザの凝視深度の判定と関連付けられた困難度を増加させ得、信頼度は、低減され得る。さらに、高速眼移動も、凝視深度の判定の困難度を増加させ得、信頼度は、低減され得る。随意に、ディスプレイシステムは、判定された信頼度を利用して、仮想オブジェクトを提示する深度平面の選択を知らせてもよい。例えば、凝視深度が深度重複内にある場合、ディスプレイシステムは、凝視深度により近い公称焦点深度を有する深度重複を包含する、深度平面を選択してもよい。ディスプレイシステムは、深度重複の縁までの凝視深度の近接度とともに、判定された信頼度を利用してもよい。例えば、凝視深度が深度重複内にあるが、深度重複の縁までの閾値深度内にある場合、ディスプレイシステムは、縁に最も近い公称焦点深度を有する、深度平面を選択してもよい。本閾値深度は、ディスプレイシステムの判定された信頼度が増加するにつれて、閾値深度が減少され得るような信頼度に基づいてもよい。さらに、深度重複のサイズが、信頼度に基づいて調節されてもよい。例えば、信頼度が増加するにつれて、凝視深度に対して不確実性が少なくなり、深度重複は、隣接する深度平面間の重複が少なくなるように低減されてもよい。
【０２７６】
ブロック１９０８では、ディスプレイシステムは、仮想オブジェクトをユーザに提示する。例えば、ディスプレイシステムは、提示された仮想オブジェクトの遠近調節キューが選択された深度平面に対応するように、提示を選択された深度平面に生じさせてもよい。上記に説明されるように、第１の深度平面から第２の深度平面への切替に応じて、知覚可能フリッカが、ユーザに明白になり得る。同様に、ユーザは、ディスプレイシステムを介して提供される光出力に遠近調節する（例えば、遠近調節キューに基づいて、眼の水晶体の形状を変化させる）ように要求されるであろう。
【０２７７】
いくつかの実施形態では、図２０に関して以下に説明されるであろうように、ディスプレイシステムは、ユーザの眼を監視し、切替のユーザの知覚を減少させるイベント（例えば、知覚限定イベント）が生じるまで、深度平面の切り替えを遅延させてもよい。いくつかの実施形態では、そのようなイベントは、（１）瞬目または（２）衝動性眼球運動の発生であってもよい。例えば、深度平面の切替が生じるべきであることの識別に応じて、ディスプレイシステムは、ユーザによる瞬目または衝動性眼球運動の検出に応じて、ディスプレイシステムが選択された深度平面への切替を実施すべきである（例えば、ブロック１９０６に説明されるように）ことを示す、情報（例えば、フラグ）を記憶してもよい。切替の実施に先立って、ディスプレイシステムは、仮想オブジェクトをレンダリングし、以前の深度平面に提示してもよく、瞬目または衝動性眼球運動後、仮想オブジェクトをレンダリングし、選択された深度平面に提示してもよい。このように、ディスプレイシステムは、瞬目および／または衝動性眼球運動を使用して、深度平面の切替をマスクしてもよい。
【０２７８】
加えて、いくつかの実施形態では、ディスプレイシステムは、瞬目または衝動性眼球運動がユーザによって行われたことを判定せずに、異なる（例えば、切り替えられた）深度平面における提示を更新してもよい。例えば、ユーザが、瞬目または衝動性眼球運動を閾値時間量（例えば、１０秒、３０秒、６０秒）内に実施しない場合、ディスプレイシステムは、仮想コンテンツを異なる深度平面に提示するように切り替えてもよい。さらに、異なる深度平面が、現在の深度平面の公称焦点深度から閾値深度を上回る公称焦点深度にある場合、ディスプレイシステムは、瞬目または衝動性眼球運動を待機せずに、提示を更新してもよい。実施例として、現在選択されている深度平面が、０．２ジオプタの公称焦点深度にあって、切り替えられるべき深度平面が、１ジオプタの公称焦点深度である場合、例えば、切替が生じない場合の大きな遠近調節−輻輳・開散運動不整合の潜在性に起因して、ディスプレイシステムは、瞬目または衝動性眼球運動を待機せずに、提示を更新してもよい。加えて、ユーザが瞬目または衝動性眼球運動を実施することを待機する閾値時間量は、提示される仮想オブジェクトに行われるべき遠近調節キューの差異に基づいてもよい。例えば、２つの深度平面間の公称焦点深度の差異が増加するにつれて、閾値時間量は、減少してもよい。
【０２７９】
図２０は、ユーザの知覚が限定されている間、深度平面を切り替え、ユーザへのコンテンツの提示を調節するための例示的プロセス２０００のフローチャートである。便宜上、プロセス２０００は、ディスプレイシステム（例えば、処理ハードウェアおよびソフトウェアを含み得、随意に、情報を１つまたはそれを上回るコンピュータまたは他の処理の外部システムに提供し、例えば、処理を外部システムにオフロードし、情報を外部システムから受信し得る、ウェアラブルディスプレイシステム６０）によって行われるように説明され得る。
【０２８０】
ブロック２００２では、ディスプレイシステムは、仮想オブジェクトを提示する深度平面の切替が生じるべきであることを示す情報を取得する。図１９に関して上記に説明されるように、ディスプレイシステムは、ユーザが凝視している凝視深度を判定してもよく（例えば、３次元凝視点を監視する）、さらに、コンテンツが提供される深度平面が、判定された凝視深度に基づいて、切り替えられるべきであることを判定してもよい。例えば、ユーザは、第１の深度平面によって包含される深度を凝視し得、続いて、第２の深度平面によって包含される深度を凝視し得る。仮想オブジェクトが第２の深度平面上に提示されるべきであることの判定に応じて、ディスプレイシステムは、切替が実施されるべきであることを示す情報を記憶してもよい。
【０２８１】
次に、ディスプレイシステムは、切替のユーザの知覚を減少させるイベントが生じるかどうかを判定してもよい。そのようなイベントは、ユーザの眼瞼の瞬目および／または衝動性眼球運動であってもよい。例えば、ブロック２００４では、ディスプレイシステムは、ユーザが瞬目を実施したかどうかを判定する。実施例として、ディスプレイシステムは、カメラ６３０（図６）を使用して、ユーザの眼の画像を取得する等、ユーザの眼を監視してもよく、瞳孔がもはや取得された画像内に検出されない場合（例えば、図１９に関して上記に説明されるように）、ディスプレイシステムは、ユーザが瞬目していることを判定してもよい。別の実施例として、例示的眼追跡アルゴリズムが、利用されてもよく（例えば、スターバーストアルゴリズム）、眼追跡アルゴリズムが、ユーザの瞳孔または眼からの光の反射の検出に失敗する場合、ディスプレイシステムは、ユーザが瞬目していることを判定してもよい。
【０２８２】
ブロック２００４を実施することと同時に、または代替として、ディスプレイシステムは、ブロック２００６を実施してもよい。ブロック２００６では、ディスプレイシステムは、ユーザが衝動性眼球運動を実施したかどうかを判定する。衝動性眼球運動は、眼の急速移動を表し、その間、ユーザの知覚が限定される。ディスプレイシステムは、例えば、閾値周波数（例えば、５００Ｈｚ、７５０Ｈｚ、１２００Ｈｚ等）を上回ってユーザの眼の取得された画像を使用して、衝動性眼球運動を監視してもよい。衝動性眼球運動の持続時間は、瞬目の持続時間より実質的に短くあり得るため、より高い周波数のイメージングデバイスが、衝動性眼球運動を検出するために利用されてもよい、またはより高い周波数で動作される同一センサが、使用され得る。
【０２８３】
衝動性眼球運動を判定する実施例として、ディスプレイシステムは、眼の瞳孔の回転速度を判定し、回転速度を利用し、少なくとも部分的に、眼によって実施される衝動性眼球運動と平滑追従視を区別してもよい。ディスプレイシステムは、例えば、ジャイロスコープを利用して、ユーザの頭部姿勢を示す情報を取得してもよく、瞳孔の測定された回転速度が平滑追従視と関連付けられた閾値速度を超え、ユーザの頭部が閾値速度を上回って移動していない場合、ディスプレイシステムは、衝動性眼球運動が実施されていることを判定してもよい。
【０２８４】
ブロック２０１０では、ディスプレイシステムは、深度平面の選択を更新し、仮想オブジェクトをユーザに提示する。瞬目または衝動性眼球運動の検出に応じて、ディスプレイシステムは、深度平面の調節を実施してもよい。代替として、ブロック２００８では、瞬目または衝動性眼球運動が、閾値時間量を上回って判定されない場合、ディスプレイシステムは、深度平面の調節を実施してもよい。例示的閾値時間量は、２０秒、３０秒、１２０秒、ユーザ選択可能時間量等であってもよい。
【０２８５】
加えて、ディスプレイシステムは、ユーザが瞬目または衝動性眼球運動を実施することを待機するため、ユーザは、調節された深度平面と異なる深度平面によって包含される深度を凝視し得る。例えば、ブロック２００２に関して、ユーザは、深度平面の調節が生じるべきような深度を凝視し得る。ユーザが瞬目または衝動性眼球運動を実施することを待機し、深度平面の選択を調節された深度平面に更新する間、ユーザは、新しい凝視深度を凝視し得る。ディスプレイシステムは、次いで、随意に、深度平面の選択を新しい凝視深度を包含する深度平面に更新してもよい。したがって、ユーザが、次いで、衝動性眼球運動または瞬目を実施する場合、ディスプレイシステムは、新しい凝視深度を包含する深度平面を選択してもよい。
視認者眼精疲労のための調節
【０２８６】
図１１−１５から明白であるように、典型的には、視認者に非常に近い、ある範囲の距離が存在し、遠近調節−輻輳・開散運動不整合が大きいが、コンテンツは、それにもかかわらず、表示され得る。本明細書に議論されるように、そのようなコンテンツは、視認者不快感を生じさせ得、その結果、望ましくない場合がある。いくつかの実施形態では、容認不可能な遠近調節−輻輳・開散運動不整合を生じさせると判定されたディスプレイコンテンツは、視認者不快感に対して保護するように修正される。
【０２８７】
図２１Ａは、画像コンテンツが閾値を超える遠近調節−輻輳・開散運動不整合を提供するとき、視認者快適性を維持するための方法４０００の実施例を図示する。ブロック４００２では、画像コンテンツが、分析され、画像コンテンツが閾値を超える遠近調節−輻輳・開散運動不整合をもたらすであろうかどうかを判定する。ブロック４００４では、不整合が、閾値を超えると判定される場合、画像コンテンツは、修正される。いくつかの実施形態では、遠近調節−輻輳・開散運動不整合閾値は、０．５ジオプタまたはそれ未満または０．３３ジオプタまたはそれ未満である。
【０２８８】
画像コンテンツの修正は、コンテンツが表示される持続時間を低減させるステップ、画像コンテンツをフェーディングさせるステップ（例えば、画像コンテンツの分解能または空間周波数を低減させることによって）、または単に閾値を超させるコンテンツを表示しないステップのうちの１つまたはそれを上回るものを含んでもよい。いくつかの実施形態では、画像コンテンツの分解能が減少される場合、画像コンテンツの分解能の低減度は、遠近調節−輻輳・開散運動不整合の増加に伴って（例えば、コンテンツが視認者により近くなるにつれて）増加する。
【０２８９】
遠近調節−輻輳・開散運動不整合が容認可能である場合でも、頭部搭載型ディスプレイデバイスの長期使用は、それにもかかわらず、潜在的に、いくらかの眼精疲労を生じさせることを理解されたい。ここで図２１Ｂを参照すると、視認者眼精疲労を低減させるための方法５０００の実施例が、図示される。ブロック５００２では、ユーザにおける眼精疲労の存在が、判定される。ブロック５００４では、眼精疲労が、存在すると判定される場合、画像コンテンツは、修正される。
【０２９０】
眼精疲労の存在を判定するステップは、例えば、カメラアセンブリ５００（図６）を利用して、ユーザの片眼または両眼を撮像するステップを含んでもよいことを理解されたい。眼精疲労の存在を判定するステップは、散瞳、収斂動揺、および瞳孔動揺のうちの１つまたはそれを上回るものを検出するステップを含んでもよい。いくつかの実施形態では、眼精疲労の存在を判定するステップは、ガルバニック皮膚応答を測定するステップを含む。いくつかの他の実施形態では、眼精疲労の存在を判定するステップは、０．２５ジオプタを上回る、０．３３ジオプタを上回る、または０．５ジオプタを上回る遠近調節−輻輳・開散運動不整合を有する画像コンテンツへの暴露の持続時間を検出するステップを含む。前述の検出された侵襲要因は、他の問題によっても生じ得るが、眼精疲労の存在を判定するためのこれらの方法のうちの１つまたはそれを上回るものは、眼精疲労の判定の正確度を増加させるために複数の変数が評価されるように、ともに実装されてもよい。例えば、前述の方法のうちの１つまたはそれを上回るものは、侵襲要因が、少なくとも部分的に、頭部搭載型ディスプレイデバイスの使用と関連付けられるかどうかを判定するために実装および評価されてもよい。加えて、侵襲要因の発生は、時間に関して測定され、ディスプレイシステムによって表示されているコンテンツおよび／またはディスプレイシステムの使用の持続時間と相関され、侵襲要因がディスプレイの結果であることの信頼度をさらに増加させてもよい。加えて、眼精疲労の判定は、これらの変数のうちの１つまたはそれを上回るものにおける変化を評価するステップ、または変数が所定の閾値を超えるかどうかを判定するステップを伴ってもよい。
【０２９１】
眼精疲労が、存在すると判定される場合、画像コンテンツは、眼精疲労を低減させるように修正される。いくつかの実施形態では、画像コンテンツを修正するステップは、画像コンテンツの特徴のサイズを増加させるステップと、画像コンテンツの分解能を低減させるステップと、画像コンテンツを画像コンテンツのために元々規定されたものより視認者から遠い深度平面上に表示するステップとのうちの１つまたはそれを上回るものを含んでもよい。例えば、例としてビデオゲームのためのコンテンツを表示するとき、視認者が集束するように促されるコンテンツが、より遠い深度平面上であるように選択されてもよい。一実施例では、視認者の直近の仮想オブジェクトと相互作用するのではなく、ゲームは、オブジェクトが視認者からある距離にある相互作用を提供するように指示されてもよい。
【０２９２】
いくつかの実施形態では、眼精疲労の判定および画像コンテンツの修正は、継続的に行われてもよい。眼精疲労がもはや存在しないことの判定に応じて、画像修正は、停止してもよい。いくつかの他の実施形態では、画像修正は、設定持続時間にわたって、またはあるイベントが生じるまで（例えば、ビデオゲームをプレーする視認者が新しいレベルに到達するとき）、生じるように設定されてもよい。
頭部搭載型ディスプレイを支持および／または平衡するための構造
【０２９３】
ここで図２２Ａ−２２Ｂを参照すると、本明細書に議論されるように、頭部搭載型ディスプレイシステムは、嵩張るまたは重くあり得、これは、特に、長期使用のために、システムの快適性を損なわせ得る。加えて、ユーザの頭部上のシステムの重量の分布は、不均等であり得、これもまた、長期使用の間の不快感に寄与し得る。有利には、頭部搭載型ディスプレイシステムは、１つまたはそれを上回る支持構造が装備され、ユーザ快適性を増加させてもよい。
【０２９４】
図２２Ａは、支持構造を伴う、頭部搭載型ディスプレイの例示的実施形態を図示する。図２２Ａに示されるように、ユーザ９０は、頭部搭載型ディスプレイシステムを装着して描写され、これは、ユーザ９０の眼の正面に位置付けられるディスプレイ７０に結合される、フレーム構造を含む。
【０２９５】
支持構造９００は、頭部搭載型ディスプレイシステムの一部として含まれ、例えば、重量平衡および圧力点（ディスプレイシステムの鼻パッドに分散される重量に起因したユーザ９０の鼻等）低減のために、ディスプレイの重量をユーザ９０の頭部の異なる部分に分散させてもよい。いくつかの実施形態では、支持構造９００は、ユーザの頭部の片側から頭部の他側まで延在するように構成される。いくつかの実施形態では、支持構造９００は、随意に、音変換器（例えば、スピーカ）１００を含んでもよい。支持構造９００は、頭部の片側から頭部の他側まで延在するように構成される、バンド（例えば、金属バンドおよび／またはプラスチックバンド）であってもよい。いくつかの実施形態では、支持構造９００は、耳から耳に側方に頭部を横切る。いくつかの実施形態では、支持構造９００は、眼から頭部の後方まで頭部を縦方向に横切ってもよい。いくつかの実施形態では、支持構造は、横方向または縦方向のいずれかにある間隔の角度で頭部を横切る、複数のそのような支持構造９００を含んでもよい。
【０２９６】
支持構造９００は、ユーザの頭部を異なる角度で横切ってもよい。図２２Ａは、支持構造９００がユーザの頭部を横方向に、すなわち、おおよそ耳から耳に横切る、実施例を図示する。角度９０４は、ユーザの眼および耳と交差する平面９０２とユーザ９０の頭部の片側から頭部の他側まで延在する支持構造の中心線との間で定義されてもよい。ある実施形態では、角度９０４は、約３５〜５５度である。いくつかの他の実施形態では、角度９０４は、約８０〜１００度である。さらに他の実施形態では、角度９０４は、例えば、支持構造９００が、おおよそユーザの眼および耳の平面９０２にあるとき、約ゼロ度であってもよい。本明細書に議論されるように、頭部搭載型ディスプレイシステムは、ユーザの頭部を種々の角度９０４で横切る、複数のそのような支持構造９００を備えてもよい。さらに、いくつかの実施形態では、ユーザの頭部に対する支持構造９００の位置は、平面９０２に対する角度９０４が調節可能であるように移動されてもよい。
【０２９７】
フレーム８０は、種々の位置において支持構造９００と交差してもよい。いくつかの実施形態では、例えば、図２２Ａに示されるように、フレーム８０は、ユーザの耳の上方で支持構造９００と交差してもよい。いくつかの他の実施形態では、フレーム８０は、音変換器１００において交差してもよい。さらに他の実施形態では、フレーム８０および支持構造９００は、本明細書に説明されるように、ユーザの頭部を横切る、単一構造の中に統合されてもよい。いくつかの実施形態では、音変換器１００は、フレーム８０に取り付けられる。いくつかの実施形態では、音変換器は、支持構造９００に取り付けられてもよい。他の実施形態では（図示せず）、音変換器は、他の手段または別個の構造によって、完全に取り付けられてもよい。本明細書に説明されるように、ある実施形態では、頭部搭載型ディスプレイは、フレーム８０および支持構造９００を備えてもよいが、音変換器１００を含有しなくてもよい。
【０２９８】
図２２Ｂは、音変換器がユーザの耳を被覆するスピーカである、例示的実施形態を図示する。スピーカは、随意に、描写される構成においてフレーム８０に結合され、ユーザの耳にわたって、および／またはユーザの外耳道に隣接して位置付けられてもよい（一実施形態では、示されない別のスピーカが、耳にわたって、および／またはユーザの他方の外耳道に隣接して位置付けられ、ステレオ／成形可能音制御を提供する）。
【０２９９】
本明細書に説明される、および／または図に描写されるプロセス、方法、およびアルゴリズムはそれぞれ、具体的かつ特定のコンピュータ命令を実行するように構成される、１つまたはそれを上回る物理的コンピューティングシステム、ハードウェアコンピュータプロセッサ、特定用途向け回路、および／または電子ハードウェアによって実行される、コードモジュールにおいて具現化され、それによって完全または部分的に自動化され得ることを理解されたい。例えば、コンピューティングシステムは、具体的コンピュータ命令とともにプログラムされた汎用コンピュータ（例えば、サーバ）または専用コンピュータ、専用回路等を含むことができる。コードモジュールは、実行可能プログラムにコンパイルおよびリンクされ得る、動的リンクライブラリ内にインストールされ得る、または解釈されるプログラミング言語において書き込まれ得る。いくつかの実装では、特定の動作および方法が、所与の機能に特有の回路によって実施され得る。
【０３００】
さらに、本開示の機能性のある実装は、十分に数学的、コンピュータ的、または技術的に複雑であるため、（適切な特殊化された実行可能命令を利用する）特定用途向けハードウェアまたは１つまたはそれを上回る物理的コンピューティングデバイスは、例えば、関与する計算の量または複雑性に起因して、または結果を実質的にリアルタイムで提供するために、機能性を実施する必要があり得る。例えば、ビデオは、多くのフレームを含み、各フレームは、数百万のピクセルを有し得、具体的にプログラムされたコンピュータハードウェアは、商業的に妥当な時間量において所望の画像処理タスクまたは用途を提供するようにビデオデータを処理する必要がある。
【０３０１】
コードモジュールまたは任意のタイプのデータは、ハードドライブ、ソリッドステートメモリ、ランダムアクセスメモリ（ＲＡＭ）、読取専用メモリ（ＲＯＭ）、光学ディスク、揮発性または不揮発性記憶装置、同一物の組み合わせ、および／または同等物を含む、物理的コンピュータ記憶装置等の任意のタイプの非一過性コンピュータ可読媒体上に記憶され得る。いくつかの実施形態では、非一過性コンピュータ可読媒体は、ローカル処理およびデータモジュール（１４０）、遠隔処理モジュール（１５０）、および遠隔データリポジトリ（１６０）のうちの１つまたはそれを上回るものの一部であってもよい。本方法およびモジュール（またはデータ）はまた、無線ベースおよび有線／ケーブルベースの媒体を含む、種々のコンピュータ可読伝送媒体上で生成されたデータ信号として（例えば、搬送波または他のアナログまたはデジタル伝搬信号の一部として）伝送され得、種々の形態（例えば、単一または多重化アナログ信号の一部として、または複数の離散デジタルパケットまたはフレームとして）をとり得る。開示されるプロセスまたはプロセスステップの結果は、任意のタイプの非一過性有形コンピュータ記憶装置内に持続的または別様に記憶され得る、またはコンピュータ可読伝送媒体を介して通信され得る。
【０３０２】
本明細書に説明される、および／または添付される図に描写されるフロー図における任意のプロセス、ブロック、状態、ステップ、または機能性は、プロセスにおいて具体的機能（例えば、論理または算術）またはステップを実装するための１つまたはそれを上回る実行可能命令を含む、コードモジュール、セグメント、またはコードの一部を潜在的に表すものとして理解されたい。種々のプロセス、ブロック、状態、ステップ、または機能性は、組み合わせられる、再配列される、追加される、削除される、修正される、または別様に本明細書に提供される例証的実施例から変更されてもよい。いくつかの実施形態では、付加的または異なるコンピューティングシステムまたはコードモジュールが、本明細書に説明される機能性のいくつかまたは全てを実施し得る。本明細書に説明される方法およびプロセスはまた、任意の特定のシーケンスに限定されず、それに関連するブロック、ステップ、または状態は、適切な他のシーケンスで、例えば、連続して、並行して、またはある他の様式で実施されることができる。タスクまたはイベントが、開示される例示的実施形態に追加される、またはそれから除去され得る。さらに、本明細書に説明される実装における種々のシステムコンポーネントの分離は、例証を目的とし、全ての実施形態においてそのような分離を要求するものとして理解されるべきではない。説明されるプログラムコンポーネント、方法、およびシステムは、概して、単一のコンピュータ製品においてともに統合される、または複数のコンピュータ製品にパッケージ化され得ることを理解されたい。
【０３０３】
前述の明細書では、本発明は、その具体的実施形態を参照して説明された。しかしながら、種々の修正および変更が、本発明のより広義の精神および範囲から逸脱することなくそこに行われ得ることが明白となるであろう。明細書および図面は、故に、限定的意味ではなく、例証と見なされるべきである。
【０３０４】
実際、本開示のシステムおよび方法は、それぞれ、いくつかの革新的側面を有し、そのうちのいかなるものも、本明細書に開示される望ましい属性に単独で関与しない、またはそのために要求されないことを理解されたい。上記に説明される種々の特徴およびプロセスは、相互に独立して使用され得る、または種々の方法で組み合わせられ得る。全ての可能な組み合わせおよび副次的組み合わせが、本開示の範囲内に該当することが意図される。
【０３０５】
別個の実施形態の文脈において本明細書に説明されるある特徴はまた、単一の実施形態における組み合わせにおいて実装されてもよい。逆に、単一の実施形態の文脈において説明される種々の特徴もまた、複数の実施形態において別個に、または任意の好適な副次的組み合わせにおいて実装されてもよい。さらに、特徴がある組み合わせにおいて作用するものとして上記に説明され、さらに、そのようなものとして最初に請求され得るが、請求される組み合わせからの１つまたはそれを上回る特徴は、いくつかの場合では、組み合わせから削除されてもよく、請求される組み合わせは、副次的組み合わせまたは副次的組み合わせの変形例を対象とし得る。いかなる単一の特徴または特徴のグループも、あらゆる実施形態に必要または必須ではない。
【０３０６】
とりわけ、「〜できる（ｃａｎ）」、「〜し得る（ｃｏｕｌｄ）」、「〜し得る（ｍｉｇｈｔ）」、「〜し得る（ｍａｙ）」、「例えば（ｅ．ｇ．）」、および同等物等、本明細書で使用される条件文は、別様に具体的に記載されない限り、または使用されるような文脈内で別様に理解されない限り、概して、ある実施形態がある特徴、要素、および／またはステップを含む一方、他の実施形態がそれらを含まないことを伝えることが意図されることを理解されたい。したがって、そのような条件文は、概して、特徴、要素、および／またはステップが、１つまたはそれを上回る実施形態に対していかようにも要求されること、または１つまたはそれを上回る実施形態が、著者の入力または促しの有無を問わず、これらの特徴、要素、および／またはステップが任意の特定の実施形態において含まれる、または実施されるべきかどうかを決定するための論理を必然的に含むことを示唆することを意図されない。用語「〜を備える」、「〜を含む」、「〜を有する」、および同等物は、同義語であり、非限定的方式で包括的に使用され、付加的要素、特徴、行為、動作等を除外しない。また、用語「または」は、その包括的意味において使用され（およびその排他的意味において使用されず）、したがって、例えば、要素のリストを接続するために使用されると、用語「または」は、リスト内の要素のうちの１つ、いくつか、または全てを意味する。加えて、本願および添付される請求項で使用されるような冠詞「ａ」、「ａｎ」、および「ｔｈｅ」は、別様に規定されない限り、「１つまたはそれを上回る」または「少なくとも１つ」を意味するように解釈されるべきである。同様に、動作は、特定の順序で図面に描写され得るが、これは、望ましい結果を達成するために、そのような動作が示される特定の順序で実施されること、または連続的順序で実施されること、または全ての図示される動作が実施されることの必要はないと認識されるべきである。さらに、図面は、フローチャートの形態で１つまたはそれを上回る例示的プロセスを図式的に描写し得る。しかしながら、描写されない他の動作も、図式的に図示される例示的方法およびプロセス内に組み込まれることができる。例えば、１つまたはそれを上回る付加的動作が、図示される動作のいずれかの前に、その後に、それと同時に、またはその間に実施されることができる。加えて、動作は、他の実装において再配列される、または再順序付けられ得る。ある状況では、マルチタスクおよび並列処理が、有利であり得る。さらに、上記に説明される実施形態における種々のシステムコンポーネントの分離は、全ての実施形態におけるそのような分離を要求するものとして理解されるべきではなく、説明されるプログラムコンポーネントおよびシステムは、概して、単一のソフトウェア製品においてともに統合される、または複数のソフトウェア製品にパッケージ化され得ることを理解されたい。加えて、他の実装も、以下の請求項の範囲内である。いくつかの場合では、請求項に列挙されるアクションは、異なる順序で実施され、依然として、望ましい結果を達成することができる。
【０３０７】
故に、請求項は、本明細書に示される実装に限定されることを意図されず、本明細書に開示される本開示、原理、および新規の特徴と一貫する最も広い範囲を与えられるべきである。
【図１】
2019512741.tif 000003
【図２】
2019512741.tif 000004
【図３Ａ】
2019512741.tif 000005
【図３Ｂ】
2019512741.tif 000006
【図３Ｃ】
2019512741.tif 000007
【図４Ａ】
2019512741.tif 000008
【図４Ｂ】
2019512741.tif 000009
【図５】
2019512741.tif 000010
【図６】
2019512741.tif 000011
【図７】
2019512741.tif 000012
【図８】
2019512741.tif 000013
【図９Ａ】
2019512741.tif 000014
【図９Ｂ】
2019512741.tif 000015
【図９Ｃ】
2019512741.tif 000016
【図９Ｄ】
2019512741.tif 000017
【図１０Ａ】
2019512741.tif 000018
【図１０Ｂ】
2019512741.tif 000019
【図１１】
2019512741.tif 000020
【図１２】
2019512741.tif 000021
【図１３】
2019512741.tif 000022
【図１４】
2019512741.tif 000023
【図１５】
2019512741.tif 000024
【図１６】
2019512741.tif 000025
【図１７】
2019512741.tif 000026
【図１８Ａ】
2019512741.tif 000027
【図１８Ｂ】
2019512741.tif 000028
【図１９】
2019512741.tif 000029
【図２０】
2019512741.tif 000030
【図２１Ａ】
2019512741.tif 000031
【図２１Ｂ】
2019512741.tif 000032
【図２２Ａ】
2019512741.tif 000033
【図２２Ｂ】
2019512741.tif 000034
【国際調査報告】
2019512741.tif 000035
2019512741.tif 000036
2019512741.tif 000037